(57)【要約】【課題】元の操作量に調整しやすくできる遊技機を提供すること。【解決手段】ハンドルリング５４０が初期位置θ０から操作終点までの区間で操作可能とされるところ、その操作終点の位置が変更可能とされるので、所望の操作量（目標位置）に対応する位置に操作終点の位置を変更（設定）しておくことで、遊技者は、操作終点までハンドルリング５４０を操作すれば（即ち、操作終点により操作が規制されて、それ以上の操作ができなくなる位置までハンドルリング５４０を操作すれば）、かかるハンドルリング５４０の操作量を元の操作量に容易に調整することができる。【選択図】図３０
2014188235.tif 000002
【特許請求の範囲】
【請求項１】
遊技者によって操作される操作子を備え、その操作子の操作量に応じて遊技球の発射強度が調整される遊技機において、
前記操作子が初期位置から操作終点までの区間で操作可能とされると共に、前記操作終点の位置が変更可能とされると共に、前記操作終点の位置が最大位置から変更されているかを遊技者が識別可能に形成されることを特徴とする遊技機。
【請求項２】
遊技者により押し込み操作されるボタン部材を備えると共に、前記ボタン部材が押し込み操作されることで、前記操作終点の位置が最大位置から変更可能とされ、前記操作終点の位置が最大位置から変更された状態では、前記操作終点の位置が最大位置にある状態と比較して、前記ボタン部材の押し込み位置が異なることを特徴とする請求項１記載の遊技機。
【請求項３】
前記ボタン部材の外周面側に配設される壁部と、その壁部に開口形成され前記ボタン部材の外周面の少なくとも一部が視認可能とされる開口とを備え、前記操作終点の位置が最大位置から変更された状態では、前記操作終点の位置が最大位置にある状態と比較して、前記開口を介して視認される対象の形態が異なることを特徴とする請求項２記載の遊技機。
【発明の詳細な説明】
【技術分野】
【０００１】
本発明は、パチンコ機などの遊技機に関するものである。
【背景技術】
【０００２】
パチンコ機等の遊技機において、ハンドルベースにハンドル回動部が回動可能に取り付けられ、そのハンドル回動部の回動操作量に応じて、球の発射強度を調整するものがある。また、ハンドル回動部の回動操作により、所望の発射強度が得られた場合には、その発射強度を維持して、遊技者の疲れを軽減するべく、ハンドル回動部の回動を固定する構造のものがある。
【先行技術文献】
【特許文献】
【０００３】
【特許文献１】特開２０１２−００５７５９号公報
【発明の概要】
【発明が解決しようとする課題】
【０００４】
操作子（ハンドル回動部）には、付勢ばねによる付勢力が付与されており、遊技者が手を離すと、操作子の操作位置が初期位置へ復帰される。そのため、例えば、遊技を中断した場合には、操作子の操作位置を、遊技を中断する前の元の操作位置に調整することが困難である。
【０００５】
本発明は、上記例示した問題点を解決するためになされたものであり、操作子の操作位置を元の操作位置に調整しやすくできる遊技機を提供することを目的とする。
【課題を解決するための手段】
【０００６】
この目的を達成するために請求項１記載の遊技機は、遊技者によって操作される操作子を備え、その操作子の操作量に応じて遊技球の発射強度が調整されるものであり、前記操作子が初期位置から操作終点までの区間で操作可能とされると共に、前記操作終点の位置が変更可能とされると共に、前記操作終点の位置が最大位置から変更されているかを遊技者が識別可能に形成される。
【０００７】
請求項２記載の遊技機は、請求項１記載の遊技機において、遊技者により押し込み操作されるボタン部材を備えると共に、前記ボタン部材が押し込み操作されることで、前記操作終点の位置が最大位置から変更可能とされ、前記操作終点の位置が最大位置から変更された状態では、前記操作終点の位置が最大位置にある状態と比較して、前記ボタン部材の押し込み位置が異なる。
【０００８】
請求項３記載の遊技機は、請求項２記載の遊技機において、前記ボタン部材の外周面側に配設される壁部と、その壁部に開口形成され前記ボタン部材の外周面の少なくとも一部が視認可能とされる開口とを備え、前記操作終点の位置が最大位置から変更された状態では、前記操作終点の位置が最大位置にある状態と比較して、前記開口を介して視認される対象の形態が異なる。
【発明の効果】
【０００９】
請求項１記載の遊技機によれば、操作子の操作量を元の操作量に調整しやすくできる。
【００１０】
ここで、操作子の操作量を所望の操作量に調整する方法としては、例えば、操作子の移動軌跡に沿って目盛り線を設ける方法や、操作子の移動軌跡に沿った任意の位置に基準片を固定可能とする方法が考えられる。これらの方法によれば、目盛り線や基準片を目標位置として、操作子を操作する（即ち、目盛り線や基準片に操作子の操作位置を一致させる）ことで、かかる操作子の操作量を所望の操作量に調整しやすくすることができる。
【００１１】
しかし、上述した方法では、操作子の調整の精度が、遊技者の技量に依存する。即ち、操作子の操作位置が目標位置（目盛り線や基準片）に一致しているか否かを目視により判別しつつ、目標位置に対する操作子の操作位置を微調整する必要があるため、正確な調整が困難である。また、例えば、操作子の操作速度を速くすると、目標位置を通り過ぎてしまうおそれがあることから、目標位置の近傍では操作子の操作速度を遅くする必要があり、迅速な調整が困難である。
【００１２】
これに対し、請求項１によれば、操作子が初期位置から操作終点までの区間で操作可能とされるところ、その操作終点の位置が変更可能とされるので、所望の操作量（目標位置）に対応する位置に操作終点の位置を変更（設定）しておくことで、遊技者は、操作終点まで操作子を操作すれば（即ち、操作終点により操作が規制されて、それ以上の操作ができなくなる位置まで操作子を操作すれば）、かかる操作子の操作量を所望の操作量に容易に調整することができる。
【００１３】
これにより、例えば、操作子の操作位置が目標位置に一致したか否かを、目視により判別しつつ微調整する必要がなく、所望の操作量に正確に調整することができる。また、目標位置を通り過ぎてしまうこともないため、操作子の操作速度を高めることができ、所望の操作量に迅速に調整することができる。
【００１４】
より具体的には、操作子の操作量を調整した結果、遊技球の発射強度が所望の発射強度となった際に、その状態に対応する位置（所望の発射強度が得られている操作子の操作量に対応する位置）に操作終点の位置を変更（設定）する。これにより、例えば、休憩のために遊技を中断し、操作子が初期位置へ復帰された後であっても、遊技者は、上述したように、操作終点まで操作子を操作するだけで、操作子の操作量を元の操作量（即ち、遊技を中断する前の操作量）に復帰させる（調整する）ことができ、かかる復帰動作を正確かつ迅速に行うことができる。
【００１５】
更に、操作終点の位置が最大位置から変更されているかを遊技者が識別可能に形成されるので、遊技球の発射強度の調整範囲が規制されていることを知らずに遊技を行うという事態を抑制でき、遊技者が不利益を被る状態を発生し難くできる。
【００１６】
即ち、操作子が初期位置から操作終点までの区間で操作可能とされる場合に、操作終点の位置が変更可能とされる構成においては、操作終点の位置が変更されていることに遊技者が気づかずに遊技を行っていると、遊技球の発射強度の調整範囲が規制されている状態で、即ち、予め定められている最大の発射強度での遊技球の発射ができない状態で遊技を行うこととなり、遊技者が不利益を被る可能性がある。
【００１７】
これに対し、請求項１によれば、操作終点の位置が最大位置から変更されているかを遊技者が識別可能に形成されるので、操作終点の位置が最大位置から変更されている（即ち、遊技球の発射強度の調整範囲が規制されている）ことに気づかずに遊技者が遊技を行うことを抑制して、遊技者が不利益を被る状態を発生し難くできる。
【００１８】
請求項２記載の遊技機によれば、請求項１記載の遊技機の奏する効果に加え、ボタン部材の押し込み操作により、操作終点の位置が最大位置から変更可能とされ、操作終点の位置が最大位置から変更された状態では、操作終点の位置が最大位置にある状態と比較して、ボタン部材の押し込み位置が異なるので、かかるボタン部材の押し込み位置の差に基づいて、操作終点の位置が最大位置から変更されているかを遊技者に識別させることができる。これにより、操作終点の位置が最大位置から変更されていることに気づかずに遊技者が遊技を行うことを抑制して、遊技者が不利益を被る状態を発生し難くできる。
【００１９】
この場合、請求項２によれば、操作終点の位置を最大位置から変更するために操作される操作部材（ボタン部材）を、操作終点の位置が最大位置から変更されているかを識別するための識別部材としても兼用するので、その分、部品点数を削減して、製品コストの低減を図ることができる。
【００２０】
請求項３記載の遊技機によれば、請求項２記載の遊技機の奏する効果に加え、操作終点の位置が最大位置から変更された状態では、操作終点の位置が最大位置にある状態と比較して、開口を介して視認される対象の形態が異なるので、かかる視認される対象の形態の差に基づいて、操作終点の位置が最大位置から変更されているかを遊技者に容易かつ確実に識別させることができる。
【００２１】
即ち、操作終点の位置が最大位置から変更されているかの識別を、ボタン部材の押し込み位置の差に基づいて行う構成では、判断基準が押し込み量の程度の差となるため、２つの状態を明確に区別することが困難である。
【００２２】
これに対し、請求項３によれば、開口を介して視認される対象の形態が異なるので、判断基準を２値化することができ、２つの状態を明確に区別することをしやすくできる。これにより、操作終点の位置が最大位置から変更されているかを遊技者に容易かつ確実に識別させることができ、その結果、操作終点の位置が最大位置から変更されていることに気づかずに遊技者が遊技を行うことを抑制して、遊技者が不利益を被る状態を発生し難くできる。
【００２３】
なお、開口を介して視認される対象の形態が異なるとは、例えば、操作終点の位置が最大位置にある状態と最大位置から変更された状態との２つ状態において、第１に、一方の状態では、開口を介してボタン部材の外周面のみが視認され、他方の状態では、開口を介してボタン部材の外周面以外の部材のみが視認される構成（即ち、開口を介してボタン部材の外周面が視認されるか否かに２値化され、それら２値に基づいて区別する構成）が例示される。
【００２４】
第２に、一方の状態および他方の状態では、共にボタン部材の外周面が視認されるが、その視認されるボタン部材の外周面の色が一方の状態と他方の状態とで異なる構成（即ち、開口を介して視認されるボタン部材の色（例えば、白色と黒色）により２値化され、それら２値に基づいて区別する構成）が例示される。
【００２５】
第３に、一方の状態および他方の状態では、共にボタン部材の外周面が視認されるが、その視認されるボタン部材の外周面の面積（開口内に占める割合）が一方の状態と他方の状態とで異なる構成（即ち、開口を介して視認されるボタン部材の面積（ボタン部材の外周面が開口内に占める面積）により２値化され、それら２値に基づいて区別する構成）が例示される。
【００２６】
第４に、一方の状態および他方の状態では、共にボタン部材の外周面が視認されるが、その視認されるボタン部材の外周面が開口内で描く形状が一方の状態と他方の状態とで異なる構成（即ち、ボタン部材の外周面が開口内に描く形状により２値化され、それら２値に基づいて区別する構成）が例示される。
【００２７】
第５に、一方の状態および他方の状態では、共にボタン部材の外周面が視認され、視認されるボタン部材の外周面の面積もボタン部材の外周面が描く形状も同一であるが、ボタン部材の外周面の視認される開口内における位置が一方の状態と他方の状態とで異なる構成（即ち、開口内におけるボタン部材の外周面の位置により２値化され、それら２値に基づいて区別する構成）が例示される。
【図面の簡単な説明】
【００２８】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】（ａ）はハンドル装置の上面図であり、（ｂ）はハンドル装置の正面図である。
【図６】図５（ａ）の矢印ＶＩ方向視におけるハンドル装置の側面図である。
【図７】ハンドル取付台およびハンドルベースの正面斜視図である。
【図８】ハンドルリングの背面斜視図である。
【図９】（ａ）は、前カバーの背面斜視図であり、（ｂ）は、案内溝の正面図である。
【図１０】（ａ）は、図９（ａ）の矢印Ｘａ方向視における前カバーの上面図であり、（ｂ）は、図１０（ａ）のＸａ−Ｘａ線における前カバーの部分拡大断面図である。
【図１１】タン部材の背面斜視図である。
【図１２】ハンドル軸支体と軸体との連結構造を図示するボタン部材の分解斜視図である。
【図１３】（ａ）は、切り替え装置の正面図であり、（ｂ）は、図１３（ａ）の矢印ＸＩＩＩｂ方向視における切り替え装置の側面図である。
【図１４】（ａ）は、図１３（ａ）のＸＩＶｂ−ＸＩＶｂ線における切り替え装置の断面図であり、（ｂ）は、図１３（ａ）の矢印ＸＩＶｂ方向視における切り替え装置の側面図である。
【図１５】（ａ）及び（ｂ）は、切り替え装置の断面図であり、（ｃ）は、図１５（ａ）の矢印ＸＶｃ方向視における切り替え装置の正面図であり、（ｄ）は、図１５（ｂ）の矢印ＸＶｄ方向視における切り替え装置の正面図である。
【図１６】ハンドルベースの背面斜視図である。
【図１７】ハンドル取付台の分解状態における斜視図である。
【図１８】（ａ）はハンドル取付台の組み立て状態における斜視図であり、（ｂ）は第１本体の内側面図である。
【図１９】ハンドル取付台およびハンドルベースの背面斜視図である。
【図２０】ハンドル規制部材が装着された状態におけるハンドルベースの正面斜視図である。
【図２１】ハンドル規制部材が取り外された状態におけるハンドルベースの正面斜視図である。
【図２２】（ａ）及び（ｂ）は、ハンドル規制部材の斜視図である。
【図２３】変位操作される前の状態におけるハンドル装置の部分断面側面図である。
【図２４】変位操作された後の状態におけるハンドル装置の部分断面側面図である。
【図２５】ハンドル装置の部分断面側面図である。
【図２６】ハンドル装置の部分断面側面図である。
【図２７】ハンドル装置の部分断面側面図である。
【図２８】ハンドルリングおよび切り替え装置を模式的に図示したハンドル装置の正面模式図である。
【図２９】ハンドルリングおよび切り替え装置を模式的に図示したハンドル装置の正面模式図である。
【図３０】ハンドル装置の回動操作の状態を模式的に図示する模式図である。
【図３１】ハンドル装置の回動操作の状態を模式的に図示する模式図である。
【図３２】（ａ）及び（ｂ）は、ハンドル装置の部分拡大断面図である。
【図３３】（ａ）は第２実施形態におけるハンドル装置の上面図であり、（ｂ）はハンドル装置の正面図である。
【図３４】図３３（ａ）の矢印ＸＸＸＩＩ方向視におけるハンドル装置の側面図である。
【図３５】ハンドル取付台およびハンドルベースの正面斜視図である。
【図３６】ハンドルリングの背面斜視図である。
【図３７】前カバーの背面斜視図である。
【図３８】（ａ）は、切り替え装置の正面図であり、（ｂ）は、図３８（ａ）の矢印ＸＸＸＶＩｂ方向視における切り替え装置の側面図であり、（ｃ）は、図３８（ａ）の矢印ＸＸＸＶＩｃ方向視における切り替え装置の背面図である。
【図３９】（ａ）は、図３８（ａ）のＸＸＸＶＩＩａ−ＸＸＸＶＩＩａ線における切り替え装置の断面図であり、（ｂ）は、図３８（ａ）の矢印ＸＸＸＶＩＩｂ方向視における切り替え装置の側面図である。
【図４０】（ａ）及び（ｂ）は、切り替え装置の断面図であり、（ｃ）は、図４０（ａ）の矢印ＸＸＸＶＩＩＩｃ方向視における切り替え装置の背面図であり、（ｄ）は、図４０（ｂ）の矢印ＸＸＸＶＩＩＩｄ方向視における切り替え装置の背面図である。
【図４１】（ａ）は、押し込み部材の正面図であり、（ｂ）は、図４１（ａ）の矢印ＸＬＩｂ方向視における押し込み部材の側面図であり、（ｃ）は、図４１（ａ）のＸＬＩｃ−ＸＬＩｃ線における押し込み部材の断面図である。
【図４２】（ａ）は、スイッチ部材の正面図であり、（ｂ）は、図４２（ａ）の矢印ＸＬＩＩｂ方向視におけるスイッチ部材の側面図であり、（ｃ）は、図４２（ａ）のＸＬＩＩｃ−ＸＬＩＩｃ線におけるスイッチ部材の断面図である。
【図４３】（ａ）は、ベース体の正面図であり、（ｂ）は、図４３（ａ）のＸＬＩＩＩｂ−ＸＬＩＩＩｂ線におけるベース体の断面図である。
【図４４】（ａ）は、伝達棒の側面図であり、（ｂ）は、図４４（ａ）のＸＬＩＶｂ−ＸＬＩＶｂ線における伝達棒の断面図である。
【図４５】ベース体の挿通孔の内周面を平面に展開して図示した平面展開図である。
【図４６】図４５における範囲ＸＬＶＩを部分的に拡大して図示した案内溝の部分拡大展開図である。
【図４７】（ａ）から（ｃ）は、スイッチ部材の側面図である。
【図４８】ハンドルベース、ハンドル取付台および直動変換部材の分解状態における背面斜視図である。ハンドルベース５３０、ハンドル取付台２５２０及び直動変換部材２８００の組み立て状態における背面斜視図である。
【図４９】ハンドルベース、ハンドル取付台および直動変換部材の組み立て状態における背面斜視図である。
【図５０】ハンドル取付台の分解状態における斜視図である。
【図５１】（ａ）は、ハンドル取付台の組み立て状態における斜視図であり、（ｂ）は、第１本体の内側面図である。
【図５２】（ａ）は、図４８の矢印ＬＩＩａ方向視における直動変換部材の側面図であり、（ｂ）は、図５２（ａ）の矢印ＬＩＩｂ方向視における直動変換部材の正面図であり、図５２（ｃ）は、図５２（ｂ）の矢印ＬＩＩｃ方向視における直動変換部材の側面図である。
【図５３】ハンドル装置の部分断面側面図である。
【図５４】ハンドル装置の部分断面側面図である。
【図５５】ハンドル装置の部分断面側面図である。
【図５６】（ａ）は、ハンドル装置の部分拡大側面図であり、（ｂ）は、ハンドル装置の部分拡大上面図である。
【図５７】（ａ）は、ハンドル装置の部分拡大側面図であり、（ｂ）は、ハンドル装置の部分拡大上面図である。
【図５８】（ａ）は、第３実施形態におけるハンドル装置の上面図であり、（ｂ）は、図５８（ａ）の矢印ＬＶＩＩＩｂ方向視におけるハンドル装置の側面図である。
【図５９】図５８（ａ）のＬＶＩＸ−ＬＶＩＸ線におけるハンドル装置の断面図である。
【図６０】（ａ）は、下側ベースの側面図であり、（ｂ）は、図６０（ａ）の矢印ＬＸｂ方向視における下側ベースの上面図であり、（ｃ）は、図６０（ｂ）のＬＸｃ−ＬＸｃ線における下側ベースの断面図である。
【図６１】（ａ）は、中間ベースの側面図であり、（ｂ）は、図６１（ａ）の矢印ＬＸＩｂ方向視における中間ベースの上面図であり、（ｃ）は、図６１（ｂ）のＬＸＩｃ−ＬＸＩｃ線における中間ベースの断面図である。
【図６２】（ａ）は、上側ベースの側面図であり、（ｂ）は、図６２（ａ）の矢印ＬＸＩＩｂ方向視における上側ベースの下面図であり、（ｃ）は、図６２（ｂ）のＬＸＩＩｃ−ＬＸＩＩｃ線における上側ベースの断面図である。
【図６３】（ａ）は、閉封部材の正面図であり、（ｂ）は、図６３（ａ）の矢印ＬＸＩＩＩｂ方向視における閉封部材の下面図であり、（ｃ）は、図６３（ａ）のＬＸＩＩＩｃ−ＬＸＩＩＩｃ線における閉封部材の断面図である。
【図６４】（ａ）及び（ｂ）は、回転軸部および操作子の部分断面側面図である。
【図６５】（ａ）は、回転軸部の側面図であり、（ｂ）は、図６５（ａ）の矢印ＬＸＶｂ方向視における回転軸部の背面図であり、（ｃ）は、押上部材の部分断面背面図である。
【図６６】（ａ）は、図６５（ａ）の矢印ＬＸＶＩａ方向視における回転軸部の上面図であり、（ｂ）は、図６６（ａ）のＬＸＩＶｂ−ＬＸＶＩｂ線における回転軸部の断面図である。
【図６７】（ａ）は、操作子の側面図であり、（ｂ）は、図６７（ａ）の矢印ＬＸＶＩｂ方向視における操作子の上面図である。
【図６８】（ａ）は、図６７（ｂ）のＬＸＶＩＩＩａ−ＬＸＶＩＩＩａ線における操作子の部分拡大断面図であり、（ｂ）は、図６７（ｂ）のＬＸＶＩＩＩｂ−ＬＸＶＩＩＩｂ線における操作子の部分拡大断面図である。
【図６９】ハンドル装置の部分拡大断面図である。
【図７０】（ａ）は、切り替え装置の上面図であり、（ｂ）は、図７０（ａ）の矢印ＬＸＸｂ方向視における切り替え装置の側面図であり、（ｃ）は、図７０（ｂ）の矢印ＬＸＸｃ方向視における切り替え装置の下面図である。
【図７１】（ａ）は、図７０（ａ）のＬＸＸＩａ−ＬＸＸＩａ線における切り替え装置の断面図であり、（ｂ）は、図７０（ｂ）の矢印ＬＸＸＩｂ方向視における切り替え装置の側面図である。
【図７２】（ａ）は、押し込み部材の正面図であり、（ｂ）は、図７２（ａ）の矢印ＬＸＸＩＩｂ方向視における押し込み部材の側面図であり、（ｃ）は、図７２（ａ）のＬＸＸＩＩｃ−ＬＸＸＩＩｃ線における押し込み部材の断面図である。
【図７３】（ａ）は、伝達棒の側面図であり、（ｂ）は、図７３（ａ）の矢印ＬＸＸＩＩＩｂ方向視における伝達棒の上面図である。
【図７４】ハンドル装置の部分断面側面図である。
【図７５】ハンドル装置の部分断面側面図である。
【図７６】ハンドル装置の部分断面側面図である。
【図７７】回転軸部および切り替え装置の部分拡大斜視図である。
【図７８】回転軸部および切り替え装置の部分拡大斜視図である。
【図７９】ハンドル装置のスライド操作の状態を模式的に図示する模式図である。
【図８０】ハンドル装置のスライド操作の状態を模式的に図示する模式図である。
【発明を実施するための形態】
【００２９】
以下、本発明の実施形態について、添付図面を参照して説明する。まず、図１から図を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００３０】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００３１】
内枠１２には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠１２には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００３２】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００３３】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。
【００３４】
前面枠１４には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａへと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００３５】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の正面視（図１参照）左上部には、ＬＥＤ等の発光手段が内蔵され賞球の払い出し中とエラー発生時とを表示可能な表示ランプ３４が設けられている。
【００３６】
また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等はパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００３７】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００３８】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００３９】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００４０】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００４１】
図２に示すように、遊技盤１３は、正面視略正方形状に切削加工した木製のベース板６０に、球案内用の多数の釘（図示せず）や風車の他、レール６１，６２、一般入賞口６３、第１入球口６４、第２入球口６４０、第１可変入賞装置６５、第２可変入賞装置６５０、第１スルーゲート６７、第２スルーゲート６７０、可変表示装置ユニット８０等を組み付けて構成され、その周縁部が内枠１２（図１参照）の裏面側に取り付けられる。一般入賞口６３、第１入球口６４、第２入球口６４０、第１可変入賞装置６５、第２可変入賞装置６５０、可変表示装置ユニット８０は、ルータ加工によってベース板６０に形成された貫通穴に配設され、遊技盤１３の前面側から木ネジ等により固定されている。
【００４２】
遊技盤１３の前面中央部分は、前面枠１４の窓部１４ｃ（図１参照）を通じて内枠１２の前面側から視認することができる。以下に、主に図２を参照して、遊技盤１３の構成について説明する。
【００４３】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２と円弧部材７０とにより区画して形成される略円形状の領域（入賞口等が配設され、発射された球が流下する領域）である。
【００４４】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。また、内レール６１の右下側の先端部と外レール６２の右上側の先端部との間には、レール間を繋ぐ円弧を内面側に設けて形成された樹脂製の円弧部材７０がベース板６０に打ち込んで固定されている。
【００４５】
遊技領域の正面視右側上部（図２の右側上部）には、２つの第１図柄表示装置３７Ａ，３７Ｂが配設されている。第１図柄表示装置３７Ａには、発光手段である複数のＬＥＤ３７Ａａと７セグメント表示器３７Ａｂとが設けられている。他方の第１図柄表示装置３７Ｂもまた同様に、発光手段である複数のＬＥＤ３７Ｂａと７セグメント表示器３７Ｂｂとが設けられている。
【００４６】
第１図柄表示装置３７Ａ，３７Ｂは、主制御装置１１０で行われる各制御に応じた表示がなされるものであり、主にパチンコ機１０の遊技状態の表示が行われる。本実施形態では、これらの第１図柄表示装置３７Ａ，３７Ｂは、球が、第１入球口６４へ入賞したか、第２入球口６４０へ入賞したかに応じて使い分けられるように構成されている。具体的には、球が、第１入球口６４へ入賞した場合には、第１図柄表示装置３７Ａが作動し、一方で、球が、第２入球口６４０へ入賞した場合には、第１図柄表示装置３７Ｂが作動するように構成されている。
【００４７】
複数のＬＥＤ３７Ａａ，３７Ｂａは、いずれも、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すものである。７セグメント表示装置３７Ａｂ，３７Ｂｂは、いずれも、大当たり中のラウンド数やエラー表示を行うものである。なお、ＬＥＤ３７Ａａ，３７Ｂａは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００４８】
尚、本パチンコ機１０では、第１入球口６４及び第２入球口６４０へ入球があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。ＬＥＤ３７Ａａ，３７Ｂａには、変動終了後の停止図柄として抽選の結果が大当たりであるか否かが示されるだけでなく、大当たりである場合はその大当たり種別に応じた図柄が示される。
【００４９】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００５０】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入球口６４０へ球が入球し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入球口６４０へ球が入球し易い遊技の状態のことをいう。一方、パチンコ機１０が通常中とは、確変中でも時短中でもない遊技の状態（大当たり確率も第２図柄の当たり確率もアップしていない状態）である。
【００５１】
確変中や時短中は、第２図柄の当たり確率がアップするだけではなく、第２入球口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入球口６４０へ球が入球しやすい状態となる。よって、確変中や時短中は、第２入球口６４０へ球が入球し易い状態となり、大当たり抽選が行われる回数を増やすことができる。
【００５２】
なお、確変中や時短中において、第２入球口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入球口６４０に付随する電動役物６４０ａが開放される時間および１回の当たりで電動役物６４０ａが開放する回数の少なくとも一方を変更するものとしてもよい。また、確変中や時短中において、第２入球口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００５３】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４及び第２入球口６４０への入球（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６７及び第２スルーゲート６７０の球の通過をトリガとして第２図柄を変動表示するＬＥＤで構成される第２図柄表示装置８３とが設けられている。また、可変表示装置ユニット８０には、第３図柄表示装置８１の外周を囲むようにして、センターフレーム８６が配設されている。
【００５４】
第３図柄表示装置８１は８インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７で行われるのに対して、その第１図柄表示装置３７の表示に応じた装飾的な表示を行うものである。なお、表示装置に代えて、例えばリール等を用いて第３図柄表示装置８１を構成するようにしても良い。
【００５５】
第２図柄表示装置８３は、球が第１スルーゲート６７及び第２スルーゲート６７０を通過する毎に表示図柄（第２図柄）としての「○」の図柄と「×」の図柄とを所定時間交互に点灯させる変動表示を行うものである。パチンコ機１０では、球が第１スルーゲート６７又は第２スルーゲート６７０を通過したことが検出されと、当たり抽選が行われる。その当たり抽選の結果、当たりであれば、第２図柄表示装置８３において、第２図柄の変動表示後に「○」の図柄が停止表示される。また、当たり抽選の結果、外れであれば、第２図柄表示装置８３において、第３図柄の変動表示後に「×」の図柄が停止表示される。
【００５６】
パチンコ機１０は、第２図柄表示装置８３における変動表示が所定図柄（本実施形態においては「○」の図柄）で停止した場合に、第２入球口６４０に付随された電動役物６４０ａが所定時間だけ作動状態となる（開放される）よう構成されている。
【００５７】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入球口６４０の電動役物６４０ａが開放状態となる機会を遊技者に多く与えることができる。よって、確変中および時短中は、第２入球口６４０へ球が入球しやすい状態とすることができる。
【００５８】
なお、確変中または時短中において、当たり確率を高める、１回に当たりに対する電動役物６４０ａの開放時間や開放回数を増やすなど、その他の方法によっても、確変中または時短中に第２入球口６４０へ球が入球しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００５９】
第１スルーゲート６７は、可変表示装置ユニット８０の左方において遊技盤に組み付けられ、遊技盤に発射された球のうち、遊技盤の左方を流下する球の一部が通過可能に構成されている。また、第２スルーゲート６７０は、可変表示装置ユニット８０の右方において遊技盤に組み付けられ、遊技盤に発射された球のうち、遊技盤の右方を流下する球の一部が通過可能に構成されている。第１スルーゲート６７又は第２スルーゲート６７０を球が通過すると、第２図柄の当たり抽選が行われる。当たり抽選の後、第２図柄表示装置８３にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００６０】
球の第１スルーゲート６７及び第２スルーゲート６７０の通過回数は、合計で最大４回まで保留され、その保留球数が上述した第１図柄表示装置３７により表示されると共に第２図柄保留ランプ８４においても点灯表示される。第２図柄保留ランプ８４は、最大保留数分の４つ設けられ、第３図柄表示装置８１の下方に左右対称に配設されている。
【００６１】
なお、第２図柄の変動表示は、本実施形態のように、第２図柄表示装置８３において複数のランプの点灯と非点灯を切り換えることにより行うものの他、第１図柄表示装置３７及び第３図柄表示装置８１の一部を使用して行うようにしても良い。同様に、第２図柄保留ランプ８４の点灯を第３図柄表示装置８１の一部で行うようにしても良い。また、第１スルーゲート６７及び第２スルーゲート６７０の球の通過に対する最大保留球数は４回に限定されるものでなく、３回以下、又は、５回以上の回数（例えば、８回）に設定しても良い。また、第１図柄表示装置３７により保留球数が示されるので、第２図柄保留ランプ８４により点灯表示を行わないものとしてもよい。
【００６２】
可変表示装置ユニット８０の下方には、球が入球し得る第１入球口６４が配設されている。この第１入球口６４へ球が入球すると遊技盤１３の裏面側に設けられる第１入球口スイッチ（図示せず）がオンとなり、その第１入球口スイッチのオンに起因して主制御装置１１０（図４参照）で大当たりの抽選がなされ、その抽選結果に応じた表示が第１図柄表示装置３７ＡのＬＥＤ３７Ａａで示される。
【００６３】
一方、可変表示装置ユニット８０の正面視右方には、球が入球し得る第２入球口６４０が配設されている。この第２入球口６４０へ球が入球すると遊技盤１３の裏面側に設けられる第２入球口スイッチ（図示せず）がオンとなり、その第２入球口スイッチのオンに起因して主制御装置１１０（図４参照）で大当たりの抽選がなされ、その抽選結果に応じた表示が第１図柄表示装置３７ＢのＬＥＤ３７Ｂａで示される。
【００６４】
また、第１入球口６４および第２入球口６４０は、それぞれ、球が入球すると５個の球が賞球として払い出される入賞口の１つにもなっている。なお、本実施形態においては、第１入球口６４へ球が入球した場合に払い出される賞球数と第２入球口６４０へ球が入球した場合に払い出される賞球数とを同じに構成したが、第１入球口６４へ球が入球した場合に払い出される賞球数と第２入球口６４０へ球が入球した場合に払い出される賞球数とを異なる数、例えば、第１入球口６４へ球が入球した場合に払い出される賞球数を３個とし、第２入球口６４０へ球が入球した場合に払い出される賞球数を５個として構成してもよい。
【００６５】
第２入球口６４０には電動役物６４０ａが付随されている。この電動役物６４０ａは開閉可能に構成されており、通常は電動役物６４０ａが閉鎖状態（縮小状態）となって、球が第２入球口６４０へ入球しにくい状態となっている。一方、第１スルーゲート６７及び第２スルーゲート６７０への球の通過を契機として行われる第２図柄の変動表示の結果、「○」の図柄が第２図柄表示装置８３に表示された場合、電動役物６４０ａが開放状態（拡大状態）となり、球が第２入球口６４０へ入球しやすい状態となる。
【００６６】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入球口６４０へ球が入球しやすい状態を作ることができる。
【００６７】
ここで、第１入球口６４に球が入球した場合と第２入球口６４０へ球が入球した場合とで、大当たりとなる確率は、低確率状態であっても高確率状態でも同一である。しかしながら、大当たりとなった場合に選定される大当たりの種別として１５Ｒ確変大当たりとなる確率は、第２入球口６４０へ球が入球した場合のほうが第１入球口６４へ球が入球した場合よりも高く設定されている。一方、第１入球口６４は、第２入球口６４０にあるような電動役物は有しておらず、球が常時入球可能な状態となっている。
【００６８】
よって、通常中においては、第２入球口６４０に付随する電動役物が閉鎖状態にある場合が多く、第２入球口６４０に入球しづらいので、電動役物のない第１入球口６４へ向けて、可変表示装置ユニット８０の左方を球が通過するように球を発射し（所謂「左打ち」）、第１入球口６４への入球によって大当たり抽選の機会を多く得て、大当たりとなることを狙った方が、遊技者にとって有利となる。
【００６９】
一方、確変中や時短中は、第２入球口６４０に付随する電動役物が開放状態となりやすく、第２入球口６４０に入球しやすい状態であるので、第２入球口６４０へ向けて、可変表示装置８０の右方を球が通過するように球を発射し（所謂「右打ち」）、第２入球口６４０への入球によって１５Ｒ確変大当たりとなることを狙った方が、遊技者にとって有利となる。
【００７０】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００７１】
第１入球口６４の下方には第１可変入賞装置６５が配設されており、その略中央部分に横長矩形状の特定入賞口（大開放口）６５ａが設けられている。パチンコ機１０においては、第１入球口６４への入球に起因して行われた大当たり抽選が大当たりとなると、所定時間（変動時間）が経過した後に、大当たりの停止図柄となるよう第１図柄表示装置３７ＡのＬＥＤ３７Ａａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００７２】
また、第２入球口６４０の下方には第２可変入賞装置６５０が配設されており、その略中央部分に横長矩形状の特定入賞口（大開放口）６５０ａが設けられている。パチンコ機１０においては、第２入球口６４０への入球に起因して行われた大当たり抽選が大当たりとなると、所定時間（変動時間）が経過した後に、大当たりの停止図柄となるよう第１図柄表示装置３７ＢのＬＥＤ３７Ｂａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５０ａが、所定時間（例えば、３０秒経過するまで、或いは、球が１０個入賞するまで）開放される。
【００７３】
この特定入賞口６５ａ，６５０ａは、いずれも所定時間が経過すると閉鎖され、その閉鎖後、再度、その特定入賞口６５ａ，６５０ａが所定時間開放される。この特定入賞口６５ａ，６５０ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００７４】
第１可変入賞装置６５及び第２可変入賞装置６５０は、具体的には、特定入賞口６５ａ又は特定入賞口６５０ａを覆う横長矩形状の開閉板と、その開閉板の下辺を軸として前方側に開閉駆動するための大開放口ソレノイド（図示せず）とをいずれも備えている。特定入賞口６５ａ，６５０ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００７５】
なお、上記した形態に特別遊技状態は限定されるものではない。特定入賞口６５ａ，６５０ａとは別に開閉される大開放口を遊技領域に設け、第１図柄表示装置３７Ａ，３７Ｂにおいて大当たりに対応したＬＥＤ３７Ａａ，ＬＥＤ３７Ｂａが点灯した場合に、特定入賞口６５ａ，６５０ａが所定時間開放され、その特定入賞口６５ａ，６５０ａの開放中に、球が特定入賞口６５ａ，６５０ａ内へ入賞することを契機として特定入賞口６５ａ，６５０ａとは別に設けられた大開放口が所定時間、所定回数開放される遊技状態を特別遊技状態として形成するようにしても良い。
【００７６】
遊技盤１３の下側における左右の隅部には、証紙や識別ラベル等を貼着するための貼着スペースＫ１，Ｋ２が設けられ、貼着スペースＫ１に貼られた証紙等は、前面枠１４の小窓３５（図１参照）を通じて視認することができる。
【００７７】
更に、遊技盤１３には、アウト口６６が設けられている。いずれの入賞口６３，６４，６５ａ，６４０，６５０ａにも入球しなかった球はアウト口６６を通って図示しない球排出路へと案内される。遊技盤１３には、球の落下方向を適宜分散、調整等するために多数の釘が植設されているとともに、風車等の各種部材（役物）が配設されている。
【００７８】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００７９】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００８０】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００８１】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００８２】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００８３】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００８４】
次に、図４を参照して、本パチンコ機１０の電気的構成について説明する。図４は、パチンコ機１０の電気的構成を示すブロック図である。
【００８５】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７および第３図柄表示装置８１における表示の設定、第２図柄表示装置８３における表示結果の抽選といったパチンコ機１０の主要な処理を実行する。
【００８６】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００８７】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００８８】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００８９】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７、第２図柄表示装置８３、第２図柄保留ランプ８４、特定入賞口６５ａ，６５０ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００９０】
また、入出力ポート２０５には、図示しないスイッチ群やセンサ群などからなる各種スイッチ２０８や、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００９１】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００９２】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００９３】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００９４】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００９５】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００９６】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、枠ボタン２２などがそれぞれ接続されている。
【００９７】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００９８】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００９９】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【０１００】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【０１０１】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【０１０２】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【０１０３】
次いで、図５から図３２を参照して、ハンドル装置５１の詳細構成について説明する。
【０１０４】
図５（ａ）はハンドル装置５１の上面図であり、図５（ｂ）はハンドル装置５１の正面図である。また、図６は、図５（ａ）の矢印ＶＩ方向視におけるハンドル装置５１の側面図である。なお、図５（ａ）及び図６では、下皿ユニット１５の前面が二点鎖線により模式的に図示される。
【０１０５】
図５及び図６に示すように、ハンドル装置５１は、ハンドル取付台５２０と、ハンドルベース５３０と、ハンドルリング５４０と、前カバー５５０と、ボタン部材５７０と、を主に備え、パチンコ機１０（図１参照）の前面から水平姿勢で突出される。
【０１０６】
ハンドル取付台５２０は、その背面（図５（ａ）左側）が下皿ユニット１５の前面に固着され、ハンドルベース５３０は、ハンドル取付台５２０の前面（図５（ａ）右側）に配設される。これら両部材５２０，５３０は、一方が他方に軸支された状態で連結され、その軸支された部分を中心として、ハンドル取付台５２０に対し、ハンドルベース５３０がハンドルリング５４０と一体となって、上下方向に変位可能とされる（図２３及び図２４（２１）参照）。
【０１０７】
ハンドルベース５３０には、発射停止スイッチ操作部４４０が配設される。発射停止スイッチ操作部４４０は、ハンドルベース５３０の内部に設けられた発射停止スイッチ５１ｂ（図７参照）のオン・オフを切り換えるためのレバーであり、ハンドルベース５３０の左側面（図５（ｂ）左側）から突出した状態で配設される。遊技者は、発射停止スイッチ操作部４４０を押下している間、ハンドルリング５４０の回動操作量（回動位置）にかかわらず、遊技球の発射を停止することができる。
【０１０８】
ハンドルリング５４０は、ハンドルベース５３０の前面（図５（ａ）右側）に回動可能に取り付けられ、ハンドルリング５４０の外周側には、遊技者が指を掛けるための３つの指掛け部５４０ａ，５４０ｂ，５４０ｃが突出して形成される。
【０１０９】
遊技者は、ハンドルリング５４０を、ハンドル装置５１の正面視（図５（ｂ）参照）において、右回り（時計回り）方向（即ち、初期位置から操作終点（最大位置）へ向かう方向）へ回動操作することにより、遊技球の発射強度を増大させることが可能である。即ち、ハンドルリング５４０は、初期位置から操作終点までの区間で回動操作可能とされ、その回動操作の操作量（回動位置）に応じて遊技球の発射強度が調整される。
【０１１０】
この場合、ハンドル装置５１は、ハンドルリング５４０の操作終点の位置が変更可能に形成される。具体的には、本実施形態では、初期位置から最大位置までの中心角（ハンドルリング５４０の回動操作角度）が１２０度とされ、この中心角１２０度の範囲内で操作終点の位置が変更（設定）可能とされる。
【０１１１】
例えば、操作終点の位置が、初期位置との間の中心角が９０度となる位置（即ち、最大位置との間の中心角が３０度となる位置）に変更（設定）された場合には、ハンドルリング５４０が初期位置から操作終点へ向かう方向へ回動操作されると、初期位置から中心角９０度までの区間では通常通りに回動操作が可能とされる一方、初期位置との間の中心角が９０度となる位置（即ち、操作終点）に達すると、ハンドルリング５４０の回動操作が規制される（即ち、ハンドルリング５４０のそれ以上の回動操作ができなくなる）。
【０１１２】
なお、遊技球の発射強度は、上述したように、可変抵抗器の抵抗値（即ち、ハンドルリング５４０の回動操作量）に応じて、設定される。即ち、遊技球の発射強度は、操作終点の位置が変更（設定）されているかに関わらず、ハンドルリング５４０が初期位置から回動操作された操作量（操作位置）に基づいて決定される。よって、操作終点の位置が変更されておらず、初期位置との間の中心角が１２０度となる位置（即ち、最大位置）までハンドルリング５４０の回動操作が可能な場合に、かかるハンドルリング５４０が初期位置から中心角９０度の位置まで回動操作されたときの遊技球の発射強度は、操作終点の位置が、上述のように、初期位置との間の中心角が９０度となる位置に変更（設定）された場合に、ハンドルリング５４０が初期位置から中心角９０度の位置（即ち、操作終点）まで回動操作されたときの遊技球の発射強度と同一の発射強度となる。
【０１１３】
ハンドルリング５４０は、遊技者の回動操作が解除されると、ハンドル付勢ばね５３７（図７参照）の付勢力により、その回動位置が初期位置へ復帰される。この場合、ハンドルリング５４０によれば、ハンドル取付台５２０に対してハンドルベース５３０を、軸支された部分を中心として変位させることで（図２３参照）、ハンドルリング５４０の回動位置を任意の回動位置で固定可能に構成される。即ち、球の発射強度を任意の強度で固定できる。かかるハンドルリング５４０の固定構造については、後述する。
【０１１４】
前カバー５５０は、前方（図５（ａ）及び図６右方向）へ凸となる半球状に形成され、ハンドルリング５４０の前面に取り付けられる。前カバー５５０の頂部には、正面視円形の開口５５０ａが形成され、その開口５５０ａからボタン部材５７０が突出（露出）される。
【０１１５】
また、前カバー５５０には、確認窓５５０ｂが開口形成される。確認窓５５０ｂは、ハンドルリング５４０の操作終点の位置が変更されているか否かを遊技者が確認するための開口であり（図３２参照）、ハンドル装置５１の上面側（図５（ａ）紙面手前側）となる前カバー５５０の外周面において複数個（本実施形態では３個）が所定間隔を隔てつつ周方向に沿って配設される。
【０１１６】
遊技者は、かかる確認窓５５０ｂを介して視認される状態（本実施形態では後述するように視認される色の相違）に基づいて、ハンドルリング５４０の操作終点の位置が変更されているか否か（本実施形態では後述するように黒色が視認される場合には操作終点の位置が変更されておらず、白色が視認される場合には操作終点の位置が変更されている）を識別することができる。なお、かかる確認窓５５０ｂを利用した識別構造については、後述する。
【０１１７】
ボタン部材５７０は、前カバー５５０と同心の半球状に形成され、図５及び図６に示す初期位置（押し込み操作される前の状態）では、前カバー５５０と一体となって１の半球体を形成する一方、押し込み操作されると、前カバー５５０の内部へ向けて没入される（図２６参照）。ここで、ボタン部材５７０は、操作終点の位置の変更（設定）及び解除を行うための操作部材である。
【０１１８】
具体的には、ボタン部材５７０が初期位置から押し込み操作されると、そのボタン部材５７０の押し込み操作が行われた時点でのハンドルリング５４０の操作位置に操作終点の位置が変更（設定）される。例えば、初期位置から最大位置までの中心角１２０度の区間でハンドルリング５４０の回動操作が可能とされた状態（即ち、操作終点の位置が変更されていない状態）において、ハンドルリング５４０が回動操作され、その回動操作の操作量が初期位置から中心角９０度となる位置に達した時点で、ボタン部材５７０が初期位置から押し込み操作されると、初期位置との間の中心角が９０度となる位置に操作終点の位置が変更（設定）される。
【０１１９】
よって、遊技者は、遊技球の発射強度が所望の発射強度となる回動位置（例えば、第１入球口６４へ遊技球を入球させるのに適した左打ち時の回動位置）にハンドルリング５４０の回動位置が調整できた際に、ボタン部材５７０の押し込み操作を行い、ハンドルリング５４０の回動位置に対応する位置に操作終点の位置を変更（設定）しておくことで、例えば、休憩を取るために、ハンドルリング５４０の回動位置を初期位置へ復帰させ遊技を中断した場合であっても、ハンドルリング５４０の回動位置を元の回動位置（即ち、遊技を中断する前の回動位置であって、上述した左打ちに適した回動位置）に調整する場合には、ハンドルリング５４０を操作終点まで回動操作すれば（即ち、操作終点により回動操作が規制されて、それ以上の回動操作ができなくなる位置までハンドルリング５４０を回動操作すれば）、かかるハンドルリング５４０の回動操作の操作量（回動位置）を元の操作量（回動位置）に正確かつ迅速に調整する（元の回動位置を正確かつ迅速に再現する）ことができる。
【０１２０】
例えば、ハンドルリング５４０の回動操作の方向に沿って目盛り線を設ける構造の場合のように、ハンドルリング５４０の操作位置が目標位置（所定の目盛り線）に一致したか否かを、目視により判別しつつ微調整する必要がないので、元の操作位置に正確かつ迅速に調整する（元の操作位置を再現する）ことができる。また、操作終点によりそれ以上の回動操作が規制されることから、目標位置を通り過ぎてハンドルリング５４０を回動操作してしまうこともないため、かかるハンドルリング５４０の操作速度を高めることができ、この点からも元の操作位置に迅速に調整する（元の操作位置を再現する）ことができる。
【０１２１】
なお、ハンドル装置５１によれば、このように、ハンドルリング５４０の前面側には、半球状の前カバー５５０が配設されると共に、その前カバーの頂部側の開口５５０ａからボタン部材５７０が突出されることで、１の半球体を形成するので、ハンドルリング５４０を手指で把持した状態を維持しつつ、手首を返す動作を利用して、ボタン部材５７０を手のひらで容易に押し込み操作することができる。よって、遊技球の発射強度が所望の発射強度となるようにハンドルリング５４０の回動位置（操作量）を調整できた際には、そのハンドルリング５４０の回動位置（操作量）を維持しつつ（即ち、ハンドルリング５４０の回動位置がずれて、遊技球の発射強度が不用意に変化することを抑制しつつ）、ボタン部材５７０を押し込み操作できる。その結果、操作終点の変更（設定）を迅速に行うことができると共に正確な位置に行うことができる。
【０１２２】
操作終点の変更（設定）の解除は、押し込み操作されたボタン部材５７０を、図５及び図６に示すように、初期位置へ復帰させることで実行でき、これにより、ハンドルリング５４０を最大位置まで回動操作することが可能となる。かかるボタン部材５７０の初期位置への復帰構造および操作終点の解除構造については後述する。
【０１２３】
次いで、図７を参照して、ハンドルベース５３０について説明する。図７はハンドル取付台５２０及びハンドルベース５３０の正面斜視図であり、ハンドルリング５４０及び前カバー５５０（いずれも図５及び図６参照）が取り外された状態におけるハンドル装置５１の正面斜視図に対応する。
【０１２４】
図７に示すように、ハンドルベース５３０は、正面視が円形の筒状に形成される外周壁５３１と、その外周壁５３１の一方（背面、図７左奥側）の開口を塞ぐ底壁５３２とを備え、これら両部材５３１，５３２によって、内部が背面側に窪んだ（即ち、前面側が開放された）容器形状に形成される。底壁５３２には、ガイド支柱５３３ａ，５３３ｂ，５３３ｃと、内周壁５３４と、軸受部５３５とがその底壁５３２の前面から前方（前カバー５５０側）へ向けて立設される。
【０１２５】
ガイド支柱５３３ａ〜５３３ｃは、その立設先端に前カバー５５０（図５及び図６参照）が締結固定される部位であり、締結ねじが挿通可能な（即ち、底壁５３２側および立設先端の両端に開口を有する貫通孔が貫通形成された）中空の筒形状に形成される。ガイド支柱５３３ａ〜５３３ｃの貫通孔に底壁５３２側から挿通された締結ねじが、前カバー５５０のねじ台座５５２ａ〜５５２ｃ（図９（ａ）参照）にそれぞれ締結されることで、ハンドルベース５３０の前面に前カバー５５０が固着される。
【０１２６】
内周壁５３４は、正面視円形の筒状に形成され、外周壁５３１との間に一定の間隔を隔てつつ、その外周壁５３１の内周側に同心に配設される。内周壁５３４は、周方向の２ヶ所で分断されており、それら２ヶ所の分断された部位（切り欠き部５３４ａ，５３４ｂ）には、一方に発射停止スイッチ操作部４４０が、他方にハンドル規制部材７００が、それぞれ配設される。
【０１２７】
軸受部５３５は、前方側（底壁５３２と反対側）に開口を有する筒状に形成され、その内周側に切り替え装置６００が回動可能に挿入される（図２５参照）。切り替え装置６００は、ハンドルリング５４０の操作終点の位置を変更（設定）するための部材であり、軸受部５３５に対する切り替え装置６００の相対回動が可能な回動可能状態と相対回動が不可能な係合固定状態との２つの状態に切り替え可能とされる。なお、軸受部５３５の開口側の端面は、軸方向に対して垂直な平坦面として形成される。
【０１２８】
切り替え装置６００には、規制突起部６３０が形成される。規制突起部６３０は、径方向外方へ向けて突出される棒状体であり、ハンドルリング５４０が回動操作される際のハンドル側突起部５４６（図８参照）の移動軌跡上に位置する。よって、ハンドルリング５４０が遊技球の発射強度を増加させる回動方向（正面視右回り（時計方向）であり、以下「増加方向」と称す）へ回動操作されると、ハンドル突起部５４６が規制突起部６３０に当接される。
【０１２９】
この場合、切り替え装置６００の状態が、回動可能状態にある場合には、ハンドル側突起部５４６によって規制突起部６３０が増加方向へ押されることで、切り替え装置６００も軸受部５３５内で増加方向へ回動される。一方、切り替え装置６００の状態が係合固定状態に切り替えられると、切り替え装置６００の軸受部５３５に対する相対回動が不可能とされる（軸受部５３５に固定される）ことで、ハンドル側突起部５４６の増加方向への移動が規制突起部６３０により規制される。これにより、ハンドルリング５４０の増加方向への回動操作が規制される。即ち、切り替え装置６００の状態が回動可能状態から係合固定状態に切り替えられた位置（回動位置）が、ハンドルリング５４０の操作終点の位置とされる。
【０１３０】
なお、ハンドルリング５４０の回動方向であって、遊技球の発射強度を減少させる回動方向を以下「減少方向」と称す。
【０１３１】
切り替え装置６００には、ねじりばねとして形成される切り替え装置付勢ばね５３９から、正面視左回り（反時計回り）方向への付勢力が付与され、その付勢力により初期位置（規制突起部６３０が、初期位置にあるハンドルリング５４０のハンドル側突起部５４６に当接され、切り替え装置６００の回動が規制される位置）に復帰される。
【０１３２】
なお、切り替え装置６００の詳細構成および軸受部５３５に対する係合固定構造については、後述する。また、切り替え装置６００の回動可能状態および規制固定状態の切り替えは、後述するように、ボタン部材５７０の押し込み操作により行われる。
【０１３３】
軸受部５３５の側方には、従動ギヤ５３６が配設される。従動ギヤ５３６は、ハンドルリング５４０の主動ギヤ５４４（図８参照）が歯合されるギヤであり、可変抵抗器（図示せず）の抵抗軸ＶＲａに固着される。よって、従動ギヤ５３６が回動されると、その回動量（回動位置）に応じて、可変抵抗器ＶＲの抵抗値が変化される。
【０１３４】
従動ギヤ５３６には、ねじりばねとして形成されるハンドル付勢ばね５３７から、正面視右回り（時計回り）方向への付勢力が付与され、その付勢力により初期位置（ストッパ部５３６ａが軸受部５３５の外周突起５３５ｂに当接され回動が規制される位置）に復帰される。なお、可変抵抗器は底壁５３２に固着される。
【０１３５】
軸受部５３５の側方であって、従動ギヤ５３６の反対側には、発射停止スイッチ５１ｂが固着される。発射停止スイッチ５１ｂの側方には、揺動可能な揺動片５１ｂ１が突出され、その揺動片５１ｂ１が、発射停止スイッチ操作部４４０により押下されることで、発射停止スイッチ５１ｂがオン・オフされる。
【０１３６】
次いで、図８を参照して、ハンドルリング５４０について説明する。図８は、ハンドルリング５４０の背面斜視図である。
【０１３７】
図８に示すように、ハンドルリング５４０は、ハンドルベース５３０の前面を覆う正面視円形の円板状に形成される円板部５４１と、その円板部５４１の外周縁部から背面側へ向けて立設され正面視が円形の筒状に形成される外周壁５４２と、円板部５４１の中央に背面へ向けて突設する姿勢で固着される主動ギヤ５４４と、その主動ギヤ５４４及び円板部５４１の中央部を板厚方向に貫通して形成される中央孔５４４ａと、その中央孔５４４ａの周囲に沿って円板部５４１を板厚方向に貫通して形成されるガイド孔５４５ａ，５４５ｂと、円板部５４２から背面側へ向けて立設されるハンドル側突起部５４６と、を備える。
【０１３８】
ハンドルリング５４０は、そのハンドルリング５４０の中央孔５４４ａにボタン部材５７０のハンドル軸支体５７４（図１１（ａ）参照）が挿通されることで、ハンドルベース５３０に対して回動可能に保持（軸支）され（図２５参照）、この場合、主動ギヤ５４４が、ハンドルベース５３０の従動ギヤ５３６（図７参照）に歯合される。よって、ハンドルリング５４０が回動操作されると、主動ギヤ５４４を介して従動ギヤ５３６が回動され、その従動ギヤ５３６の回動による抵抗軸ＶＲａの回動が可変抵抗器の抵抗を変化させるので、可変抵抗器の抵抗値（即ち、ハンドルリング５４０の回動操作量）に応じて、球の発射強度を調整できる。
【０１３９】
なお、本実施形態では、軸受部５３５と抵抗軸ＶＲａとの軸方向が互いに平行とされると共にその軸方向に対し従動ギヤ５３６の歯（歯溝）が平行に延設される（図７参照）。また、ハンドルリング５４０の中央孔５４４ａの軸方向に対し主動ギヤ５４４の歯（歯溝）が平行に延設される。
【０１４０】
ガイド孔５４５ａ，５４５ｂは、ガイド支柱５３３ａ〜５３３ｃ（図７参照）を挿通させるために開口された孔であり、それぞれハンドルリング５４０の外縁に沿って湾曲する長穴形状（即ち、中央孔５４４ａの軸を中心とする円環形状を位相が１８０°異なる２ヶ所で分断した形状）に形成される。ガイド孔５４５ａにはガイド支柱５３３ａが挿通され、ガイド孔５４５ｂにはガイド支柱５３３ｂ，５３３ｃが挿通される。
【０１４１】
よって、ガイド支柱５３３ａ及びガイド支柱５３３ｂ，５３３ｃは、ハンドルリング５４０の回動に伴って、ガイド孔５４５ａ及びガイド孔５４５ｂの中をそれぞれ案内される。そのため、ハンドルリング５４０の回動可能な範囲は、ガイド孔５４５ａ，５４５ｂの中をガイド支柱５３３ａ〜５３３ｃが相対的に移動可能な範囲に制限される。詳細には、２本の支柱（ガイド支柱５３３ｂ，５３３ｃ）が挿通されるガイド孔５４５ｂによりハンドルリング５４０の回動範囲が規定され、その回動範囲は、本実施形態では、略９０度（１／４周）となる。
【０１４２】
ハンドル側突起部５４６は、ハンドルリング５４０の回動を切り替え装置６００へ伝達するための部位であり、断面矩形の棒状体として形成される。ハンドルリング５４０が回動操作される際には、ハンドル側突起部５４６の側面が切り替え装置６００の規制突起部６３０の側面に当接され、これら両突起部５４６，６３０を介して、ハンドルリング５４０の回動が切り替え装置６００へ伝達される。
【０１４３】
次いで、図９（ａ）を参照して、前カバー５５０について説明する。図９（ａ）は、前カバー５５０の背面斜視図である。
【０１４４】
図９（ａ）に示すように、前カバー５５０は、内部が前面側に窪んだ（即ち、背面側が開放された）半球の容器形状に形成され、その頂部には、正面視円形の穴である開口５５０ａが開口形成されると共に、内壁面には、ねじ台座５５２ａ〜５５２ｃが背面へ向けて立設される。ねじ台座５５２ａ〜５５２ｃには、ガイド支柱５３３ａ〜５３３ｃ（図７参照）がそれぞれ締結固定される。また、前カバー５５０の内壁面には、開口５５０ａと同じ内径を有する筒状の筒状案内部５５４が回動軸方向に沿って延設される。筒状案内部５５４は、その内周面によりボタン部材５７０の内嵌壁部５７７を回動軸方向へ沿って案内する。
【０１４５】
前カバー５５０および筒状案内部５５４には、確認窓５５０ｂ，５５４ｂがそれぞれ開口形成される。ここで、これら確認窓５５０ｂ，５５４ｂについて、図１０を参照して、説明する。図１０（ａ）は、図９（ａ）の矢印Ｘａ方向視における前カバー５５０の上面図であり、図１０（ｂ）は、図１０（ａ）のＸａ−Ｘａ線における前カバー５５０の部分拡大断面図である。
【０１４６】
図１０（ａ）及び図１０（ｂ）に示すように、前カバー５５０に形成される確認窓５５０ｂは、正面視矩形状の複数（本実施形態では３個）の開口からなり、それら各開口は、前カバー５５０の周方向（図１０（ａ）上下方向）に長手方向を沿わせて一直線上に配設される。筒状案内部５５４に配設される確認窓５５４ｂは、前カバー５５０に形成される確認窓５５０ｂと同一形状に形成される開口であり、図１０（ｂ）に示すように、確認窓５５０ｂに対面する位置に配設される。よって、遊技者は、前カバー５５０の確認窓５５０ｂから内部を視認することで、筒状案内部５５４の確認窓５５４ｂを介して、ボタン部材５７０の外壁面を視認することができる（図３２参照）。
【０１４７】
なお、確認窓５５０ｂ，５５４ｂは、上述したように、確認窓５５０ｂを介して視認される状態に基づいて、ハンドルリング５４０の操作終点の位置が変更されているか否かを確認するための開口である。この場合、確認窓５５０ｂ，５５４ｂは、ハンドル装置５１の組み立て状態において、前カバー５５０の上面側に配設されるので（図５（ａ）参照）、遊技するパチンコ機１０に対面した遊技者が、遊技を開始する際には、かかる確認窓５５０ｂ，５５４ｂを遊技者に容易に視認させることができる。また、確認窓５５０ｂ，５５４ｂは、複数が周方向に沿って配設されるので、遊技者がハンドル装置５１の正面から左右にずれた位置にいる場合でも、かかる確認窓５５０ｂ，５５４ｂを遊技者に確実に視認させることができる。
【０１４８】
図９（ａ）に戻って説明する。前カバー５５０とハンドルリング５４０との間には、ねじりばねとして形成されるハンドル付勢ばね（図示せず）が配設される。このハンドル付勢ばねは、ハンドルリング５４０を正面視において左回り（反時計回り）へ付勢する。この付勢方向は、上述した従動ギヤ５３６を付勢するハンドル付勢ばね５３７が（図７参照）、従動ギヤ５３６及び主動ギヤ５４４を介して、ハンドルリング５４０を付勢する付勢方向と一致する。よって、遊技者がハンドルリング５４０から手を離すと、ハンドルリング５４０は、前カバー５５０とハンドルリング５４０との間に配設される図示しないハンドル付勢ばねと、従動ギヤ５３６を付勢するハンドル付勢ばね５３６との二つのばねの付勢力によって、初期位置へ復帰される。
【０１４９】
前カバー５５０の内壁面には、べース部５５１が配設され、そのベース部５５１の平坦面に案内溝５５３が凹設される。案内溝５５３は、ボタン部材５７０を、第１位置または第２位置の２位置で保持可能な押しボタンスイッチとして機能させるための公知の「ハートカム方式」における溝である。なお、案内溝５５３については、後述する（図９（ｂ）参照）。
【０１５０】
次いで、ボタン部材５７０について説明する。図１１は、ボタン部材５７０の背面斜視図であり、図１２は、ハンドル軸支体５７４と軸体５７３との連結構造を図示するボタン部材５７０の分解斜視図である。
【０１５１】
図１１及び図１２に示すように、ボタン部材５７０は、ボタン部材５７０の前面を形成する操作部５７１と、その操作部５７１の背面中央から突設される背面ベース５７２と、その背面ベース５７２から延設される軸体５７３と、その軸体５７３の延設先端に回動可能に取着されると共に円柱状に形成されるハンドル軸支体５７４と、そのハンドル軸支体５７４の端面に配設される連結軸５７５及び押し込み片５７６と、操作部５７１の背面から突設される筒状の内嵌壁部５７７と、背面ベース５７２の外面に配設される案内ピン片５７８とを備え、操作部５７１、背面ベース５７２、軸体５７３、ハンドル軸支体５７４、連結軸５７５及び内嵌壁部５７７が同心に配設される。
【０１５２】
操作部５７１は、球体の一部を切断した形状に形成され、前カバー５５０の開口５５０ａ（図９（ａ）参照）から突出されることで、遊技者によって押し込み操作可能な球状の被操作部分を形成する（図２５から図２７参照）。
【０１５３】
背面ベース５７２は、ボタン付勢ばね５９０（図２５から図２７参照）の座面を形成する部位である。即ち、ボタン付勢ばね５９０は、コイルスプリングとして形成され、その内周側に軸体５７３やハンドル軸支体５７４を挿通させつつ、ハンドルリング５４０の前面側と背面ベース５７２の背面側との間に軸方向に弾性的に圧縮された状態で配設される。これにより、ボタン部材５７０は、ボタン付勢ばね５９０の弾性回復力により、ハンドルリング５４０から離間する方向へ常に付勢される。
【０１５４】
軸体５７３は、断面円形の軸状の軸状部５７３ａと、その軸状部５７３ａの先端に配設されると共に軸状部５７３ａよりも大径の球状に形成される球状部５７３ｂとを備える。なお、操作部５７１は、ベース部５７２、軸体５７３及び内嵌壁部５７７と樹脂材料から一体に形成される。
【０１５５】
ハンドル軸支体５７４は、ハンドルリング５４０を回動可能に軸支するための円柱形状の部位であり、ハンドルリング５４０の中央孔５４４ａに挿通される（図２５から図２７参照）。即ち、ハンドル軸支体５７４の外径寸法は、ハンドルリング５４０の中央孔５４４ａの内径寸法よりも若干小さな寸法に設定されており、ハンドル軸支体５７４が中央孔５４４ａに挿通されることで、ハンドルリング５４０がハンドル軸支体５７４に回動可能に軸支される。
【０１５６】
なお、ハンドル軸支体５７４は、軸を含む平面で円柱形状を２分割してなる２つの部材を貼り合わせて形成される。これら２つの部材には、軸体５７３の球状部５７３ｂを受け入れる空間となる球受入部５７４ｂと、軸体５７３の軸状部５７３ａを受け入れると共に球状部５７３ｂが通過不可能な空間となる軸受入部５７４ａとが形成される。これにより、ハンドル軸支体５７４は、軸体５７３に対して、軸まわりに回動可能、かつ、軸方向に移動不能な状態で装着される。
【０１５７】
これにより、後述するように、ハンドルリング５４０の回動操作に伴って、切り替え装置６００が回動される際には、ハンドル軸支体５７４のみを軸体５７３から独立して回動させることができ、被操作部分となる操作部５７１が回動されることを抑制できる。即ち、遊技者がハンドルリング５４０を回動操作する際に、その遊技者の手の平の中で操作部５７１が回動して遊技者に違和感を与えることを抑制できる。
【０１５８】
連結軸５７５は、切り替え装置６００の連結孔６２０に挿通される断面台形状の軸体として形成される部位であり（図２５から図２７参照）、ハンドル軸支体５７４の軸上で延設される（即ち、ハンドル軸支体５７４と同心に形成される）。切り替え装置６００の連結孔６２０は、連結軸５７５の外形形状に対応した断面台形状の孔として形成され、これにより、連結軸５７５は、切り替え装置６００の連結孔６２０に対して、軸方向へ相対移動可能かつ周方向へ相対回動不能に結合される。
【０１５９】
また、連結軸５７５が断面台形状の軸体として形成されることで、連結軸５７５と連結孔６２０とを相対回動不能に結合できることに加え、両者の回動方向位置（位相）の位置決めを行う（両者が結合可能な位相を１ヶ所のみに規制する）ことができる。即ち、ハンドル装置５１の組み立て工程においては、押し込み片５７６の回動方向位置を、切り替え装置６００の逃げ空間６６１に一致させた上で、連結軸５７５と連結孔６２０とを結合させる必要があるところ（図２５から図２７参照）、本実施形態では、連結軸５７５と連結孔６２０との回動方向位置（位相）が１ヶ所に位置決めされるので、回動方向位置を間違えて（押し込み片５７６の回動方向位置が切り替え装置６００の逃げ空間６６１に一致しない状態で）結合することを回避できる。その結果、組み立て作業の効率化と組み立て不良の抑制とを図ることができる。
【０１６０】
押し込み片５７６は、切り替え装置６００の噛み込み球体６７０ａ，６７０ｂを噛み込み空間６５１内へ押し込むための部位であり（図１５及び図２６参照）、連結軸５７５の側方においてハンドル軸支体５７４の軸に沿って延設されると共に、切り替え装置６００の噛み込み空間６５１に対応する断面形状（即ち、噛み込み空間６５１内に挿通可能な形状）を有する板状に形成される。これにより、ボタン部材５７０が押し込み操作されると、押し込み片５７６の延設先端面により噛み込み球体６７０ａ，６７０ｂが噛み込み空間６５１内へ押し込まれる。
【０１６１】
なお、連結軸５７５及び押し込み片５７６は、ハンドル軸支体５７４に一体に形成される。また、上述したように、ボタン部材５７０は、その連結軸５７５が切り替え装置６００の連結孔６２０に相対回動不能に結合される。よって、ハンドル軸支体５７４と切り替え装置６００とは、連結軸５７５及び連結孔６２０の結合を介して、一体的に回動されるので、押し込み片５７６と逃げ空間６６１との位相を常に一致させた状態を維持できる。即ち、切り替え装置６００がハンドルベース５３０（軸受部５３５）に対してどのような回動位置（位相）に回動されている場合であっても、ボタン部材５７０を押し込み操作した場合には、押し込み片５７６により切替え装置６００の噛み込み球体６７０ａ，６７０ｂを噛み込み空間６５１内へ押し込むことができる。
【０１６２】
内嵌壁部５７７は、ボタン部材５７０を前カバー５５０に対して軸方向へ相対移動可能に保持させるための筒状の部位であり、前カバー５５０の筒状案内部５５４に挿通される（図２５から図２７参照）。即ち、内嵌壁部５７７の外径寸法は、前カバー５５０の筒状案内部５５４の内径寸法よりも若干小さな寸法に設定されており、内嵌壁部５７７が筒状案内部５５４に挿通されることで、ボタン部材５７０が前カバー５５０に回動可能かつ軸方向に移動可能に保持（軸支）される。
【０１６３】
よって、ボタン部材５７０は、上述したように、連結軸５７５が、切り替え装置６００（即ち、連結軸５７５及び連結孔６２０の結合）を介して、ハンドルベース５３０の軸受部５３５に保持されると共に、内嵌壁部５７７が前カバー５５０の筒状案内部５５４に保持される。即ち、ボタン部材５７０は、固定系となるハンドルベース５３０及び前カバー５５０に対し、軸方向に離間した２ヶ所で保持されるので、かかるボタン部材５７０をがたつかせることなく安定した状態で保持でき、その結果、スムーズな押し込み操作を達成できる。
【０１６４】
ここで、内嵌壁部５７７の外周面は、操作部５７１の外周面と異なる色により形成される。具体的には、本実施形態では、内嵌壁部５７７の外周面が黒色に形成される一方、操作部５７１の外周面が白色に形成される。そのため、ボタン部材５７０が第１位置（初期位置）にある状態では、前カバー５５０の確認窓５５０ｂを介して内嵌壁部５７７の外周面（黒色）を遊技者に視認させる一方（図３２（ａ）参照）、ボタン部材５７０が第２位置（押し込み操作された位置）にある状態では、前カバー５５０の確認窓５５０ｂを介して操作部５７１の外周面（白色）を遊技者に視認させることができる（図３２（ｂ）参照）。これにより、遊技者は、かかる確認窓５５０ｂを介して視認される色の相違に基づいて、ボタン部材５７０が第１位置または第２位置のいずれの位置に配置されているか（即ち、ハンドルリング５４０の操作終点の位置が変更されているか否か）を容易に識別することができる。
【０１６５】
案内ピン片５７８は、前カバー５５０のベース部５５１に形成される案内溝５５３（図９（ａ）及び図９（ｂ）参照）に案内される部材であり、金属材料からなる断面円形の棒状体を折り曲げて形成される。案内ピン片５７８は、背面ベース５７２に回動可能に埋設される基端部分と、その基端部分からボタン部材５７０の軸方向（即ち、押し込み操作の方向）へ延設される本体部分と、その本体部分の先端側をボタン部材５７０の径方向外方へ向けて９０度折り曲げて形成される先端部分とからなり、その先端部分が案内溝５５３に９０度の角度で接する。
【０１６６】
ボタン部材５７０が押し込み操作されると、上述したように、案内ピン片５７８が案内溝５５３（図９（ａ）及び図９（ｂ）参照）を移動することで、ボタン部材５７０の押し込み位置が第１位置または第２位置に切り替えられる。ここで、図９（ｂ）に戻って、案内ピン片５７８が案内溝５５３に案内されることで、ボタン部材５７０が第１位置または第２位置に保持される構造を説明する。
【０１６７】
図９（ｂ）は、案内溝５５３の正面図である。なお、図９（ｂ）では、図９（ｂ）右側がボタン部材５７０の操作部５７１側に、図９（ｂ）左側がハンドルリング５４０側に、それぞれ対応する。
【０１６８】
図９（ｂ）に示すように、案内溝５５３は、ボタン部材５７０の案内ピン片５７８（図１１参照）を案内するための凹溝であり、正面視ハート形状をなす周回経路として形成されると共に、その経路中には複数の段差が方向性を有して形成される。
【０１６９】
この案内溝５５３に沿って案内ピン片５７８が移動する（案内される）ことで、ボタン部材５７０が第１位置または第２位置のいずれかで保持される（図２５及び図２６参照）。また、第２位置から第１位置へ復帰する過程では、遊技者により押し込まれた状態に維持されている間のみボタン部材５７０が第３位置に保持される（図２７参照）。
【０１７０】
具体的には、案内ピン片５７８が位置Ｐ１に位置する状態では、ボタン部材５７０は第１位置に位置する。この状態では、案内ピン片５７８は、ボタン付勢ばね５９０（図２５から図２７参照）の付勢力（上述したように、ボタン部材５７０をハンドルリング５４０から離間する方向（図９（ｂ）右方向）へ付勢する力）により、案内溝５５３の壁部５５３ａに押し付けられ、位置Ｐ１に維持される。
【０１７１】
第１位置にあるボタン部材５７０が押し込み操作されると、案内ピン片５７８が案内溝５５３の形状に沿って案内され（経路Ｌ１）、第１の段差の終端５５３ｂを乗り越えた後、壁部５５３ｃに突き当たる。これにより、ボタン部材５７０の押し込み操作が不能となる。よって、遊技者がボタン部材５７０から手を離し、押し込み方向への操作力が解除される。
【０１７２】
これにより、案内ピン片５７８は、ボタン付勢ばね５９０の付勢力により、案内溝５５３の形状に沿って案内され（経路Ｌ２）、第２の段差の終端５５３ｄを乗り越えた後、壁部５５３ｅに突き当たることで、位置Ｐ２に位置される。この場合、案内ピン片５７８は、ボタン付勢ばね５９０の付勢力により、案内溝５５３の壁部５５３ｅに押し付けられることで、位置Ｐ２に維持される。その結果、ボタン部材５７０が第２位置に設定（保持）される。
【０１７３】
第２位置にあるボタン部材５７０が押し込み操作されると、案内ピン片５７８が案内溝５５３の形状に沿って案内され（経路Ｌ３）、第３の段差の終端５５３ｆを乗り越えた後、壁部５５３ｇに突き当たる（位置Ｐ３）。これにより、ボタン部材５７０の押し込み操作が不能となる。よって、遊技者がボタン部材５７０から手を離し、押し込み方向への操作力が解除される。
【０１７４】
これにより、案内ピン片５７８は、ボタン付勢ばね５９０の付勢力により、案内溝５５３の形状に沿って案内され（経路Ｌ４）、第４の段差の終端５５３ｈを乗り越えた後、壁部５５３ａに突き当たることで、位置Ｐ１に位置される。この場合、案内ピン片５７８は、ボタン付勢ばね５９０の付勢力により、案内溝５５３の壁部５５３ａに押し付けられることで、位置Ｐ１に維持される。その結果、ボタン部材５７０が第１位置に設定（保持）される。即ち、案内ピン片５７８が案内溝５５３（ハート形状の周回経路）を１周することで、ボタン部材５７０が第１位置に復帰される。
【０１７５】
なお、第２位置にあるボタン部材５７０が押し込み操作され、案内ピン片５７８が壁部５５３ｇに突き当てられ、位置Ｐ３にある状態が、ボタン部材５７０の第３位置とされる。即ち、第３位置は、第２位置にあるボタン部材５７０が、ボタン付勢ばね５９０の付勢力に抗しつつ、押し込み可能な位置（位置Ｐ３）まで遊技者により押し込まれている間（即ち、案内ピン片５７８が壁部５５３ｇに突き当てられている状態が維持されている間）だけ形成される。
【０１７６】
この場合、ボタン部材５７０の押し込み片５７６は、第１位置では、切り替え装置６００の噛み込み球体６７０ａ，６７０ｂを噛み込み空間６５１から逃げ面空間７６１へ退避させる位置に、第２位置および第３位置では、切り替え装置６００の噛み込み球体６７０ａ，６７０ｂを噛み込み空間６５１に押し込む位置に、それぞれ配置される（図２５から図２７参照）。
【０１７７】
次いで、図１３から図１５を参照して、切り替え装置６００について説明する。まず、図１３及び図１４を参照して、切替え装置６００の基本構成について説明する。
【０１７８】
図１３（ａ）は、切り替え装置６００の正面図であり、図１３（ｂ）は、図１３（ａ）の矢印ＸＩＩＩｂ方向視における切り替え装置６００の側面図である。図１４（ａ）は、図１３（ａ）のＸＩＶａ−ＸＩＶａ線における切り替え装置６００の断面図であり、図１４（ｂ）は、図１３（ａ）の矢印ＸＩＶｂ方向視における切り替え装置６００の側面図である。なお、図１３及び図１４では、噛み込み球体６７０ａ，６７０ｂ、押し込み側付勢ばね６８０及び噛み込み側付勢ばね６９０の図示が省略される。
【０１７９】
図１３及び図１４に示すように、切り替え装置６００は、本体部６１０と、その本体部６１０に貫通形成される連結孔６２０と、本体部６１０の外周面から径方向外方へ向けて突出される規制突起部６３０及びばね受け部６４０と、本体部６１０の外周面を凹設して形成される噛み込み面６５０及び逃げ面６６０とを備える。
【０１８０】
本体部６１０は、切り替え装置６００の骨格をなす部位であり、円柱状に形成される。本体部６１０の外径寸法は、ハンドルベース５３０の軸受部５３５（図７参照）の内径寸法よりも若干小さな寸法に設定される。よって、本体部６１０は、ハンドルベース５３０の軸受部５３５へ挿通されることで、その軸受部５３５内に回動可能に保持される（図２５参照）。
【０１８１】
連結孔６２０は、ボタン部材５７０の連結軸５７５（図１１参照）が結合される貫通孔であり、本体部６１０の軸上に（即ち、本体部６１０と同心の孔として）貫通形成される。連結孔６２０の断面形状は、ボタン部材５７０の連結軸５７５に対応する形状（台形状）に形成され、これにより、連結軸５７５が、上述したように、軸方向へ相対移動可能かつ周方向へ相対回動不能に結合される。
【０１８２】
また、上述したように、連結孔６２０と連結軸５７５との断面形状が台形状とされることで、両者の回動方向位置（位相）の位置決めを行う（両者が結合可能な位相を１ヶ所のみに規制する）ことができる。即ち、ハンドル装置５１の組み立て工程において、押し込み片５７６の回動方向位置を、切り替え装置６００の逃げ空間６６１に一致させた上で、連結軸５７５と連結孔６２０とを結合させる必要があるところ（図２５から図２７参照）、本実施形態では、連結軸５７５と連結孔６２０との回動方向位置（位相）が１ヶ所に位置決めされるので、回動方向位置を間違えて（ボタン部材５７０の押し込み片５７６の回動方向位置が逃げ空間６６１に一致しない状態で）結合することを回避できる。その結果、組み立て作業の効率化と組み立て不良の抑制とを図ることができる。
【０１８３】
規制突起部６３０は、ハンドルリング５４０のハンドル側突起部５４６に当接される部位であり、断面矩形の棒状体として形成される。ばね受け部６４０は、切り替え装置付勢ばね５３９（図７参照）から作用する付勢力を受けるための座面となる部位である。
【０１８４】
これら規制突起部６３０及びばね受け部６４０は、本体部６１０の軸方向（図１３（ｂ）上下方向）において、正面側（前面側、図１３（ｂ）上側）に位置すると共に、それら規制突起部６３０及びばね受け部６４０の背面（図１３（ｂ）下側の面）は、互いに面一な（即ち、本体部６１０の軸方向における位置が同一の）平坦面として形成される。これにより、切り替え装置６００がハンドルベース５３０の軸受部５３５に挿通された状態では、規制突起部６３０及びばね受け部６４０の背面が軸受部５３５の開口側の端面に当接することで、切替え装置６００（本体部６１０）の軸方向の位置決めを行うことができる（図１５参照）。また、これら規制突起部６３０及びばね受け部６４０は、周方向に間隔を隔てて配設されるので、軸受部５３５の開口側の端面に対して、切り替え装置６００（本体部６１０）を２ヶ所で支持させることができ、その分、切り替え装置６００を軸受部５３５内で安定して回動させることができる。
【０１８５】
噛み込み面６５０は、ハンドルベース５３０の軸受部５３０の内周面との間で噛み込み球体６７０ａ，６７０ｂを噛み込ませることで、軸受部５３５に対して切り替え装置６００（本体部６１０）を相対回動不能な状態（係合固定状態）とするための部位であり（図１５（ｂ）及び図１５（ｄ）参照）、逃げ面６６０は、ハンドルベース５３０における軸受部５３０の内周面との間で噛み込み球体６７０ａ，６７０ｂを噛み込み不能として、軸受部５３５に対して切り替え装置６００（本体部６１０）を相対回動可能な状態（回動可能状態）とするための部位である（図１５（ａ）及び図１５（ｃ）参照）。
【０１８６】
噛み込み面６５０及び逃げ面６６０は、図１３（ａ）に示すように、本体部６１０の外周面を正面視コ字状に凹設することで形成される凹部の一部（凹部の底面）をなす面であり、噛み込み面６５０は、本体部６１０の軸（図１４（ａ）上下方向）に平行な平坦面として形成され、逃げ面６６０は、噛み込み面６５０の上端（図１４（ａ）上側）に連設されると共にその連設部分から離間するに従って本体部６１０の軸に近接する方向へ傾斜する平坦面として形成される。
【０１８７】
よって、噛み込み面６５０に対応して形成される噛み込み空間６５１（即ち、噛み込み面６５０とハンドルベース５３０における軸受部５３５の内周面との対向間に形成される空間）は、本体部６１０の軸方向に沿って同一の断面形状を有する空間として形成される。この場合、噛み込み空間６５１では、図１３（ａ）に示す正面視において、軸受部５３５の内周面と噛み込み面６５０との対向間には、周方向に漸減する隙間が両端に形成される（図１５（ｃ）又は図１５（ｄ）参照）。
【０１８８】
また、逃げ面６６０に対応して形成される逃げ空間６６１（即ち、逃げ面６６０とハンドルベース５３０における軸受部５３５の内周面との対向間に形成される空間）は、噛み込み空間６５１から離間するに従って断面積が大きくなる空間として形成される。即ち、軸受部５３５の内周面と噛み込み面６５０との対向間の間隔が、噛み込み空間６５１から離間するに従って増加される。（図１５（ｃ）又は図１５（ｄ）参照）
次いで、図１５を参照して、切り替え装置６００の回動可能状態および規制固定状態とそれら両状態の切り替え構造とについて説明する。
【０１８９】
図１５（ａ）及び図１５（ｂ）は、切り替え装置６００の断面図であり、図１３（ａ）のＸＩＶａ−ＸＩＶａ線における断面に対応する。図１５（ｃ）は、図１５（ａ）の矢印ＸＶｃ方向視における切り替え装置６００の正面図であり、図１５（ｄ）は、図１５（ｂ）の矢印ＸＶｄ方向視における切り替え装置６００の正面図である。
【０１９０】
なお、図１５では、切り替え装置６００がハンドルベース５３０の軸受部５３５に装着（挿通）された状態が図示される。また、図１５（ａ）及び図１５（ｃ）では、噛み込み球体６７０ａ，６７０ｂが逃げ空間６６１に配置された状態が、図１５（ｂ）及び図１５（ｄ）では、噛み込み球体６７０ａ，６７０ｂが噛み込み空間６５１に配置された状態が、それぞれ図示される。
【０１９１】
図１５に示すように、切り替え装置６００は、噛み込み球体６７０ａ，６７０ｂ、押し込み側付勢ばね６８０及び噛み込み側付勢ばね６９０を備え、これらが噛み込み空間６５１又は逃げ空間６６１に配設される。噛み込み球体６７０ａ，６７０ｂは、球状に形成される部材であり、その球体の直径寸法は、噛み込み空間６５１内に配置された場合には、軸受部５３５の内周面と噛み込み面６５０との対向間であって周方向に漸減する両端の隙間に噛み込み可能な直径寸法に設定される。なお、球体は、軸受部５３５の内周面と噛み込み面６５０との対向間であって周方向中央側の隙間に移動した場合には、その隙間との間に噛み込み状態が形成されず、転動可能な直径寸法に設定される。
【０１９２】
押し込み側付勢ばね６８０は、噛み込み空間６５１の終端（逃げ空間６６１と反対側の壁部）と噛み込み球体６７０ａ，６７０ｂとの間に弾性的に圧縮された状態で介在され、その弾性回復力により、噛み込み球体６７０ａ，６７０ｂを本体部６１０の軸方向へ押し上げる。これにより、噛み込み球体６７０ａ，６７０ｂは、ボタン部材５７０の押し込み片５７６により押し込まれていない状態では（図２５参照）、図１５（ａ）及び図１５（ｃ）に示すように、逃げ空間６６１に配置される一方、ボタン部材５７０の押し込み片５７６により押し込まれている状態では（図２６参照）、図１５（ｂ）及び図１５（ｄ）に示すように、噛み込み空間６５１に配置される。
【０１９３】
噛み込み側付勢ばね６９０は、噛み込み球体６７０ａ，６７０ｂの間に弾性的に圧縮された状態で介在され、その弾性回復力により、噛み込み球体６７０ａ，６７０ｂを相互に離間する方向へ向けて付勢する。これにより、噛み込み球体６７０ａ，６７０ｂは、図１５（ｂ）及び図１５（ｄ）に示すように、噛み込み空間６５１に配置される場合には、軸受部５３５の内周面と噛み込み面６５０との対向間であって周方向に漸減する隙間に噛み込まれる。
【０１９４】
このように構成される切り替え装置６００の作用を説明する。図１５（ａ）及び図１５（ｃ）に示すように、噛み込み球体６７０ａ，６７０ｂが逃げ空間６６１に配置された状態（即ち、ボタン部材５７０の押し込み片５７６により噛み込み球体６７０ａ，６７０ｂが噛み込み空間６５１内に押し込まれていない状態（図２５参照））では、軸受部５３５の内周面と噛み込み面６５０との対向間の隙間と噛み込み球体６７０ａ，６７０ｂとの噛み込みが形成されないので、切り替え装置６００（本体部６１０）は、回動可能状態に設定され、図１５（ｃ）に示す矢印Ａ，Ｂのいずれの方向へも軸受部５３５に対して相対的に回動可能とされる。
【０１９５】
一方、図１５（ｂ）及び図１５（ｄ）に示すように、噛み込み球体６７０ａ，６７０ｂが噛み込み空間６５１に配置された状態（即ち、ボタン部材５７０の押し込み片５７６により噛み込み球体６７０ａ，６７０ｂが噛み込み空間６５１内に押し込まれている状態（図２６参照））では、噛み込み側付勢ばね６９０の付勢力により、軸受部５３５の内周面と噛み込み面６５０との対向間であって周方向に漸減する隙間に噛み込み球体６７０ａ，６７０ｂが噛み込まれているので、切り替え装置６００が係合固定状態に設定され、軸受部５３５に対する切り替え装置６００（本体部６１０）の回動が、次のようにして、阻止（固定）される。
【０１９６】
即ち、切替え装置６００（本体部６１０）が図１５（ｄ）に示す矢印Ａ方向へ回動しようとする場合には、本体部６１０の回動方向後方側（回動方向遅れ側）となる噛み込み面６５０の周方向端部（図１５（ｄ）下側）が、軸受部５３５の内周面との対向間に噛み込み球体６７０ｂを更に噛み込ませるように作用し、これにより、軸受部５３５に対する切り替え装置６００（本体部６１０）の矢印Ａ方向への相対的な回動が阻止される。
【０１９７】
同様に、切替え装置６００（本体部６１０）が図１５（ｄ）に示す矢印Ｂ方向へ回動しようとする場合には、本体部６１０の回動方向後方側（回動方向遅れ側）となる噛み込み面６５０の周方向端部（図１５（ｄ）上側）が、軸受部５３５の内周面との対向間に噛み込み球体６７０ａを更に噛み込ませるように作用し、これにより、軸受部５３５に対する切り替え装置６００（本体部６１０）の矢印Ｂ方向への相対的な回動が阻止される。
【０１９８】
次いで、図１６を参照して、ボス部材５６０について説明する。図１６は、ハンドルベース５３０の背面斜視図である。なお、図１６では、可変抵抗器や発射停止スイッチ操作部４４０などが取り外された状態が図示されると共に、軸５６３と軸受５２３との位置関係が二点鎖線を用いて模式的に図示される。
【０１９９】
図１６に示すように、ボス部材５６０は、ハンドル取付台５２０に対してハンドルベース５３０を、軸支された部分を中心として、変位可能に連結するための部材であり、ハンドルベース５３０の背面から突設される。即ち、後述するように、ハンドル取付台５２０には軸受５２３が形成されると共に、ボス部材５６０には軸５６３が形成され、軸受５２３に軸５６３が回動可能に軸支されることで、その軸支された部分を中心（支点）として、ハンドル取付台５２０に対してハンドルベース５３０が変位可能とされる。なお、軸支された部分を中心（支点）とするハンドルベース５３０のハンドル取付台５２０に対する変位を「揺動」または「回動」と表現しても良い。
【０２００】
ボス部材５６０は、ハンドルベース５３０の背面（底壁５３２）に締結固定される平板状の基部５６１と、その基部５６１から背面へ向けて突出され断面円形の棒状に形成される突出部５６２と、その突出部５６２の外側面から左右へ向けて一対が張り出される軸状の軸５６３と、突出部５６２の突出先端における下面に配設されるハーネスガイド５６４とを主に備えて構成される。
【０２０１】
突出部５６２の上面には、基部５６１（軸５６３）から離間する（即ち、ハーネスガイド５６４側へ向かう）に従って下降傾斜される傾斜面５６２ａが形成される。ここで、ボス部材５６０の突出部５６２は、ハンドル取付台５２０に対するハンドルベース５３０の軸支部分（軸５６３及び軸受５２３）を中心とする変位に伴い、軸５６３よりも突出先端側（ハーネスガイド５６４側）の部位が上方へ向けて変位される部位であるため（図２３及び図２４参照）、上方に位置する他の部材（即ち、ハンドル取付台５２０内に配設されるスイッチ、ＩＣ装置、ハーネス、或いは、ハンドル取付台５２０に一体に形成される補強リブ５２６など）との干渉を避ける必要がある。
【０２０２】
この場合、他の部材の配設位置を上方へ移動させるのでは、その分、ハンドル取付台５２０の大型化を招くところ、突出部５６２の上面に傾斜面５６２ａを形成することで、ハンドル取付台５２０の小型化を図りつつ、他の部材と突出部５６２との干渉を回避できる。特に、傾斜面５６２ａが上述のように軸５６３から離間するに従って下降傾斜する傾斜面として形成されることで、変位量が大きい突出先端側ほど逃げ量を大きくして、他の部材との干渉を効果的に回避しつつ、変位量が小さい軸５６３側では突出部５６２の切除量を最小として、突出部５６２の剛性を確保することができる。
【０２０３】
突出部５６２の突出先端には、ベース付勢ばねＳＰ（図１９参照）を保持するための一対のガイド壁５６２ｂが立設される。このように、一対のガイド壁５６２ａの間でベース付勢ばねＳＰを保持する構造とすることで、構造を簡素化して、部品コストの削減を図ることができると共に、ベース付勢ばねＳＰを組み付ける際の組み付け性の向上を図ることができる。なお、ガイド壁５６２ｂの対向間に位置する突出部５６２の上面は、背面視において円弧状に湾曲して形成され、ベース付勢ばねＳＰをスムーズに弾性変形させることができる。
【０２０４】
ハーネスガイド５６４は、電気的な配線をガイドするための部材であり、背面視において枠状に形成される。ハンドルベース５３０内から底壁５３２の開口を介してハンドル取付台５２０内に入り込む配線（発射停止スイッチ５１ｂの配線など）やハンドル取付台５２０内に存在する配線（可変抵抗器の配線など）を、ハーネスガイド５６４の枠内に収容する（枠内を通過させる）ことで、ハンドルベース５３０が軸支部分（軸５６３及び軸受５２３）を中心として変位される際に、突出部５６２の上面、或いは、ハーネスガイド５６４の下面と、他の部材やハンドル取付台５２０の内壁面との間に配線を挟み込んで、断線させてしまうことを回避することができる。
【０２０５】
なお、突出部５６２の上面からガイド壁５６２ｂを突出させることは、他の部材やハンドル取付台５２０との間で配線を挟み込む可能性を高める。本実施形態では、ハーネスガイド５６４を設け、このハーネスガイド５６４の枠内を通過させることで、配線の挟み込み（断線）を抑制することが可能となっている。これにより、突出部５６２の上面にガイド壁５６２ｂを突出させることが可能となり、ベース付勢ばねＳＰを保持する構造の簡素化とその組み付け性の向上とを図ることができる。
【０２０６】
ハンドルベース５３０の背面（底壁５３２）には、合わせ面部５３２ａが形成される。合わせ面部５３２ａは、ハンドル取付台５２０の上合わせ面部５２７（及び下合わせ面部５２８）が当接される部位であり、ボス部材５６０の基部５６１の周囲を取り囲む縦長の円環状の領域に、全体が面一の平坦面として形成される。
【０２０７】
次いで、図１７及び図１８を参照して、ハンドル取付台５２０について説明する。図１７はハンドル取付台５２０の分解状態における斜視図である。図１８（ａ）はハンドル取付台５２０の組み立て状態における斜視図であり、図１８（ｂ）は第１本体５２０ａの内側面図である。
【０２０８】
図１７及び図１８に示すように、ハンドル取付台５２０は、縦長の筒状体として形成され、第１本体５２０ａと第２本体５２０ｂとに縦に２分割される。これら第１本体５２０ａ及び第２本体５２０ｂの合わせ面には、位置決め突起５２１ａが一方から突設されると共に、その位置決め突起５２１ａを受け入れて位置決めを行うための位置決め孔５２１ｂが他方の対応する位置に凹設される。同様に、締結ねじを挿通させるための挿通孔５２２ａが一方に貫通形成されると共に、その挿通孔５２２ａを挿通された締結ねじが締結されることで第１本体５２０ａ及び第２本体５２０ｂを締結固定するための締結孔５２２ｂが他方の対応する位置に凹設される。
【０２０９】
第１本体５２０ａ及び第２本体５２０ｂの内壁面には、軸受５２３と、係止爪部５２４と、収容凹部５２５と、補強リブ５２６とがそれぞれ形成される。軸受５２３は、ボス部材５６０の軸５６３を回動可能に軸支するための軸受部（凹部）であり、一対が対向して配設される。係止爪部５２４は、ベース付勢ばねＳＰの端部を係止するための部位であり（図１２参照）、背面へ向けて張り出しつつ下方に折れ曲がるフック状に形成される。
【０２１０】
収納凹部５２５及び補強リブ５２６は、第１本体５２０ａ及び第２本体５２０ｂの一方および他方の対向する位置に配設される部位である。即ち、収納凹部５２５は、ＩＣ装置などの部品を収容して保持するための凹部であり、その収容する部品の外形に対応する形状に形成され、補強リブ５２６は、内壁面から収納凹部５２５へ向けて突設され、その突設先端により、収納凹部５２５に収納された部品を押圧することで、ハンドル取付台５２０全体としての剛性を高める。
【０２１１】
第１本体５２０ａ及び第２本体５２０ｂの前面（図１８（ａ）右側面）には、ハンドルベース５３０の合わせ面部５３２ａ（図１６参照）に当接される上合わせ面部５２７及び下合わせ面部５２８が形成される。これら上合わせ面部５２７及び下合わせ面部５２８は、ハンドル取付台５２０の前面側の端面（正面視において縦長の円環状の面）に形成されると共に、それぞれが面一の平坦面として形成される。なお、下合わせ面部５２８は、上合わせ面部５２７から離間するに従って背面へ向けて傾斜される。これにより、ハンドル取付台５２０に対しハンドルベース５３０が軸支部分（軸５６３及び軸受５２３）を中心として変位可能となる（図２３及び図２４参照）。
【０２１２】
第１本体５２０ａの下合わせ面部５２８は、その一部が拡大されて（即ち、第１本体５２０ａの内壁面から径方向内方へ板状体が張り出され）、その拡大部分（張り出し部分）が、ハンドル規制部材７００の被押圧面部７０２ａを押圧するための押圧面部５２８ａとされる。押圧面部５２８ａの背面側には補強部５２８ｂが連設される。補強部５２８ｂは、板状に形成され、押圧面部５２８ａの上端側のみが、第１本体５２０ａの内壁面および段差面５２０ａ１に連結される。これにより、第１本体５２０ａの内壁面と補強部５２８ｂとの間に空間を形成できる分、樹脂材料を抑制して、部品コストの削減を図りつつ、押圧面部５２８ａの剛性を効果的に高めて、耐久性の向上を図ることができる。
【０２１３】
次いで、図１９を参照して、ベース付勢ばねＳＰについて説明する。図１９は、ハンドル取付台５２０及びハンドルベース５３０の背面斜視図である。なお、図１９では、可変抵抗器などが取り外された状態が図示されると共に、その他の部品の配線の図示が省略される。
【０２１４】
図１９に示すように、ベース付勢ばねＳＰは、コイルスプリングとして形成され、弾性的に引張変形（伸張）された状態で、両端の円環状の部分が係止爪部５２４に係止されると共に、コイルスプリングの略中間部分がボス部材５６０の突出部５６２における突出先端（一対のガイド壁５６２ｂの対向間）に架け渡される。
【０２１５】
これにより、ボス部材５６０は、ベース付勢部材ＳＰの弾性回復力により、軸５６３を中心として、突出部５６２における突出先端が係止爪部５２４へ近接する方向（下方）へ付勢される。その結果、ハンドル取付台５２０に対し、ハンドルベース５３０が上方へ変位される（図２３参照）。
【０２１６】
ハンドル取付台５２０は、背面が開放して形成されるので、かかる背面の開放部分からハンドル取付台５２０の内部空間を露出させることができる。これにより、ベース付勢ばねＳＰの両端を係止爪部５２４に係止させると共に、その中間部分を一対のガイド壁５６２ｂの対向間に架設する作業を、ハンドル取付台５２０の背面の開放部分から行うことができるので、その取付作業の作業性の向上を図ることができる。
【０２１７】
なお、ハンドルベース５３０が上方へ変位された（跳ね上げられた）状態では、ハンドルベース５３０の合わせ面部５３２ａに、ハンドル取付台５２０の上合わせ面部５２７が当接された状態となる。即ち、ハンドル取付台５２０及びハンドルベース５３０の対向面（合わせ面）には、平坦面状に形成された合わせ面部（上合わせ面部５２７及び合わせ面部５３２ａ）が形成され、これら合わせ面部が、ハンドルベース５３０の変位位置が初期位置（第１位置）に配設された状態で、ベース付勢ばねＳＰの付勢力により密着される。この密着により、初期位置において、ハンドル取付台５２０に対しハンドルベース５３０をがたつかせることなく、安定した状態に維持することができる。その結果、例えば、ハンドルリング５４０を回動操作する際の操作性の向上を図ることができる。
【０２１８】
また、ハンドルベース５３０の変位位置が初期位置に配設された状態では、互いに密着される合わせ面（上合わせ面部５２７及び合わせ面部５３２ａ）がハンドル取付台５２０及びハンドルベース５３０の上方（上面）に位置するので、合わせ面が開放された場合に（図２０参照）、遊技者が不用意に落下させた異物や埃、ゴミなどの異物がハンドル取付台５２０の内部に入り込むことを抑制できる。特に、ハンドルベース５３０は、ベース付勢ばねＳＰの付勢力によって初期位置（第１位置）に復帰され、その初期位置にある期間が長いため、合わせ面（上合わせ面部５２７及び合わせ面部５３２ａ）を上方に配設する構成が有効となる。
【０２１９】
次いで、図２０から図２２を参照して、ハンドル規制部材７００について説明する。図２０はハンドル規制部材７００が装着された状態におけるハンドルベース５３０の正面斜視図であり、図２１は、ハンドル規制部材７００が取り外された状態におけるハンドルベース５３０の正面斜視図である。なお、図２０及び図２１では、可変抵抗器や発射停止スイッチ操作部４４０、切換え装置６００などが取り外された状態が図示される。
【０２２０】
図２０及び図２１に示すように、ハンドルベース５３０には、内周壁５３４に形成された切り欠き部５３４ｂにハンドル規制部材７００が装着される。なお、ハンドルベース５３０の底壁５３２には、前面から背面（詳細には合わせ面部５３２ａ）に貫通する正面視円形の貫通孔５３２ｂが形成される。なお、貫通孔５３２ｂ及び切り欠き部５３４ｂは、ハンドルリング５４０の回動軸と平行とされる。
【０２２１】
ハンドル規制部材７００は、ハンドルリング５４０が初期位置へ復帰することを規制する（即ち、ハンドルリング５４０の回動操作量（回動位置）を固定する）ための樹脂材料製の部材であり、ハンドル取付台５２０に対しハンドルベース５３０が軸支部分（軸５６３及び軸受５２３）を中心として変位された場合に、ハンドル取付台５２０（押圧面部５２８ａ）により前面へ向けて押し出され、ハンドルリング５４０の円板部５４１を押圧することで、ハンドルリング５４０の回動を規制するように構成される（図２４参照）。ここで、図２２を参照して、ハンドル規制部材７００について説明する。
【０２２２】
図２２（ａ）及び図２２（ｂ）は、ハンドル規制部材７００の斜視図である。ハンドル規制部材７００は、本体部７０１と、その本体部７０１の背面から突出されるロッド部７０２と、本体部７０１の両側から突出される一対の腕部７０３とを主に備えて構成される。
【０２２３】
本体部７０１は、板状に形成される部位であり、少なくとも上面（図２２（ｂ）上側面）が凹状に湾曲して形成される。これにより、ハンドルベース５３０に装着された場合には、ハンドルベース５３０の内部空間を確保して、他の部品の取り付けの自由度を高めることができると共に、取り付け作業時の作業性の向上を図ることができる。
【０２２４】
本体部７０１の左右両側の側面には、スライド案内溝７０１ａが凹設される。スライド案内溝７０１ａは、断面コ字状の直線状の凹溝であり、ロッド部７０２の突設方向に平行に延設される。このスライド案内溝７０１ａには、ハンドル規制部材７００がハンドルベース５３０に装着された状態において、ハンドルベース５３０の内周壁５３４（切り欠き部５３４ｂの両側部分）が内嵌される。即ち、本体部７０１の底面側から突出する部分と腕部７０３の基部との対向間に、ハンドルベース５３０の内周壁５３４が挟み込まれる。これにより、本体部７０１（ハンドル規制部材７００）は、ロッド部７０２の延設方向への移動（スライド）のみが許容され、ハンドルベース５３０における周方向への移動が規制される。
【０２２５】
本体部７０１の前面には、平坦面状の当接面部７０１ｂが形成される。当接面部７０１ｂは、ハンドルリング５４０の円板部５４１の背面に当接される部位であり（図２４参照）、ハンドルリング５４０の回動軸に垂直（即ち、本体部７０１の移動（スライド）方向に平行）に形成される。
【０２２６】
ロッド部７０２は、本体部７０１の背面から突設される断面円形の棒状体であり、ハンドルベース５３０の底壁５３２における貫通孔５３２ｂに挿通可能に形成される。ロッド部７０２の突設先端には、半球状の被押圧面部７０２ａが形成される。なお、ロッド部７０２の本体部７０１の背面からの突設長さは、底壁５３２の厚みよりも大きくされ、ハンドル規制部材７００がハンドルベース５３０に装着された状態では、ロッド部７０２の被押圧面部７０２ａが、底壁５３２の背面（合わせ面部５３２ａ）から突出される（図２３参照）。
【０２２７】
なお、ロッド部７０２の被押圧面部７０２ａが半球状に形成されるので、ハンドル取付台５２０に対してハンドルベース５３０が軸支部分（軸５６３及び軸受５２３）を中心として変位され、ハンドル取付台５２０の押圧面部５２８ａにより被押圧面部７０２ａが押圧される場合には（図２３及び図２４参照）、ハンドル規制部材７００を、安定して移動（スライド）させることができる。即ち、本実施形態では、ハンドル取付台５２０の押圧面部５２８ａが軸５６３を中心として移動する一方、ハンドル規制部材７００がスライド（直線移動）する構造であり、両者の相対的な位置関係が不定であるところ、ハンドル取付台５２０の押圧面部５２８ａが平面として形成され、ハンドル規制部材７００の被押圧面部７０２ａが押圧面部５２８ａへ向けて膨出する球面として形成されることで、両者の接触位置を、軸支部分（軸５６３及び軸受５２３）を中心とする変位に伴い移動させ、ハンドル規制部材７００をハンドルリング５４０へ向かう方向へスライドさせるための力成分を連続的に発生させることができる。これにより、ハンドル規制部材７００を詰まらせる（即ち、スライド案内溝７０１ａにハンドルベース５３０の内周壁５３４が噛み込む、或いは、ロッド部７０２が貫通孔５３２ｂに噛み込む）ことを抑制して、安定してスライドさせることができる。
【０２２８】
腕部７０３は、本体部７０１の両側の側面から突設される断面略矩形の棒状体であり、その腕部７０３の底面は、ハンドルベース５３０の内周壁５３４の内周面に対応する曲率で湾曲して形成される。これにより、ハンドル規制部材７００がハンドルベース５３０に装着された（本体部７０１のスライド案内溝７０１ａに内周壁５３４が内嵌された）状態では、かかる腕部７０３の底面を内周壁５３４の内周面に沿って湾曲させた状態とでき、腕部７０３が受止突起５３８から脱落することを抑制できる。また、腕部７０３が、ハンドルベース５３０の周方向に沿って延設されることで、他の部品の配設スペースに影響を与えることを抑制しつつ、腕部７０３をより長くすることができると共に腕部７０３の弾性変形に必要なスペースを確保することができる。
【０２２９】
図２０及び図２１に戻って説明する。ハンドルベース５３０の内周壁５３４には、その内周面から径方向内方へ向けて一対の受止突起５３８が突設される。受止突起５３８は、ハンドル規制部材７００の腕部７０２を拘束して、その移動を規制することで、弾性変形させるための部位であり、ハンドル規制部材７００の腕部７０３の先端部分に対応する位置に配設される。
【０２３０】
ハンドルベース５３０の内周壁５３４における切り欠き部５３４ｂ（ハンドル規制部材７００をハンドルリング５４０へ向けてスライド移動可能に保持するスライド保持部）は、前面（ハンドルリング５４０に対面する側）が開放されて形成される。よって、その開放部分を利用して、ハンドル規制部材７００を切り欠き部５３４ｂに容易に装着することができるので、そのハンドル規制部材７００を装着する作業に関する組み立てコストの削減を図ることができる。
【０２３１】
なお、切り欠き部５３４ｂの開放部分は、ハンドルリング５４０に対面する側であるから（図２３参照）、ハンドルベース５３０にハンドルリング５４０が配設されることで、ハンドル規制部材７００が切り欠き部５３４ｂの開放部分から脱落することはない。
【０２３２】
また、ハンドルベース５３０の内周壁５３４には、ハンドル規制部材７００の腕部７０３を受け止める受止突起５３８が突設されるので、ハンドルベース５３０の切り欠き部５３４ｂにその開放部分からハンドル規制部材７００を装着した後、ハンドルベース５３０にハンドルリング５４０が装着されるまでの間に（即ち、図２０に示す状態にある時に）、ハンドル規制部材７００が切り欠き部５３４ｂの開放部分から脱落することを防止することができるる。よって、組み立て工程での作業性の向上を図ることができる。
【０２３３】
一方、ハンドル規制部材７００の腕部７０３は、樹脂材料からなり、弾性変形可能に形成されるので、ハンドル取付台５２０に対してハンドルベース５３０が軸支部分（軸５６３及び軸受５２３）を中心として変位され、ハンドル規制部材７００が前面（ハンドルリング５４０）へ向けて押圧される場合には、先端部分が受止突起５３８に拘束される腕部７０２を弾性変形させることで、ハンドル規制部材７００を移動（スライド）させることができる。これにより、ハンドル規制部材７００の当接面部７０１ｂをハンドルリング５４０の背面（被当接面部）に当接させることができる（図２４参照）。
【０２３４】
また、ハンドル取付台５２０に対するハンドルベース５３０の軸支部分（軸５６３及び軸受５２３）を中心とする変位が解除された場合には、弾性変形された腕部７０２の弾性回復力により、ハンドル規制部材７００を、ハンドルリング５４０から離間する方向へ移動させ、初期位置へ復帰させることができる（図２３参照）。これにより、ハンドル規制部材７００の当接面部７０１ｂとハンドルリング５４０の背面（被当接面部）との間に隙間を形成できる。その結果、両者の当接による抵抗に起因してハンドルリング５４０の回動操作が阻害されることを回避できる。
【０２３５】
ここで、受止突起５３８は、ハンドルベース５３０の内周壁５３４の内周面から径方向内方へ向けて突設されるので、組み立て時における視認性を確保できる。その結果、腕部７０３と受止突起７３８との位置関係（即ち、腕部７０３が受止突起７３８に適正に係合されているか否か）の確認作業を容易として、作業性の向上を図ることができる。
【０２３６】
また、受止突起７３８には、その突設上面に、前面から背面へ向かうに従って（即ち、ハンドル規制部材７００の装着方向に沿って）ハンドルベース５３０の内周壁５３４の内周面から上昇傾斜する傾斜面が形成されるので、切り欠き部５３４ｂにその開放部分からハンドル規制部材７００を装着する際には、受止突起５３８の突設上面に形成される傾斜面に沿ってハンドル規制部材７００の腕部７０３が移動することで、かかる受止突起５３８を腕部７０３に容易に乗り越えさせることができる。即ち、切り欠き部７３８の開放部分からハンドル規制部材７００を押し込むだけでよく、腕部７０３を持ち上げて受止突起７３８を乗り越えさせる作業を別途行う必要がないので、その組み立て作業の作業性の向上を図ることができる。
【０２３７】
次いで、図２３及び図２４を参照して、ハンドル装置５１の動作について説明する。
【０２３８】
図２３は、変位操作される前の状態におけるハンドル装置５１の部分断面側面図であり、図２４は、変位操作された後の状態におけるハンドル装置５１の部分断面側面図である。なお、図２３及び図２４では、下皿ユニット１５の前面が二点鎖線により模式的に図示されると共に、ハンドル取付台５２０の第２本体５２０ｂが取り外された状態が図示され、また、各部品の配線の図示が省略される。
【０２３９】
図２３に示すように、ハンドル取付台５２０に対しハンドルベース５３０が軸支部分（軸５６３及び軸受５２３）を中心として変位される前の状態（即ち、遊技者によりハンドルベース５３０が下方へ向けて変位操作されていない状態）では、ハンドルベース５３０が水平位置にあり、ハンドル取付台５２０及びハンドルベース５３０の合わせ面は、上合わせ面部５２７が合わせ面部５３２ａに当接される一方、下合わせ面部５２８が合わせ面部５３２ａから離間される。
【０２４０】
図２３に示す状態から、ハンドル取付台５２０に対してハンドルベース５３０が軸支部分（軸５６３及び軸受５２３）を中心として下方へ変位されると、ハンドル規制部材７００のロッド部７０２における被押圧面部７０２ａが、ハンドル取付台５２０の押圧面部５２８ａに押圧され、ハンドル規制部材７００が前面（ハンドルリング５４０）へ向けてスライド移動される。ハンドルベース５３０が軸支部分（軸５６３及び軸受５２３）を中心として下方へ更に変位されると、下合わせ面部５２８が合わせ面部５３２ａに当接され、図２４に示すように、ハンドル規制部材７００の本体部７０１における当接面部７０１ｂがハンドルリング５４０の円板部５４１における背面に当接される。
【０２４１】
その結果、ハンドルリング５４０は、その回動操作量（回動位置）にかかわらず、初期位置への復帰が規制され、回動操作量が固定される。よって、球の発射強度を、現在のハンドルリング５４０の回動操作量に応じた球の発射強度に固定することができる。
【０２４２】
この場合、ハンドルリング５４０の回動操作量を固定する従来技術として、次のものがある。例えば、特開２０１２−５７５９号には、本実施形態における前カバー５５０に相当する前カバーベースの頂部（遊技者から見て手前側）に、前方（遊技者側）へ向けて凸な半球状となるボタンを設け、このボタンを遊技者が手の平で奥側へ押し込むことで、ハンドルリングの回動操作量を固定する技術が開示される。
【０２４３】
しかし、かかる従来技術では、ハンドルリングの回動操作を行いながら、かつ、ボタンの押し込み操作を行う必要がある。詳細には、手指で握ったハンドルリングを周方向へ動作させる操作（回動操作）と、手の平をボタン表面に回りこませつつ奥側へ向けて押し込む操作とを並行して行う必要がある。そのため、ハンドルリングの回動操作量（回動位置）を維持しつつ、ボタンを押し込むには、遊技者に高度な技術が要求される。また、この状態（ハンドルリングの回動操作量を維持しつつ、ボタンを押し込んだ状態）は、遊技者にとって無理な姿勢となるため、かかる状態を継続する（即ち、球の発射強度を所望の発射強度に固定する）ことが遊技者の負担になる。その結果、ボタンを押し込む際だけでなく、押し込みを維持する際にも、ハンドルリングの回動操作量（回動位置）がずれ易く、所望の回動操作量に維持することが困難となる。
【０２４４】
なお、このような無理な姿勢であるが故に、ハンドルリングの回動操作量（回動位置）を維持しつつ、ボタンの押し込みを解除する操作にも高度な技術が要求される。
【０２４５】
これに対し、本実施形態によれば、ハンドルベース５３０の軸支部分（軸５６３及び軸受５２３）を中心とする変位操作は、ハンドルベース５３０とハンドルリング５４０とを一体的に変位させる動作であるから、遊技者は、ハンドルリング５４０がどのような回動位置にあったとしても、ハンドルリング５４０を把持する手指の一部を離すことなく、ハンドルベース５３０の軸支部分（軸５６３及び軸受５２３）を中心とする変位操作を行うことができる。これにより、操作性の向上を図ることができる。また、ハンドルベース５３０の軸支部分（軸５６３及び軸受５２３）を中心とする変位操作を行った後は、その操作状態（ハンドルリング５４０の回動操作量が所望の回動操作量に固定された状態）を維持することも容易となる。よって、ハンドルベース５３０の操作時およびその操作状態を維持する際に、ハンドルリング５４０の回動位置に位置ずれが生じることを抑制し、球の発射強度を所望の発射強度に精度良く固定することができる。
【０２４６】
また、このように、軸支部分（軸５６３及び軸受５２３）を中心としてハンドルベース５３０を変位させる構造であれば、遊技者は、ハンドルベース５３０（前カバー５５０）に手のひらを添えると共に、そのまま手の重みを作用させる動作のみで、ハンドルベース５３０を軸支部分（軸５６３及び軸受５２３）を中心として下方へ変位させることができる。即ち、遊技者は、手の重みを作用させるという簡易な動作を行うのみで、球の発射強度を所望の発射強度に固定することができる。
【０２４７】
また、ハンドルベース５３０とハンドルリング５４０とを一体的に変位させる動作であるから、遊技者は、ハンドルリング５４０がどのような回動位置にあったとしても、ハンドルリング５４０を把持する手指の一部を離すことなく、ハンドルベース５３０の軸支部分（軸５６３及び軸受５２３）を中心とする変位操作を行うことができる。これにより、操作性の向上を図ることができる。また、ハンドルベース５３０の軸支部分（軸５６３及び軸受５２３）を中心とする変位操作を行った後は、その操作状態（ハンドルリング５４０の回動操作量が所望の回動操作量に固定された状態）を維持することも容易となる。よって、ハンドルベース５３０の操作時およびその操作状態を維持する際に、ハンドルリング５４０の回動位置に位置ずれが生じることを抑制し、球の発射強度を所望の発射強度に精度良く固定することができる。
【０２４８】
また、ハンドル規制部材７００の本体部７０１における当接面部７０１ｂと、ハンドルリング５４０の円板部５４１における背面（被当接面部）とが互いに平滑面として形成されるので、ハンドルリング５４０の回動位置を、任意の回動位置で固定可能とすることができる。
【０２４９】
例えば、ハンドル規制部材７００の本体部７０１における当接面部７０１ｂと、ハンドルリング５４０の円板部５４１における背面（被当接面部）とにそれぞれ鋸歯状の凹凸を設け、それら鋸歯状の凹凸同士を係合させることで、ハンドルリング５４０の回動位置を固定する構造では、ハンドルリング５４０の回動位置の固定を強固に行うことができる一方で、鋸歯状の凹凸のピッチ（間隔）が調整幅の最小値となる。そのため、固定可能な回動位置が断続的となり、所望の回動位置に固定できないおそれがある。
【０２５０】
これに対し、本実施形態のように、ハンドル規制部材７００の本体部７０１における当接面部７０１ｂとハンドルリング５４０の円板部５４１における背面（被当接面部）とが平滑面とされることで、固定可能な回動位置が連続的となるので、任意の回動位置で固定可能として、その調整幅を確保することができる。
【０２５１】
また、当接面部７０１ｂが円板部５４１の背面（被当接面部）に当接された状態とされ、ハンドルリング５４０の回動操作量が固定されたとしても、これら当接面部７０１ｂ及び被当接面部が平滑面とされていることで、互いの当接面を相対的に滑動させることができるので、ハンドルリング５４０の回動操作量の固定後であっても、かかるハンドルリング５４０の回動操作量を微調整することができる。
【０２５２】
ここで、前カバー５５０は、ハンドルリング５４０の前面側（図２３右側）に配設されるので、遊技者は、ハンドルリング５４０を手指で把持する際に、前カバー５５０の外面に手の平を添えることができ、かかる前カバー５５０を、ハンドル取付台５２０に対してハンドルベース５３０を軸支部分（軸５６３及び軸受５２３）を中心として変位させる際に力を加える部分（力点）として利用することができる。
【０２５３】
この場合、図２４に示すように、本実施形態では、ハンドル取付台５２０に対しハンドルベース５３０を変位可能に軸支するボス部材５６０の軸５６３（支点）から押圧面部５２８ａ（被押圧面部７０２ａの突出先端（作用点））までの距離Ａが、少なくとも、ボス部材５６０の軸５６３からハンドルリング５４０の背面までの距離Ｂよりも小さくされる。よって、ボス部材５６０の軸５６３（支点）から前カバー５５０の外面（力点）までの距離は、距離Ａよりも大きくされる。
【０２５４】
即ち、力点から支点までの距離を、支点から作用点までの距離よりも大きくすることができるので、力点となる前カバー５５０の外面に加えられる力が小さくても、その力を増幅させて、作用点となる押圧面部５２８ａによってハンドル規制部材７００（被押圧面部７０２ａ）をより大きな力で押圧することができる。これにより、ハンドル規制部材７００をハンドルリング５４０に強固に当接させ、ハンドルリング５４０の回動操作量（回動位置）を確実に固定することができる。
【０２５５】
次いで、図２５から図２７を参照して、ボタン部材５７０の押し込み操作により、切り替え装置６００を回動可能状態または係合固定状態に切り替えるための切り替え構造について説明する。なお、この切り替え構造の説明においては、図２８及び図２９を適宜参照する。
【０２５６】
図２５から図２７は、ハンドル装置５１の部分断面側面図である。なお、図２５ではボタン部材５７０が第１位置にある状態が、図２６ではボタン部材５７０が第２位置にある状態が、図２７ではボタン部材５７０が第３位置にある状態が、それぞれ図示される。
【０２５７】
また、図２８及び図２９は、ハンドルリング５４０及び切り替え装置６００を模式的に図示したハンドル装置５１の正面模式図である。なお、図２８（ａ）は、ハンドルリング５４０が初期位置θ０にあり、かつ、切り替え装置６００が回動可能状態にある状態を、図２８（ｂ）は、ハンドルリング５４０が操作位置θ１まで回動操作され、かつ、切り替え装置６００が回動可能状態にある状態を、図２８（ｃ）は、ハンドルリング５４０が操作位置θ１まで回動操作され、かつ、切り替え装置６００が係合固定状態に変更されている状態を、図２９（ａ）は、ハンドルリング５４０が操作位置θ０〜θ１の範囲内にあり、かつ、切り替え装置６００が係合固定状態に変更されている状態を、図２９（ｂ）は、ハンドルリング５４０が初期位置θ０にあり、かつ、切り替え装置６００が係合固定状態に変更されている状態を、それぞれ図示している。
【０２５８】
図２５から図２７に示すように、切り替え装置６００は、上述した通り、ハンドルベース５３０の軸受部５３５内に挿通され、その切り替え装置６００の連結孔６２０には、ボタン部材５７０の連結軸５７５が軸方向へ相対移動可能かつ周方向へ相対回動不能に挿通される。
【０２５９】
本実施形態では、ボタン部材５７０は、そのハンドル軸支体５７４が軸体５７３に対して回動可能に連結されているので、切替え装置６００（本体部６１０）が軸受部５７５に対して回動される場合には、その切替え装置６００に連動して、ハンドル軸支体５７４側の部材（ハンドル軸支体５７４、連結軸５７５及び押し込み片５７６）のみを回動させ、軸体５７３側の部材（軸体５７３、背面ベース５７２及び操作部５７１）は回動させないようにできる。よって、遊技者の手の平の中で操作部５７１が回動して遊技者に違和感を与えることを抑制できる。
【０２６０】
また、本実施形態では、切り替え装置６００の連結孔６２０に、ボタン部材５７０の連結軸５７５が、周方向へ相対回動不能に挿通されるので、切替え装置６００が軸受部５３５に対して回動されても、切り替え装置６００の逃げ空間６６１に対するボタン部材５７０における押し込み片５７６の回動位置（位相）を常に一致させておくことができる。
【０２６１】
これにより、切り替え装置６００がどのような回動位置（位相）に配置される場合であっても、ボタン部材５７０（操作部５７１）の押し込み操作に伴って、ボタン部材５７０の押し込み片５７６を噛み込み空間６５１内へ確実に移動させることができる。即ち、ハンドルリング５４０がどのような回動位置に回動操作されている状態においても、切り替え装置６００を係合固定状態とすることができるので、遊技球の発射強度が所望の発射強度となった場合には、ハンドルリング５４０の回動位置（操作量）を維持したままで、操作終点の変更（設定）を行うことできる。その結果、操作終点の変更（設定）を迅速に行うことができると共に正確な位置に行うことができる。
【０２６２】
ハンドルリング５４０は、その中央孔５４４ａにボタン部材５７０のハンドル軸支体５７４が挿通され、かかるハンドル軸支体５７４に回動可能に軸支される。即ち、切り替え装置６００が軸受部５３５に対して相対回動不能となる係合固定状態に切り替えられた場合であっても、ハンドルリング５４０は、そのハンドル側突起部５４６が切替え装置６００の規制突起部６３０に当接して規制される回動方向とは逆の回動方向（初期位置へ復帰される方向）へは、回動可能とされる。
【０２６３】
ハンドルリング５４０とボタン部材５７０との間には、コイルスプリングとして形成されるボタン付勢ばね５９０が弾性的に圧縮変形された状態で配設され、その付勢力（弾性回復力）によって、ボタン部材５７０がハンドルリング５４０から離間する方向へ付勢される。
【０２６４】
図２５に示すように、ボタン部材５７０が第１位置にある状態（ボタン部材５７０が押し込み操作されていない初期位置にある状態）では、ボタン部材５７０の押し込み片５７６は、切り替え装置６００の逃げ空間６６１に配置される。よって、切り替え装置６００は、噛み込み球体６７０ａ，６７０ｂが押し込み側付勢ばね６８０の付勢力により逃げ空間６６１に配置されており、これにより、軸受部５３５に対して相対的に回動可能な回動可能状態（図１５（ａ）及び図１５（ｃ）参照）に設定される。
【０２６５】
このように切り替え装置６００が回動可能状態に設定された状態（ボタン部材５７０が第１位置にある状態）では、切り替え装置６００が軸受部５３５に対して回動可能とされているので、図２８（ａ）及び図２８（ｂ）に示すように、ハンドルリング５４０が初期位置θ０から操作位置θ１まで増加方向へ回動操作されると、ハンドルリング５４０のハンドル側突起部５４６が切り替え装置６００の規制突起部６３０を増加方向へ押すことで、切り替え装置６００をハンドルリング５４０に連動させて増加方向へ回動させる。なお、操作位置θ１は、ハンドルリング５４０の回動操作範囲の最大位置θｍａｘには達していない回動角であるものとする。以下においても同様である。
【０２６６】
一方、ハンドルリング５４０が減少方向へ回動操作されると、切り替え装置６００は、切り替え装置付勢ばね５３９（図７参照）の付勢力により、ハンドルリング５４０に追従して、減少方向へ回動される。例えば、図２８（ａ）及び図２８（ｂ）に示すように、ハンドルリング５４０が操作位置θ１から初期位置θ０まで減少方向へ回動操作されると、切り替え装置６００も、切り替え装置付勢ばね５３９の付勢力により、減少方向へ回動され、規制突起部６３０がハンドル側突起部５４６に当接される回動位置に配置される。
【０２６７】
即ち、図２５に示すように、切り替え装置６００が回動可能状態に設定された状態（ボタン部材５７０が第１位置にある状態）では、ハンドルリング５４０が増加方向または減少方向のいずれの方向へ回動操作される場合であっても、切り替え装置６００が連動（同期）して回動され、それらハンドルリング５４０と切り替え装置６００の回動位置（位相）が一致される（図２８（ａ）及び図２８（ｂ）参照）。
【０２６８】
図２６に示すように、ボタン部材５７０が第２位置にある状態（第１位置にあるボタン部材５７０が押し込み操作された状態）では、切り替え装置６００は、その噛み込み球体６７０ａ，６７０ｂが噛み込み空間６５１に配置され（即ち、ボタン部材５７０の押し込み片５７６により噛み込み球体６７０ａ，６７０ｂが噛み込み空間６５１内に押し込まれ）、係合固定状態に設定される。
【０２６９】
切り替え装置６００が係合固定状態に設定された状態では、噛み込み球体６７０ａ，６７０ｂが、噛み込み側付勢ばね６９０の付勢力により、軸受部５３５の内周面と噛み込み面６５０との対向間であって周方向に漸減する隙間に噛み込まれた状態とされるので、切替え装置６００（本体部６１０）がいずれの回動方向（図１５（ｄ）に示す矢印Ａ方向および矢印Ｂ方向）へ回動しようとしても、噛み込み面６５０の周方向端部が、軸受部５３５の内周面との対向間に噛み込み球体６７０ａ，６７０ｂを更に噛み込ませるように作用することで（図１５（ｂ）及び図１５（ｄ）参照）、軸受部５３５に対する切り替え装置６００（本体部６１０）の回動が規制（阻止）される。
【０２７０】
よって、図２８（ｂ）に示すように、ハンドルリング５４０が操作位置θ１に回動操作された状態において、ボタン部材５７０を押し込み操作して第１位置から第２位置に変更することで、切り替え装置６００を係合固定状態に設定して、図２８（ｃ）に示すように、切り替え装置６００を操作位置θ１に対応する回動位置（即ち、第１位置にあるボタン部材５７０が第２位置に変更された時点における回動位置）に固定することができる。
【０２７１】
このように、切り替え装置６００が係合固定状態に設定され、その回動位置が固定された状態では、図２９（ａ）及び図２９（ｂ）に示すように、ハンドルリング５４０を減少方向へ回動させても、切り替え装置６００は、ハンドルリング５４０の回動に連動（同期）せず、操作位置θ１に対応する回動位置に保持される。即ち、ハンドルリング５４０は、中央孔５４４ａがハンドル軸支体５７４に回動可能に軸支されているので（図２６参照）、図２９（ａ）に示すように、切り替え装置６００とは独立して、減少方向および操作方向へ回動操作可能とされる。
【０２７２】
この場合、例えば、図２９（ｂ）に示すように、切り替え装置６００が操作位置θ１に対応する回動位置に保持（固定）された状態において、初期位置θ０に復帰されているハンドルリング５４０を増加方向へ回動操作する場合には、その回動操作は、操作位置θ１が操作終点とされる。即ち、ハンドルリング５４０は、図２８（ｃ）に示すように、その増加方向への回動操作が操作位置θ１に達すると、ハンドル側突起部５４６が規制突起部６３０に当接され、それ以上の増加方向への回動操作が規制される。
【０２７３】
ここで、第２位置にあるボタン部材５７０の第１位置への設定は、次のように行われる。即ち、図２６に示す第２位置にあるボタン部材５７０を、図２７に示すように、押し込み可能な位置（第３位置）まで押し込み操作した後、その押し込み操作を解除する（押し込み力を弱める又は手を離す）。これにより、ボタン部材５７０は、ボタン付勢ばね５９０の付勢力により、第３位置から図２５に示す第１位置へ復帰される。
【０２７４】
この場合、例えば、図２９（ｂ）に示すように、切り替え装置６００が操作位置θ１に対応する回動位置に保持（固定）された状態において、上述した操作（第２位置から第３位置を通過させて第１位置に復帰させる操作）が行われると、切り替え装置６００は、係合固定状態から回転可能状態に切り替えられ、軸受部５３５に対して回動可能とされるので、切り替え装置付勢ばね５３９の付勢力を受けて、図２８（ａ）に示すように、初期位置（規制突起６３０がハンドル側突起部５４６に当接される回動位置）へ復帰される。
【０２７５】
ここで、切り替え装置６００は、その連結孔６２０と連結軸５７５との結合を介して、ハンドル軸支体５７４及び押し込み片５７６と常に連動（同期）して回動されるため、ハンドルリング５４０が回動操作されている状態であっても、ボタン部材５７０の押し込み操作により、係合固定状態から回転可能状態への切り替え（即ち、切り替え装置６００の初期位置への復帰であって、操作終点の変更の解除）が可能とされる。
【０２７６】
これにより、ハンドルリング５４０が回動操作されている状態でも、操作終点の変更（設定）を解除するために、かかるハンドルリング５４０を初期位置へ一旦復帰させる必要がない。よって、例えば、操作終点の位置を別の位置へ再設定（例えば、微調整）する必要が生じた場合には、ハンドルリング５４０の回動操作を維持しつつ（即ち、遊技を継続しつつ）、その再設定動作を迅速に行うことができる。或いは、例えば、右打ちの必要が生じた場合には、ハンドルリング５４０の回動操作を維持しつつ、そのハンドルリング５４０の増加方向への回動操作を規制していた操作終点を解除できるので、ハンドルリング５４０の増加方向への回動操作が可能な状態を迅速に形成できる。即ち、遊技球の発射強度を最大とする操作方向へのハンドルリング５４０の回動操作へ迅速に切り替えることができる。
【０２７７】
また、切り替え装置６００を、係合固定状態から回転可能状態へ切り替える操作（操作終点を解除する、即ち、切り替え装置６００を初期位置へ復帰させる復帰動作）と、回転可能状態から係合固定状態へ切り替える操作（操作終点を変更（設定）する変更動作）との両者が、ボタン部材５７０の押し込み操作により達成される。即ち、同一の部材を同一の方向へ操作することで達成できる。これにより、変更動作および復帰動作の操作を行いやすくできる。特に、変更動作による状態と復帰動作による状態とは交互に切り替えられるものであるので、これら２つの状態が同一の操作を繰り返すことで切り替え可能となることが操作性の向上に有効となる。また、同一の部材を同一の方向へ操作する構造であることから、ボタン部材５７０の操作可能な方向を一方向のみに限定することができるので、その分、構造を簡素化して、製品コストの削減を図ることができる。
【０２７８】
ここで、ボタン部材５７０が第２位置および第３位置にある状態では、図２６及び図２７に示すように、ボタン部材５７０の操作部５７１の一部（前方へ突出する頂部側）が、前カバー５５０の開口５５０ａの縁部よりも前方（図２６及び図２７右側）へ突出される。よって、第１位置（又は第２位置）にあるボタン部材５７０（操作部５７１）を第２位置（又は第３位置）へ押し込み操作する際には、かかるボタン部材５７０を、前カバー５５０の開口５５０ａの縁部を越える位置（即ち、前カバー５５０内にボタン部材５７０の操作部５７１全体が入り込む位置）まで押し込む必要がない。これにより、ボタン部材５７０を押し込む際に、前カバー５５０の開口５５０ａの縁部が遊技者の手の動きの妨げとなることを抑制して、その操作性の向上を図ることができる。
【０２７９】
但し、ボタン部材５７０が第３位置にある状態では、ボタン部材５７０の操作部５７１全体が、前カバー５５０の内部に没入されるように構成しても良い。即ち、第３位置では、ボタン部材５７０の操作部５７１の頂部（最も前方へ突出する部分）が、前カバー５５０の開口５５０ａの縁部よりも軸方向内方（図２７左方向）に位置するように形成しても良い。
【０２８０】
この場合には、ボタン部材５７０を第２位置から第３位置まで押し込み、切り替え装置６００を初期位置へ復帰可能な状態とする（即ち、係合固定状態にある切り替え装置６００を回転可能状態に変更して、操作終点の変更（設定）を解除する）ためには、かかるボタン部材５７０（操作部５７１）を、前カバー５５０の開口５５０ａの縁部を軸方向に越える位置（前カバー５５０内にボタン部材５７０の操作部５７１全体が入り込む位置）まで押し込む必要が生じる。そのため、ボタン部材５７０を第３位置まで押し込む際に、前カバー５５０の開口５５０ａの縁部を押し込み操作の妨げとする（即ち、遊技者の手に開口５５０ａの縁部を当接させる）ことができる。これにより、第２位置にあるボタン部材５７０が第３位置まで不用意に押し込み操作されることを抑制できる。その結果、不用意なボタン部材５７０の押し込み操作により、所望の回動位置に操作終点の位置を変更（設定した状態が解除されてしまう（或いは、解除可能な状態となる）ことを抑制できる。
【０２８１】
次いで、図３０及び図３１を参照して、切り替え装置６００を利用して、ハンドルリング５４０の操作終点を変更（設定）すると共に、その操作終点の位置を基準としてハンドルリング５４０の回動位置を調整する（元の回動位置へ復帰させる）調整方法について説明する。
【０２８２】
図３０及び図３１は、ハンドル装置５１の回動操作の状態を模式的に図示する模式図であり、各図において、左側の図はハンドル装置５１の正面模式図であり、右側の図はハンドルリング５４０の回動位置と操作終点との関係を模式的に示す模式図である。なお、図３０及び図３１において、墨付き三角（「▲」）の表示は、ハンドルリング５４０の回動位置を意味し、「［第１位置］又は［第２位置］」の表示は、ボタン部材５７０の位置を意味する。また、「初期位置θ０」はハンドルリング５４０の初期位置であり、「最大位置θｍａｘ」は操作終点が変更（設定）されていない状態におけるハンドルリング５４０の回動操作可能な最大位置である。「操作終点」は切り替え装置６００が係合固定状態に設定されることで形成されるハンドルリング５４０の回動操作の終点である。
【０２８３】
図３０（ａ）及び図３０（ｂ）に示すように、ボタン部材５７０が第１位置にある状態では、切り替え装置６００が回動可能状態にあるため（図２５、図１５（ａ）及び図１５（ｃ）参照）、ハンドルリング５４０は、初期位置θ０から最大位置θｍａｘまでの範囲で回動操作可能とされる。
【０２８４】
この図３０（ａ）及び図３０（ｂ）に示す状態において、遊技状態に応じて、ハンドルリング５４０の回動位置を調整した結果、図３０（ｂ）に示すように、ハンドルリング５４０を操作位置θ１とすることで、遊技球の発射強度を所望の発射強度に調整できると判断した場合には、図３０（ｂ）に示す状態を維持しつつ、遊技者は、図３０（ｃ）に示すように、ボタン部材５７０の押し込み操作により、かかるボタン部材５７０を第２位置に設定する。これにより、切り替え装置６００が係合固定状態に設定されることで（図２６、図１５（ｂ）及び図１５（ｄ）参照）、ハンドルリング５４０の操作位置θ１に対応する位置に操作終点が変更（設定）される。
【０２８５】
このように、ハンドル装置５１によれば、操作終点を設定できるので、図３１（ａ）に示すように、例えば、休憩を取るために、ハンドルリング５４０の回動位置を初期位置θ０へ復帰させ、遊技を中断したとしても、元のスライド操作の位置（すなわち、遊技球の発射強度が所望の発射強度に調整された回動位置であって、遊技機を中断する前の操作位置θ１）を「操作終点」として記憶させておくことができる。
【０２８６】
よって、ハンドルリング５４０の回動位置を元の回動位置（即ち、遊技を中断する前の操作位置θ１）に調整する場合（図３０（ｂ）及び図３０（ｃ）の状態を再現する場合）には、遊技者は、図３１（ｂ）に示すように、ハンドルリング５４０を操作終点まで回動操作すれば（即ち、ハンドルリング５４０の回動操作が操作終点により規制されて、それ以上の回動操作ができなくなるまで回動操作を行えば）、かかるハンドルリング５４０の回動位置を元の回動位置（操作位置θ１）に迅速かつ容易に調整することができる。
【０２８７】
例えば、ハンドルリング５４０の移動軌跡に沿って目盛り線を設けておき、その目盛り線を目標位置としてハンドルリング５４０を回動操作する方法も考えられるが、かかる方法の場合と比較して、ハンドルリング５４０の回動位置が目標位置（目盛り線）に一致したか否かを、目視により判別しつつ微調整する必要がなく、所望の回動位置に正確に調整することができる。また、本実施形態によれば、回動操作ができなくなる位置まで回動操作を行えば良く、目標位置を通り過ぎてしまうことがないため、ハンドルリング５４０の操作速度を高めることができ、その分、所望の回動位置に迅速に調整する（元の回動位置に迅速に復帰させる）ことができる。
【０２８８】
なお、操作終点の位置を最大位置θｍａｘへ復帰させる場合には、図３１（ａ）又は図３１（ｂ）に示す状態において、ボタン部材５７０を押し込み可能な位置（第３位置）まで押し込む押し込み操作を行った後に、かかる押し込み操作を解除することで、ボタン部材５７０が第１位置に復帰され、図３０（ａ）に示すように、操作終点の位置を最大位置θｍａｘに復帰させることができる。
【０２８９】
ここで、操作終点を変更（設定）した遊技者が遊技を終了し、図３１（ａ）に示すように、操作終点が変更された状態のままで、第２の遊技者が遊技を開始する場合には、かかる第２の遊技者が不利益を被るおそれがある。即ち、操作終点が変更されているということは、図３１（ｂ）に示すように、ハンドルリング５４０を最大位置θｍａｘまで回動操作することができないということであり、操作終点の変更がなされていることに第２の遊技者が気づかないと、最大位置θｍａｘ（最大の発射強度）での遊技機球の発射ができない状態で遊技を行うことなり、不利益を被る。よって、このような場合であっても、第２の遊技者が、遊技を開始する際に、操作終点の位置が変更されていることを容易に認識できることが望ましい。
【０２９０】
これに対し、本実施形態のハンドル装置５１によれば、上述したように、前カバー５５０に設けた確認窓５５０ｂを利用して、操作終点の位置が変更（設定）されているか否かを遊技者が容易に確認できるように形成される。ここで、図３２を参照して、確認窓５５０ｂを利用した確認構造について説明する。
【０２９１】
図３２（ａ）及び図３２（ｂ）は、ハンドル装置５１の部分拡大断面図であり、図３２（ａ）では、ボタン部材５７０が第１位置にある状態が、図３２（ｂ）では、ボタン部材５７０が第２位置にある状態が、それぞれ図示される。
【０２９２】
図３２（ａ）及び図３２（ｂ）に示すように、ハンドル装置５１によれば、操作終点の位置が変更されていない状態（即ち、操作終点の位置が最大位置に一致する状態であって、ボタン部材５７０が第１位置にある図３２（ａ）に示す状態）と、操作終点の位置が変更された状態（即ち、ボタン部材５７０が第２位置にある図３２（ｂ）に示す状態）とでは、ボタン部材５７０の押し込み位置が異なるように形成される。よって、遊技者は、ボタン部材５７０の押し込み位置の差に基づいて、操作終点の位置が変更されているか否かを識別することができる。操作終点の位置が変更されていることに気づかずに遊技者が遊技を行うことを抑制して、遊技者が不利益を被る状態を発生し難くできる。
【０２９３】
但し、本実施形態におけるハンドル装置５１では、前カバー５５０と、その前カバー５５０の開口５５０ａから突出されるボタン部材５７０とが一体となって１の半球体を形成する形状であるため（図５及び図６参照）、ボタン部材５７０が第２位置に押し込まれたとしても、全体的には１の半球体が形成されるため、ボタン部材５７０の押し込み量の差を遊技者が明確に認識できないおそれがある。
【０２９４】
これに対し、本実施形態では、操作終点の位置が変更されているか否か（即ち、ボタン部材５７０が第１位置にあるか第２位置にあるか）に応じて、確認窓５５０ｂ，５５４ｂを介して視認される対象の形態を異ならせたので、判断基準を２値化することができ、２つの状態を明確に区別することをしやすくできる。これにより、操作終点の位置が変更されているか否かを遊技者に容易かつ確実に識別させることができる。
【０２９５】
具体的には、上述したように、ボタン部材５７０は、内嵌壁部５７７の外周面が黒色に形成される一方、操作部５７１の外周面が白色に形成される。そのため、図３２（ａ）に示すように、ボタン部材５７０が第１位置にある状態では、前カバー５５０の確認窓５５０ｂ，５５４ｂを介して遊技者に視認させる形態を、内嵌壁部５７７の外周面（黒色）とする一方、図３２（ｂ）に示すように、ボタン部材５７０が第２位置にある状態では、前カバー５５０の確認窓５５０ｂを介して遊技者に視認させる形態を、操作部５７１の外周面（白色）とすることができる。  
これにより、遊技者は、かかる確認窓５５０ｂ，５５４ｂを介して視認される色の相違に基づいて、ボタン部材５７０が第１位置または第２位置のいずれの位置に配置されているか（即ち、ハンドルリング５４０の操作終点の位置が変更されているか否か）を容易に識別することができる。
【０２９６】
この場合、前カバー５５０の筒状案内部５５４には、その内周側にボタン部材５７０の内嵌壁部５７７が挿通され、図３２（ａ）に示すように、ボタン部材５７０が第１位置にある状態では、内嵌壁部５７７の外周面が筒状案内部５５４の内周面に対面されるため、かかる内嵌壁部５７７によって確認窓５５４ｂを遮蔽することができる。即ち、ハンドル装置５１内部から確認窓５５４ｂを介して外部へ光が導出され難くできる。また、確認窓５５４ｂから確認窓５５０ｂへの経路においても、かかる経路は前カバー５５０の外壁面やハンドルリング５４０によって形成される閉じた空間内に配置されるので、ハンドル装置５１内部から確認窓５５０ｂを介して外部へ光が導出され難くできる。よって、ボタン部材５７０が第１位置にある状態において、確認窓５５０ｂ，５５４ｂを介して遊技者に視認させる形態（内嵌壁部５７７の外周面の黒色）をより暗くすることができる。
【０２９７】
一方、ボタン部材５７０の操作部５７１は、半球状に形成され、図３２（ｂ）に示すように、ボタン部材５７０が第２位置にある状態では、操作部５７１の外周面が筒状案内部５５４の内周面に対面されるため、確認窓５５４ｂの下方（操作部５７１の外周面側）に外方（図３２（ｂ）右側）へ開放される空間を形成することができる。即ち、確認窓５５４ｂの下方の空間から確認窓５５４ｂ及び確認窓５５０ｂ間の空間内へ外部から光を導入することができる。また、操作部５７１の外周面自体も光に照射された状態とすることができる。よって、ボタン部材５７０が第２位置にある状態において、確認窓５５０ｂ，５５４ｂを介して遊技者に視認させる形態（操作部５７１の外周面の白色）をより明るくすることができる。
【０２９８】
その結果、図３２（ａ）に示すように、ボタン部材５７０が第１位置にある状態において遊技者に視認させる形態と、図３２（ｂ）に示すように、ボタン部材５７０が第２位置にある状態において遊技者に視認させる形態との間のコントラストの差をより大きくすることができる。これにより、２つの状態をより明確に区別することをしやすくできるので、操作終点の位置が変更されているか否かを遊技者に容易かつ確実に識別させることができる。
【０２９９】
次いで、図３３から図５７を参照して、第２実施形態について説明する。第１実施形態では、操作終点の変更およびその解除が、ボタン部材５７０の押し込み操作により行われる場合を説明したが、第２実施形態における操作終点の変更およびその解除は、ハンドル取付台５２０に対してハンドルベース５３０（ハンドルリング５４０）を変位させることで行われる。なお、第１実施形態と同一の部分については同一の符号を付して、その説明を省略する。
【０３００】
図３３（ａ）は第２実施形態におけるハンドル装置２０５１の上面図であり、図３３（ｂ）はハンドル装置２０５１の正面図である。また、図３４は、図３３（ａ）の矢印ＸＸＸＩＩ方向視におけるハンドル装置２０５１の側面図である。なお、図３３（ａ）及び図３４では、下皿ユニット１５の前面が二点鎖線により模式的に図示される。
【０３０１】
図３３及び図３４に示すように、ハンドル装置２０５１は、ハンドル取付台２５２０と、ハンドルベース５３０と、ハンドルリング２５４０と、前カバー２５５０と、操作兼用表示片２５７０と、切り替え装置２６００（図３８から図４０参照）と、を主に備え、パチンコ機１０（図１参照）の前面から水平姿勢で突出される。
【０３０２】
ハンドル取付台２５２０及びハンドルベース５３０は、第１実施形態と同様に、ハンドル取付台２５２０の背面（図３３（ａ）左側）が下皿ユニット１５の前面に固着されると共に、一方が他方に軸支された状態で連結され、その軸支された部分を中心として、ハンドル取付台２５２０に対し、ハンドルベース５３０がハンドルリング２５４０と一体となって、上下方向に変位可能とされる（図５３から図５５参照）。
【０３０３】
本実施形態のハンドル装置２０５１は、ハンドルベース５３０をハンドル取付台２５２０に対して上下方向に変位させることで、ハンドル規制部材７００の押圧によるハンドルリング５４０の回動規制（初期位置への復帰の規制）が実行可能であることに加え、切り替え装置２６００の状態（回動可能状態または係合固定状態）の切り替え（即ち、操作終点の変更（設定）およびその解除）も実行可能に形成される。
【０３０４】
ハンドル取付台２５２０には、操作兼用表示片２５７０が配設される。操作兼用表示片２５７０は、操作終点の位置が変更（設定）されているか否かを表示するための部材であり、Ｌ字状に屈曲される棒状体として形成され、ハンドル取付台２５２０の側方から上面にわたって延設される。
【０３０５】
ハンドル取付台２５２０の側方には、切り替え装置２６００の状態（回動可能状態または係合可能状態）に応じて回動される直動変換部材２８００の軸２８０２が突出されており、その突出された軸２８０２（連結四角部２８０２ａ）に操作兼用表示片２５７０の基端が固着される。よって、切替え装置２６００の状態が切り替えられ、軸２８０２が回動されると、操作兼用表示片２５７０の延設先端がハンドル取付台２５２０の上面に沿って前後方向（図３３（ａ）左右方向）に変位され、切り替え装置２６００の状態に応じて第１位置または第２位置に保持される。
【０３０６】
ハンドル取付台２５２０の上面には、上面視三角形状の第１目盛り部Ｓ１及び第２目盛り部Ｓ２が表示される。第１目盛り部Ｓ１は、切り替え装置２６００が回動可能状態にある（即ち、操作終点の変更が解除されている）ことを示す表示であり、スイッチ部材２５９０（図４２参照）が第１位置に配置された状態における操作兼用表示片２５７０の延設先端に一致される。第２目盛り部Ｓ２は、切り替え装置２６００が係合固定状態にある（即ち、操作終点の位置が変更（設定）されている）ことを示す表示であり、スイッチ部材２５９０が第２位置に配置された状態における操作兼用表示片２５７０の延設先端に一致される。
【０３０７】
よって、遊技者は、操作兼用表示片２５７０の延設先端と表示との関係に基づいて、操作終点の位置が変更されているか否か（延設先端が第１目盛り部Ｓ１に一致される場合には操作終点が解除されており、延設先端が第２目盛り部Ｓ２に一致される場合には操作終点の位置が変更されている）を容易に認識できる。
【０３０８】
この場合、第１目盛り部Ｓ１及び第２目盛り部Ｓ２は、ハンドル装置２０５１の組み立て状態において、ハンドル取付台２５２０の上面側に配設されるので、遊技するパチンコ機１０に対面した遊技者が、例えば、遊技を開始する際には、操作兼用表示片２５７０と第１目盛り部Ｓ１及び第２目盛り部Ｓ２との位置関係を遊技者に容易に視認させることができる。
【０３０９】
ここで、操作兼用表示片２５７０は、切り替え装置２６００を回動可能状態または係合固定状態に切り替えるために遊技者により操作される操作部を兼用する。即ち、本実施形態では、ハンドルベース５３０をハンドル取付台２５２０に対して下方へ押し下げ操作することに加え、操作兼用表示片２５７０を軸２８０２（連結四角部２８０２ａ）を中心として回動させることによっても、切り替え装置２６００の状態（回動可能状態または係合固定状態）の切り替えが実行可能とされる。
【０３１０】
この場合、操作兼用表示片２５７０は、ハンドル装置２０５１の組み立て状態において、ハンドル取付台２５２０の左側（図３３（ａ）下側）の側面から上面（図３３（ａ）紙面手前側）にわたって延設されるので、遊技者は、遊技中においても（即ち、ハンドルリング２５４０を右手で回動操作している状態であっても）、逆の手（即ち、左手）により操作兼用表示片２５７０を容易に回動操作することができる。なお、切り替え装置２６００の状態の切り替え構造については、後述する。
【０３１１】
前カバー２５５０は、前方（図３３（ａ）及び図３４右方向）へ凸となる半球状に形成され、ハンドルリング５４０の前面に取り付けられる。
【０３１２】
次いで、図３５を参照して、ハンドルベース５３０について説明する。図３５はハンドル取付台２５２０及びハンドルベース５３０の正面斜視図であり、ハンドルリング２５４０及び前カバー２５５０（いずれも図３３及び図３４参照）が取り外された状態におけるハンドル装置２０５１の正面斜視図に対応する。
【０３１３】
図３５に示すように、ハンドルベース５３０は、第１実施形態と同一に形成される。軸受部５３５には、その内周側に切り替え装置２６００が回動可能に挿入される（図５３参照）。切り替え装置２６００は、第１実施形態における切り替え装置６００と同様に、ハンドルリング２５４０の操作終点の位置を変更（設定）するための部材であり、軸受部５３５に対する切り替え装置２６００の相対回動が可能な回動可能状態と相対回動が不可能な係合固定状態との２つの状態に切り替え可能とされる。
【０３１４】
なお、切り替え装置２６００は、第１実施形態における切り替え装置６００に対し、噛み込み面２５０及び逃げ面２６０（噛み込み空間２５１及び逃げ空間２６１）の形成位置が異なる（第１実施形態では前面側に開放して形成されたが（図７参照）、第２実施形態では背面側に開放して形成される）点を除き、他の構成は同一に形成される。
【０３１５】
よって、切り替え装置２６００の状態が、回動可能状態にある場合には、ハンドル側突起部５４６によって規制突起部６３０が増加方向へ押されることで、切り替え装置２６００も軸受部５３５内で増加方向へ回動される。一方、切り替え装置２６００の状態が係合固定状態に切り替えられると、切り替え装置２６００の軸受部５３５に対する相対回動が不可能とされる（軸受部５３５に固定される）ことで、ハンドル側突起部５４６の増加方向への移動が規制突起部６３０により規制される。これにより、ハンドルリング２５４０の増加方向への回動操作が規制される。即ち、切り替え装置２６００の状態が回動可能状態から係合固定状態に切り替えられた位置（回動位置）が、ハンドルリング２５４０の操作終点の位置とされる。
【０３１６】
次いで、図３６を参照して、ハンドルリング２５４０について説明する。図３６は、ハンドルリング２５４０の背面斜視図である。
【０３１７】
図３６に示すように、ハンドルリング２５４０は、中央孔２５４４ａの内径寸法が異なる（第１実施形態における中央孔５４４ａの内径寸法よりも小径とされる）点を除き、第１実施形態のハンドルリング５４０と同一に形成される。
【０３１８】
このように、中央孔２５４４ａの内径寸法を小径とすることで、主動ギヤ５４４の背面に平坦面が確保される。第２実施形態では、この主動ギヤ５４４の背面の平坦面上を摺動させることで、切り替え装置６００の回動を許容しつつ、主動ギヤ５４４の背面の平坦面で軸方向への移動を規制することで、切り替え装置６００が軸受部５３５内から正面側へ抜け出ることを規制する（図５３参照）。
【０３１９】
なお、中央孔２５４４ａには、前カバー２５５０のハンドル軸支体２５５１ａ（図３７参照）が挿通され、これにより、ハンドルリング２５４０は、前カバー２５５０を介して、ハンドルベース５３０に回動可能に保持（軸支）される（図５３参照）。
【０３２０】
次いで、図３７を参照して、前カバー２５５０について説明する。図３７は、前カバー５５０の背面斜視図である。
【０３２１】
図３７に示すように、前カバー２５５０は、内部が前面側に窪んだ（即ち、背面側が開放された）半球の容器形状に形成され、その頂部に対応する内壁面には、円柱状の軸支ベース２５５１が背面側へ向けて立設される。軸支ベース２５５１の立設先端には、ハンドルリング２５４０を軸支するためのハンドル軸支体２５５１ａが背面側へ向けて立設される。
【０３２２】
ハンドル軸支体２５５１ａは、その外径寸法がハンドルリング２５４０の中央孔２５４４ａの内径寸法よりも若干小さな寸法に設定され、これにより、ハンドルリング２５４０を回動可能に軸支する。また、ハンドル軸支体２５５１ａは、その外径寸法が軸支ベース２５５１の外径寸法よりも小さくされ、両者の接続部分に段差面が形成される。この段差面により、ハンドルリング２５４０（主動ギヤ５４４及び円板部５４１）を切り替え装置２６００との間に挟み込み、ハンドルリング２５４０の回動を許容しつつ軸方向への移動を規制する（図５３参照）。
【０３２３】
次いで、図３８から図４０を参照して、切り替え装置２６００について説明する。図３８（ａ）は、切り替え装置２６００の正面図であり、図３８（ｂ）は、図３８（ａ）の矢印ＸＸＸＶＩＩＩｂ方向視における切り替え装置２６００の側面図であり、図３８（ｃ）は、図３８（ｂ）の矢印ＸＸＸＶＩＩＩｃ方向視における切り替え装置２６００の背面図である。図３９（ａ）は、図３８（ａ）のＸＸＸＩＸａ−ＸＸＸＩＸａ線における切り替え装置２６００の断面図であり、図３９（ｂ）は、図３８（ａ）の矢印ＸＸＸＩＸｂ方向視における切り替え装置２６００の側面図である。なお、図３８及び図３９では、噛み込み球体６７０ａ，６７０ｂ、押し込み側付勢ばね６８０及び噛み込み側付勢ばね６９０の図示が省略される。
【０３２４】
図３８及び図３９に示すように、切り替え装置２６００は、本体部６１０の外周面を凹設して形成される噛み込み面６５０及び逃げ面６６０の形成位置が異なるを除き、第１実施形態の切り替え装置６００と同一に形成される。
【０３２５】
具体的には、第１実施形態では、逃げ面６６０が本体部６１０の前面に連設されると共に、その逃げ面６６０の奥側（本体部６１０の背面側）に噛み込み面６５０が配設され、逃げ空間６６１及び噛み込み空間６５１が本体部６１０の前面側に開放される空間として形成されたが（図１３及び図１４参照）、第２実施形態では、逃げ面６６０が本体部６１０の背面（図３９（ａ）下側面）に連設されると共に、その逃げ面６６０の奥側（本体部６１０の正面（前面）側）に噛み込み面６５０が配設され、逃げ空間６６１及び噛み込み空間６５１が本体部６１０の背面側（図３９（ａ）下側）に開放される空間として形成される。よって、噛み込み球体６７０ａ，６７０ｂを押し込むための押し込み片２５８３は、本体部６１０の背面側に配設される（図５３参照）。
【０３２６】
次いで、図４０を参照して、切り替え装置２６００の回動可能状態および規制固定状態とこれら両状態の切り替え構造とについて説明する。
【０３２７】
図４０（ａ）及び図４０（ｂ）は、切り替え装置２６００の断面図であり、図３８（ａ）のＸＸＸＩＸａ−ＸＸＸＶＩＸａ線における断面に対応する。図４０（ｃ）は、図４０（ａ）の矢印ＸＬｃ方向視における切り替え装置２６００の背面図であり、図４０（ｄ）は、図４０（ｂ）の矢印ＸＬｄ方向視における切り替え装置２６００の背面図である。
【０３２８】
なお、図４０では、切り替え装置２６００がハンドルベース５３０の軸受部５３５に装着（挿通）された状態が図示される。また、図４０（ａ）及び図４０（ｃ）では、噛み込み球体６７０ａ，６７０ｂが逃げ空間６６１に配置された状態が、図４０（ｂ）及び図４０（ｄ）では、噛み込み球体６７０ａ，６７０ｂが噛み込み空間６５１に配置された状態が、それぞれ図示される。
【０３２９】
図４０に示すように、切り替え装置２６００は、第１実施形態における切り替え装置６００と同様に作用する。即ち、図４０（ａ）及び図４０（ｃ）に示すように、噛み込み球体６７０ａ，６７０ｂが逃げ空間６６１に配置された状態（即ち、押し込み部材２５８０の押し込み片２５８３により噛み込み球体６７０ａ，６７０ｂが噛み込み空間６５１内に押し込まれていない状態（図５３参照））では、第１実施形態の場合と同様に、軸受部５３５の内周面と噛み込み面６５０との対向間の隙間と噛み込み球体６７０ａ，６７０ｂとの噛み込みが形成されないので、切り替え装置２６００（本体部６１０）は、回動可能状態に設定され、図４０（ｃ）に示す矢印Ａ，Ｂのいずれの方向へも軸受部５３５に対して相対的に回動可能とされる。
【０３３０】
一方、図４０（ｂ）及び図４０（ｄ）に示すように、噛み込み球体６７０ａ，６７０ｂが噛み込み空間６５１に配置された状態（即ち、押し込み部材２５８０の押し込み片２５８３により噛み込み球体６７０ａ，６７０ｂが噛み込み空間６５１内に押し込まれている状態（図５４参照））では、第１実施形態の場合と同様に、噛み込み側付勢ばね６９０の付勢力により、軸受部５３５の内周面と噛み込み面６５０との対向間であって周方向に漸減する隙間に噛み込み球体６７０ａ，６７０ｂが噛み込まれており、切替え装置２６００（本体部６１０）が図４０（ｄ）に示す矢印Ａ方向（又はＢ方向）へ回動しようとする場合には、本体部６１０の回動方向後方側（回動方向遅れ側）となる噛み込み面６５０の周方向端部（図１５（ｄ）下側（又は上側））が、軸受部５３５の内周面との対向間に噛み込み球体６７０ｂ（又は噛み込み球体６７０ａ）を更に噛み込ませるように作用し、これにより、軸受部５３５に対する切り替え装置２６００（本体部６１０）の矢印Ａ方向（又はＢ方向）への相対的な回動が阻止される。
【０３３１】
次いで、図４１を参照して、押し込み部材２５８０について説明する。図４１（ａ）は、押し込み部材２５８０の正面図であり、図４１（ｂ）は、図４１（ａ）の矢印ＸＬＩｂ方向視における押し込み部材２５８０の側面図であり、図４１（ｃ）は、図４１（ａ）のＸＬＩｃ−ＸＬＩｃ線における押し込み部材２５８０の断面図である。
【０３３２】
図４１に示すように、押し込み部材２５８０は、円板状のベース体２５８１と、そのベース体２５８１の正面に配設される連結軸２５８２及び押し込み片２５８３と、を備え、ハンドルベース５３０の軸受部５３５内に挿通され、切り替え装置２６００の背面側とスイッチ部材２５９０の正面側との間に配設される（図５３参照）。なお、連結軸２５８２及び押し込み片２５８３は、ベース体２５８１に一体に形成される。
【０３３３】
ベース体２５８１の外径寸法は、ハンドルベース５３０の軸受部５３５の内径寸法よりも若干小さな寸法に設定されており、背面側からスイッチ部材２５９０に押し込まれることで、正面側（切り替え装置６００）へ向けて軸受部５３５内を軸方向へ摺動可能とされる（図５３から図５５参照）。
【０３３４】
連結軸２５８２は、切り替え装置２６００の連結孔６２０に挿通される断面台形状の軸体として形成される部位であり（図５３から図５５参照）、ベース体２５８１の軸上で延設される（即ち、ベース体２５８１と同心に形成される）。連結軸２５８２は、切り替え装置２６００の連結孔６２０に対応した断面台形状の孔として形成される。よって、連結軸２５８２は、切り替え装置２６００の連結孔６２０に対して、軸方向へ相対移動可能かつ周方向へ相対回動不能に結合される。
【０３３５】
また、連結軸２５８２が断面台形状の軸体として形成されることで、連結軸２５８２と連結孔６２０とを相対回動不能に結合できることに加え、両者の回動方向位置（位相）の位置決めを行う（両者が結合可能な位相を１ヶ所のみに規制する）ことができる。即ち、ハンドル装置２０５１の組み立て工程においては、押し込み片２５８３の回動方向位置を、切り替え装置２６００の逃げ空間６６１に一致させた上で、連結軸２５８２と連結孔６２０とを結合させる必要があるところ（図５３から図５５参照）、本実施形態では、連結軸２５８２と連結孔６２０との回動方向位置（位相）が１ヶ所に位置決めされるので、回動方向位置を間違えて（押し込み片２５８３の回動方向位置が切り替え装置２６００の逃げ空間６６１に一致しない状態で）結合することを回避できる。その結果、組み立て作業の効率化と組み立て不良の抑制とを図ることができる。
【０３３６】
押し込み片２５８３は、切り替え装置２６００の噛み込み球体６７０ａ，６７０ｂを噛み込み空間６５１内へ押し込むための部位であり（図５３から図５５参照）、連結軸２５８２の側方においてベース体２５８１の軸に沿って延設されると共に、切り替え装置２６００の噛み込み空間６５１に対応する断面形状（即ち、噛み込み空間６５１内に挿通可能な形状）を有する板状に形成される。これにより、スイッチ部材２５９０によりベース体２５８１が背面側から切り替え装置２６００側へ向けて押し込まれると、押し込み片２５８３の延設先端面により噛み込み球体６７０ａ，６７０ｂが噛み込み空間６５１内へ押し込まれる。
【０３３７】
なお、押し込み部材２５８０は、上述したように、その連結軸２５８２が切り替え装置２６００の連結孔６２０に相対回動不能に結合される。よって、押し込み部材２５８０と切り替え装置２６００とは、連結軸２５８２及び連結孔６２０の結合を介して、一体的に回動されるので、押し込み片２５８３と逃げ空間６６１との位相を常に一致させた状態を維持できる。即ち、切り替え装置２６００がハンドルベース５３０（軸受部５３５）に対してどのような回動位置（位相）に回動されている場合であっても、スイッチ部材２５９０により押し込まれた場合には、押し込み片２５８３により切替え装置２６００の噛み込み球体６７０ａ，６７０ｂを噛み込み空間６５１内へ押し込むことができる。
【０３３８】
次いで、図４２から図４７を参照して、スイッチ部材２５９０について説明する。図４２（ａ）は、スイッチ部材２５９０の正面図であり、図４２（ｂ）は、図４２（ａ）の矢印ＸＬＩＩｂ方向視におけるスイッチ部材２５９０の側面図であり、図４２（ｃ）は、図４２（ａ）のＸＬＩＩｃ−ＸＬＩＩｃ線におけるスイッチ部材２５９０の断面図である。
【０３３９】
図４２に示すように、スイッチ部材２５９０は、円筒状のベース体２５９１と、そのベース体２５９１の内周側に挿通される円柱状の伝達棒２５９２と、その伝達棒２５９２及びベース体２５９１の間に弾性的に圧縮された状態で介設されその伸長方向への弾性回復力を伝達棒２５９２に付与する伝達棒付勢ばね２５９３と、を主に備え、伝達棒２５９２を第１位置および第２位置の２位置で保持可能に形成される（図４７参照）。
【０３４０】
図４３（ａ）は、ベース体２５９１の正面図であり、図４３（ｂ）は、図４３（ａ）のＸＬＩＩＩｂ−ＸＬＩＩＩｂ線におけるベース体２５９１の断面図である。
【０３４１】
図４３に示すように、ベース部材２５９１は、ハンドルベース５３０の軸受部５３５に内嵌されて固着される部位であり、中央に挿通孔２５９１ａが貫通形成される。挿通孔２５９１ａの内周面には、伝達棒２５９２を第１位置又は第２位置の２位置で保持するための溝である案内溝２５９１ｂが凹設される。なお、案内溝２５９１ｂを利用した伝達棒２５９２の保持構造については、後述する。
【０３４２】
図４４（ａ）は、伝達棒２５９２の側面図であり、図４４（ｂ）は、図４４（ａ）のＸＬＩＶｂ−ＸＬＩＶｂ線における伝達棒２５９２の断面図である。
【０３４３】
図４４に示すように、伝達棒２５９２は、ベース体２５９１の挿通孔２５９１ａ（図４３参照）に挿通される部材であり、断面円形の円柱状に形成される。かかる円柱状体の外周面には、その複数箇所（本実施形態では３箇所）から案内突起２５９２ａが突設される。各案内突起２５９２ａは、ベース体２５９１の案内溝２５９１ｂに沿って移動するための部位であり、それぞれ同形状に形成されると共に、周方向等間隔（本実施形態では１２０度間隔）に配置される。
【０３４４】
伝達棒２５９２の軸方向一側（図４４（ａ）下側）には、その外周面からフランジ状のフランジ部２５９１ｂが径方向外方へ張り出して形成される。かかるフランジ部２５９１ｂは、ベース体２５９１と伝達棒２５９２との間に介設される伝達棒付勢ばね２５９３（図４２参照）の付勢力を受けるための座面として機能する。即ち、伝達棒２５９２は、伝達棒付勢ばね２５９３の伸張方向への弾性回復力により、フランジ部２５９２ｂがベース体２５９１から離間する方向（図４２（ｂ）下方向）へ向けて常に付勢されている。
【０３４５】
伝達棒２５９２の軸方向（図４４（ａ）上側および下側）の両端部は、半球状の球面として形成される。特に、伝達棒２５９２のフランジ部２５９１ｂが形成される側の端部（図４４（ａ）下側）が半球状の球面として形成されることで、伝達棒２５９２を安定して移動（スライド）させることができる。即ち、本実施形態では、伝達棒２５９２がベース体２５９１の挿通孔２５９１ａに沿って直線方向に移動（スライド）される一方で、かかる伝達棒２５９２を押圧する直動変換部材２８００は、軸支部分（軸２８０２及び軸受２５２９）を中心として変位される構造であり、両者の相対的な位置関係が不定であるところ、直動変換部材２８００の押圧面部２８０４が平面として形成され、伝達棒２５９２の端部が押圧面部２８０４へ向けて膨出する球面として形成されることで、両者の接触位置を直動変換部材２８００の軸支部分（軸５６３及び軸受５２３）を中心とする変位に伴い移動させ、伝達棒２５９２をベース体２５９１の挿通孔２５９１ａに沿って直線方向へ移動（スライド）させるための力成分を連続的に発生させることができる。これにより、伝達棒２５９２を挿通孔２５９１ａ内で詰まらせることを抑制して、安定して移動させることができる。
【０３４６】
また、伝達棒２５９２のフランジ部２５９２ｂが形成される側とは反対側の端部（図４４（ａ）上側）が半球状の球面として形成されることで、ハンドルリング２５４０を回動操作する際の操作感の向上と切替え装置２６００の耐久性の向上とを図ることができる。即ち、押し込み部材２５８０のベース体２５８１は、ハンドルリング２５４０の回動操作に伴い回動される部材である一方、かかるベース体２５８１の背面には、伝達棒２５９２の端部が常に当接されている。よって、伝達棒２５９２の端部を半球状とすることで、かかる伝達棒２５９２の剛性は確保しつつ、ベース体２５８１の背面との間の接触面積を小さくできるので、伝達棒２５９２の端部とベース体２５８１の背面との間で生じる回動抵抗を小さくでき、その結果、ハンドルリング５４０を回動操作する際の操作感の向上を図ることができる。また、ベース体２５８１が回動される際に伝達棒２５９２に作用する反力を小さくできるので、かかる反力により伝達棒２５９２が回動されて、その案内突起２５９２ａ又は案内溝２５９１ｂ（図４４及び図４５参照）の破損が生じることを抑制できる。
【０３４７】
図４５は、ベース体２５９１の挿通孔２５９１ａの内周面を平面に展開して図示した平面展開図である。なお、図４５では、図面を簡素化して、理解を容易とするために、案内溝２５９１ｂの各部位への符号の図示を省略している。
【０３４８】
図４５に示すように、ベース体２５９１の案内溝２５９１ｂは、挿通孔２５９１ａの周方向（図４５左右方向）に沿って周期性を有して形成される。具体的には、案内溝２５９１ｂは、中心角１２０度の範囲に対応する範囲ＸＬＶＩを周方向に繰り返す形状（範囲ＸＬＶＩの形状を周方向に３つ並べた形状）とされる。よって、伝達棒２５９２の３つの案内突起２５９２ａは、それぞれ別の範囲ＸＬＶＩにおける案内溝２５９１ｂによって案内される。
【０３４９】
次いで、図４６を参照して、伝達棒２５９２の案内突起２５９２ａがベース体２５９１の案内溝２５９１ｂに案内されることで、スイッチ部材２５９０（伝達棒２５９２）が第１位置または第２位置に保持される構造について説明する。なお、この説明においては、図４７及び図５３から図５５を適宜参照する。
【０３５０】
図４６は、図４５における範囲ＸＬＶＩを部分的に拡大して図示した案内溝２５９１ｂの部分拡大展開図である。図４７（ａ）から図４７（ｃ）は、スイッチ部材２５９０の側面図である。なお、図４７（ａ）は、スイッチ部材２５９０（伝達棒２５９２）が第１位置に配置され、押し込み部材２５８０の押し込みが行われていない状態に対応し（図５３参照）、図４７（ｃ）は、スイッチ部材２５９０（伝達棒２５９２）が第２位置に配置され、押込み部材２５８０を押し込んだ状態に対応する。また、図４７（ｂ）は、スイッチ部材２５９０（伝達棒２５９２）が第１位置から第２位置（又は第２位置から第１位置）に遷移する際に通過する第３位置に配置された状態に対応する。
【０３５１】
図４６に示すように、案内突起２５９２ａが案内溝２５９１ｂの位置Ｐ１に位置する状態では、スイッチ部材２５９０は、伝達棒２５９２が第１位置に配置される（図４７（ａ）参照）。この状態では、伝達棒付勢ばね２５９３の付勢力により、案内突起２５９２ａが案内溝２５９１ｂの第１壁部Ｗａに押し付けられ、位置Ｐ１に保持されことで、伝達棒２５９２が第１位置に保持される。
【０３５２】
なお、この状態では、伝達棒２５９２がベース体２５９１の正面から突出されておらず、押し込み部材２５８０が切替え装置２６００側へ押し込まれていないので（図５３参照）、切り替え装置２６００は、噛み込み球体６７０ａ，６７０ｂが逃げ空間６６１に配置され、回動可能状態に設定される。
【０３５３】
案内突起２５９２ａが案内溝２５９１ｂの位置Ｐ１に位置する状態（即ち、伝達棒２５９２が第１位置に配置された状態（図４７（ａ）及び図５３参照））から、ハンドルリング５４０（ハンドルベース５３０）が下方へ変位され、伝達棒２５９２が直動変換部材２８００により背面側から押し込み部材２５８０側（即ち、図４７（ａ）矢印Ｇ方向）へ向けて押し込まれると、案内突起２５９２ａが案内溝２５９１ｂの形状に沿って案内され（経路Ｌ１）、上昇傾斜壁部Ｗｂに突き当たる。ハンドルリング５４０が下方へ更に変位され、伝達棒２５９２が直動変換部材２８００により背面側から押し込み部材２５８０へ向けて更に押し込まれると、案内突起２５９２ａが案内溝２５９１ｂの上昇傾斜壁部Ｗｂに沿って案内され（経路Ｌ２）、位置Ｐａにおいて案内規制壁部Ｗｃに突き当たる。なお、この状態が、伝達棒２５９２が第３位置に配置された状態（図４７（ｂ）及び図５５参照）に対応する。
【０３５４】
案内突起２５９２ａが案内溝２５９１ｂの位置Ｐａにおいて、案内規制壁部Ｗｃに突き当たった後（図４７（ｂ）及び図５５参照）、遊技者が操作力を緩めることで、ハンドルリング５４０（ハンドルベース５３０）の下方への変位が解除され、直動変換部材２８００が後退されると（図５５参照）、伝達棒２５９２が伝達棒付勢ばね２５９３の付勢力により引き戻される（図４７（ｂ）矢印Ｈ方向）。その結果、案内突起２５９２ａが案内溝２５９１ｂの形状に沿って案内され（経路Ｌ３）、下降傾斜壁部Ｗｄに突き当たると共に、その下降傾斜壁部Ｗｄに沿って案内され、位置Ｐ２に到達する（経路Ｌ４）。
【０３５５】
案内突起２５９２ａが案内溝２５９１ｂの位置Ｐ２に位置する状態では、伝達棒２５９２が第２位置に配置される（図４７（ｃ）及び図５５参照）。この状態では、伝達棒付勢ばね２５９３の付勢力により、案内突起２５９２ａが第２壁部Ｗｅに押し付けられ、位置Ｐ２に保持されることで、伝達棒２５９２が第２位置に保持される。
【０３５６】
また、この状態では、伝達棒２５９２がベース体２５９１の正面から突出されることで、押し込み部材２５８０が切替え装置２６００側へ向けて押し込まれているので（図５５参照）、切り替え装置２６００は、噛み込み球体６７０ａ，６７０ｂが噛み込み空間６５１内に押し込まれ、係合固定状態に設定される。
【０３５７】
案内突起２５９２ａが案内溝２５９１ｂの位置Ｐ２に位置する状態（即ち、伝達棒２５９２が第２位置に配置された状態（図４７（ｃ）及び図５５参照）から、ハンドルリング５４０（ハンドルベース５３０）が下方へ変位され、伝達棒２５９２が直動変換部材２８００により背面側から押し込み部材２５８０側（即ち、図４７（ｃ）矢印Ｇ方向）へ向けて押し込まれると、案内突起２５９２ａが案内溝２５９１ｂの形状に沿って案内され（経路Ｌ５）、上昇傾斜壁部Ｗｆに突き当たる。ハンドルリング５４０が下方へ更に変位され、伝達棒２５９２が直動変換部材２８００により背面側から押し込み部材２５８０へ向けて更に押し込まれると、案内突起２５９２ａが上昇傾斜壁部Ｗｆに沿って案内され（経路Ｌ６）、位置Ｐｂにおいて案内規制壁部Ｗｇに突き当たる。即ち、伝達棒２５９２が第３位置に配置される（図４７（ｂ）及び図５４参照）。
【０３５８】
案内突起２５９２ａが案内溝２５９１ｂの位置Ｐｂにおいて、案内規制壁部Ｗｇに突き当たった後（図４７（ｂ）及び図５４参照）、遊技者が操作力を緩めることで、ハンドルリング５４０（ハンドルベース５３０）の下方への変位が解除され、直動変換部材２８００が後退されると（図５５参照）、伝達棒２５９２が伝達棒付勢ばね２５９３の付勢力により引き戻される（図４７（ｂ）矢印Ｈ方向）。その結果、案内突起２５９２ａが案内溝２５９１ｂの形状に沿って案内され（経路Ｌ７）、下降傾斜壁部Ｗｈに突き当たると共に、その下降傾斜壁部Ｗｈに沿って案内され、位置Ｐ１に到達する（経路Ｌ８）。即ち、伝達棒２５９２が第１位置に配置（復帰）される（図４７（ａ）及び図５３参照）。
【０３５９】
次いで、図４８から図５２を参照して、ハンドル取付台２５２０及び直動変換部材２８００について説明する。図４８は、ハンドルベース５３０、ハンドル取付台２５２０及び直動変換部材２８００の分解状態における背面斜視図であり、図４９は、ハンドルベース５３０、ハンドル取付台２５２０及び直動変換部材２８００の組み立て状態における背面斜視図である。
【０３６０】
なお、図４８及び図４９では、可変抵抗器や発射停止スイッチ操作部４４０などが取り外された状態が図示され、また、図４８では、軸５６３及び軸受５２３と軸２８０２及び軸受２５２９との位置関係がそれぞれ二点鎖線を用いて模式的に図示される。
【０３６１】
図４８及び図４９に示すように、ハンドル取付台２５２０には、ハンドルベース５３０の背面側に対面して、直動変換部材２８００が配設される。直動変換部材２８００は、ハンドル取付台２５２０に対するハンドルベース５３０の変位（軸支部分（軸５６３及び軸受５２３）を中心とする下方への変位）に伴い、スイッチ部材２５９０の伝達棒２５９２を背面側から押し込み部材２５８０へ向けて押し込むための部材であり（図５３から図５５参照）、ハンドル取付台２５２０に軸支部分（軸２８０２及び軸受２５２９）を中心とする変位が可能な状態に配設される。ここで、図５０及び図５１を参照して、ハンドル取付台２５２０について説明する。
【０３６２】
図５０は、ハンドル取付台２５２０の分解状態における斜視図である。図５１（ａ）は、ハンドル取付台２５２０の組み立て状態における斜視図であり、図５１（ｂ）は、第１本体２５２０ａの内側面図である。
【０３６３】
図５０及び図５１に示すように、ハンドル取付台２５２０（第１本体２５２０ａ及び第２本体２５２０ｂ）は、第１実施形態におけるハンドル取付台５２０（第１本体５２０ａ及び第２本体５２０ｂ）に対し、軸受部２５２９が更に設けられている（追加されている）点を除き、他の構成は同一に形成される。
【０３６４】
軸受部２５２９は、直動変換部材２８００の軸２８０２を回動可能に軸支するための軸受部（凹部）であり、第１本体２５２０ａ及び第２本体２５２０ｂの内壁面にそれぞれ設けられることで、一対が対向して配設される。この軸受２５２９に直動変換部材２８００の軸２８０２が軸支されることで、その軸支された部分を中心（支点）として、直動変換部材２８００がハンドル取付台２５２０に対して変位（揺動、回動）可能とされる（図５３から図５５参照）。
【０３６５】
なお、一対の軸受部２５２９のうちの一方（第１本体２５２０ａ側）の軸受部２５２９には、係止爪部２５２９ａが外周面から突設される。係止爪部２５２９ａには、直動変換部材２８００に付勢力を付与するための直動変換部材付勢ばね２８９０の端部が係止される（図４８参照）。また、一対の軸受部２５２９の軸受部２５２９のうちの他方（第２本体２５２０ｂ側）の軸受部２５２９は、図５１（ａ）に示すように、その軸支孔がハンドル取付台２５２０（第２本体２５２０ｂ）の壁面を貫通して形成される。これにより、直動変換部材２８００の軸部２８０２の端部がハンドル取付台２５２０の壁面から外部に突出される（図４９参照）。
【０３６６】
図４８及び図４９に戻って説明する。直動変換部材２８００は、ハンドル取付台２５２０に対してハンドルベース５３０の軸支部分（軸５６３及び軸受５２３）を中心とする変位に伴って、スイッチ部材２５９０を押し込み部材２５８０へ向けて押し込むための部材であり（図５３から図５５参照）、ハンドルベース５３０の背面側に対面しつつ、ボス部材５６０の下方において互いの軸５６３，２８０２を平行とする姿勢で配設される。
【０３６７】
ボス部材５６０は、その突出部５６２が下方に開口を有する中空状に形成され、直動変換部材２８００は、ボス部材５６０の下方に配設されることで、ボス部材５６０の突出部５６２内に形成される空間を、押圧面部２８０４を変位させる空間として利用する（図５３参照）。これにより、ハンドル取付台２５２０内の限られたスペース内であっても、直動変換部材２８００を大型化することができる。ここで、図５２を参照して、直動変換部材２８００の詳細構成について説明する。
【０３６８】
図５２（ａ）は、図４８の矢印ＬＩＩａ方向視における直動変換部材２８００の側面図であり、図５２（ｂ）は、図５２（ａ）の矢印ＬＩＩｂ方向視における直動変換部材２８００の正面図であり、図５２（ｃ）は、図５２（ｂ）の矢印ＬＩＩｃ方向視における直動変換部材２８００の側面図である。
【０３６９】
図５２に示すように、直動変換部材２８００は、円柱状の本体部２８０１と、その本体部２８０１の両端からそれぞれ同心に延設される軸２８０２と、本体部２８０２の外周面から突設される連動面部２８０３、押圧面部２８０４及び係止爪部２８０５と、を備え、これらが一体に形成される。
【０３７０】
軸２８０２は、ハンドル取付台２５２０の軸受２５２９に回動可能に軸支される部位であり、本体部２８０１よりも小径に形成される。よって、本体部２８０１と軸２８０２との接続部分に段差面が形成され、かかる段差面がハンドル取付台２５２０の軸受２５２９における端面に当接されることで（図４８参照）、直動変換部材２８００がハンドル取付台２５２０に対して左右（本体部２８０１の軸方向）に位置決めされる。
【０３７１】
一対の軸２８０２のうちの一方（第２本体２５２０ｂ側であって、図５２（ｂ）左側）の軸２８０２は、他方（第１本体２５２０ａ側であって、図５２（ｂ）右側）の軸２８０２に対して、軸方向の長さ寸法が長くされる。ハンドル装置２０５１の組み立て状態では、一方の軸２８０２の端部が第２本体２５２０ｂの壁面から外部に突出される（図４９参照）。この突出される一方の軸２８０２の端部には、断面四角形状の連結四角部２８０２ａが形成され、この連結四角部２８０２ａには、操作兼用表示片２５７０の基部が相対回動不能に固着される（図３４参照）。
【０３７２】
連動面部２８０３及び押圧面部２８０４は、本体部２８０１の外周面から径方向外方へ向けて延設される平板状の部位であり、その板面を軸２８０２の延設方向に対して平行とする姿勢で配設されると共に、図５２（ａ）及び図５２（ｃ）に示すように、互いに位相を異ならせて配設される。
【０３７３】
なお、これら両者の位相は、次の通り設定される。即ち、ハンドル装置２０５１の組み立て状態において、スイッチ部材２５９０（伝達棒２５９２）が第１位置にある場合には、そのスイッチ部材２５９０の伝達棒２５９２の端部が押圧面部２８０４の正面（前面、図５２（ｂ）紙面手前側の面）に当接され、かつ、連動面部２８０３の延設先端（図５２（ｂ）下側の端部）が可変抵抗器（図示せず）の背面に当接されると共に（図５３参照）、スイッチ部材２５９０（伝達棒２５９２）が第２位置にある場合には、そのスイッチ部材２５９０の伝達棒２５９２の端部が押圧面部２８０４の正面に当接され、かつ、連動面部２８０３の延設先端がハンドル取付部２５２０の下合わせ面部５２８からハンドルベース５３０側へ突出される（図５５参照）。
【０３７４】
よって、後述するように、ハンドル取付台２５２０に対してハンドルベース５３０が軸支部分（軸５６３及び軸受５２３）を中心として下方へ押し下げ操作されると、連動面部２８０３の延設先端が、可変抵抗器（図示せず）の背面によって後方（背面側、例えば、図５３左方向）へ押し戻される。このように、本実施形態では、可変抵抗器の背面を連動面部２８０３の延設先端を押し戻すための部位として利用する。これにより、連動面部２８０３の延設先端を押し戻すための平坦面をハンドルベース５３０の背面側に更に確保する必要がないので、ハンドルベース５３０（ハンドル装置２０５１）の小型化を図ることができる。
【０３７５】
また、可変抵抗器の背面は、ハンドルベース５３０の背面側に突出されており、軸２８０２により近い位置で連動面部２８０３の延設先端を後方へ押し戻すことができるので、押圧面部２８０４の移動量をより大きくすることができる。この場合、連動面部２８０３の延設先端を押し戻すための平坦面をハンドルベース５３０の背面側に更に設ける構造では、かかる平坦面を可変抵抗器の背面と同等となる位置（背面側に突出される位置）に設けようとすると、その平坦面を設ける部分のみが厚肉となるため、ハンドルベース５３０の肉厚が部分的に不均一となり、射出成形時の歩留まりの悪化を招く。これに対し、可変抵抗器の背面を利用する構造であれば、ハンドルベース５３０の肉厚を全体に均一化できるので、射出成形時の歩留まりの向上を図ることができる。
【０３７６】
係止爪部２８０５は、直動変換部材付勢ばね２８９０の端部を係止するための部位であり（図５３参照）、屈曲されたフック状に形成される。なお、直動変換部材付勢ばね２８９０は、ねじりばねとして形成され、図５２（ａ）における側面視において、直動変換部材２８０１に右回り（時計回り）方向への付勢力を付与する。これにより、直動変換部材２８０１は、押圧面部２８０４の正面をスイッチ部材２５９０の伝達棒２５９２の端部に当接させた状態に維持される。
【０３７７】
次いで、図５３から図５５を参照して、ハンドル取付台２５２０に対するハンドルベース５３０の軸支部分を中心とする下方への変位（押し下げ操作）により、切り替え装置２６００を回動可能状態または係合固定状態に切り替えるための切り替え構造について説明する。なお、この切り替え構造の説明においては、図５６を適宜参照する。
【０３７８】
図５３から図５５は、ハンドル装置２０５１の部分断面側面図であり、図５３及び図５５では、ハンドルベース５３０がハンドル取付台２５２０に対して下方へ押し下げ操作される前の状態が図示されると共に、図５４では、ハンドルベース５３０がハンドル取付台２５２０に対して下方へ押し下げ操作された状態が図示される。
【０３７９】
なお、図５３、図５４及び図５５は、スイッチ部材２５９０の伝達棒２５９２が、第１位置、第３位置および第２位置に配置された状態にそれぞれ対応する。また、図５３から図５５では、ハンドル取付台２５２０の第２本体２５２０ｂが取り外された状態が図示されると共に、各部品の配線の図示が省略される。
【０３８０】
また、図５６（ａ）及び図５７（ａ）は、ハンドル装置２０５１の部分拡大側面図であり、図５６（ｂ）及び図５７（ｂ）は、ハンドル装置２０５１の部分拡大上面図である。なお、図５６（ａ）及び図５６（ｂ）は、スイッチ部材２５９０の伝達棒２５９２が、第１位置に配置された状態であって、図５３に示す状態にに対応し、図５７（ａ）及び図５７（ｂ）は、スイッチ部材２５９０の伝達棒２５９２が、第２位置に配置された状態であって、図５５に示す状態に対応する
図５３に示すように、スイッチ部材２５９０（伝達棒２５９２）が第１位置にある状態では、伝達棒２５９２の先端がベース体２５９１の正面（前面、図５３右側面）から突出されていないので（図４７（ａ）参照）、押し込み部材２５８０は、伝達棒２５９２により押し込まれておらず、背面側（図５３左側）へ後退した位置に配置されるので、その押し込み部材２５８０の押し込み片２５８３は、切り替え装置２６００の逃げ空間６６１に配置される。よって、切り替え装置２６００は、噛み込み球体６７０ａ，６７０ｂが押し込み側付勢ばね６８０の付勢力により逃げ空間６６１に配置され、これにより、軸受部５３５に対して相対的に回動可能な回動可能状態（図４０（ａ）及び図４０（ｃ）参照）に設定される。
【０３８１】
このように切り替え装置２６００が回動可能状態に設定された状態（図５３に示すように、スイッチ部材２５９０（伝達棒２５９２）が第１位置にある状態）では、切り替え装置２６００が軸受部５３５に対して回動可能とされているので（即ち、操作終点が変更（設定）されていない）、第１実施形態の場合と同様に、ハンドルリング２５４０が初期位置θ０から操作位置θ１まで増加方向へ回動操作されると、ハンドルリング２５４０のハンドル側突起部５４６が切り替え装置２６００の規制突起部６３０を増加方向へ押すことで、切り替え装置２６００をハンドルリング２５４０に連動させて増加方向へ回動させる（図２８（ａ）及び図２８（ｂ）参照）。
【０３８２】
一方、ハンドルリング５４０が減少方向へ回動操作されると、第１実施形態の場合と同様に、切り替え装置２６００は、切り替え装置付勢ばね５３９（図３５参照）の付勢力により、ハンドルリング２５４０に追従して、減少方向へ回動される。即ち、ハンドルリング２５４０が操作位置θ１から初期位置θ０まで減少方向へ回動操作されると、切り替え装置２６００も、切り替え装置付勢ばね５３９の付勢力により、減少方向へ回動され、規制突起部６３０がハンドル側突起部５４６に当接される回動位置に配置される（図２８（ａ）及び図２８（ｂ）参照）。
【０３８３】
よって、図５３に示すように、切り替え装置２６００が回動可能状態に設定された状態（スイッチ部材２５９０（伝達棒２５９２）が第１位置にある状態）では、ハンドルリング２５４０が増加方向または減少方向のいずれの方向へ回動操作される場合であっても、切り替え装置２６００が連動（同期）して回動され、それらハンドルリング２５４０と切り替え装置２６００の回動位置（位相）が一致される（図２８（ａ）及び図２８（ｂ）参照）。
【０３８４】
なお、図５３に示すように、スイッチ部材２５９０の伝達棒２５９２が第１位置にある状態では、その伝達棒２５９２が背面側（図５３左側）に突出され、その分、直動変換部材２８００の押圧面部２８０４も背面側に後退されるので、直動変換部材２８００は、軸２８０２を中心として図５３左回り（反時計回り）に回動された状態とされる。これにより、図５６（ａ）に示すように、操作兼用表示片２５７０も、その基端（即ち、直動変換部材２８００の軸２８０２における連結四角部２８０２ａ）を中心として図５６（ａ）左回り（反時計回り）に回動された状態とされ、その結果、図５６（ｂ）に示すように、操作兼用表示片２５７０は、その延設先端が、第１目盛り部Ｓ１及び第２目盛り部Ｓ２のうちの第１目盛り部Ｓ１に一致される（第１目盛り部Ｓ１を指し示す）。
【０３８５】
よって、遊技者は、操作兼用表示片２５７０と両目盛り部Ｓ１，Ｓ２との関係に基づいて、スイッチ部材２５９０が第１位置に配置されている（即ち、ハンドルリング２５４０の操作終点の位置は変更されていない）ことを容易に識別することができる。
【０３８６】
図５３に示す状態から、ハンドルベース５３０がハンドル取付台５２０に対して軸支部分（軸５６３及び軸受５２３）を中心として下方へ押し下げ操作されると、直動変換部材２８００の連動面部２８０３の延設先端が、ハンドルベース５３０の可変抵抗器（図示せず）の背面に沿って摺動されることで、背面側（図５３左側）へ向けて後退され、直動変換部材２８００が軸２８０２を中心として図５３右回り（時計回り）に回動される。
【０３８７】
これにより、直動変換部材２８００の押圧面部２８０４が正面側（図５３右側）へ向けて前進され、かかる押圧面部２８０４によりスイッチ部材２５９０の伝達棒２５９２が押し込み部材２５８０へ向けて押し込まれることで、図５４に示すように、スイッチ部材２５９０の伝達棒２５９２が第３位置に配置される。
【０３８８】
図５４に示す状態から、遊技者がハンドルベース５３０を下方へ押し下げ操作する操作力を緩め、ハンドルベース５３０の下方への変位が解除される（即ち、ハンドルベース５３０が上方へ変位して、水平状態に復帰される）と、図５５に示すように、スイッチ部材２５９０の伝達棒２５９２が、伝達棒付勢ばね２５９３の付勢力により引き戻され（図４７（ｂ）及び図４７（ｃ）参照）、第２位置に配置される（図５５参照）。
【０３８９】
図５５に示すように、スイッチ部材２５９０の伝達棒２５９２が第２位置にある状態（第１位置から第３位置を通過して第２位置に配置された状態）では、伝達棒２５９２の先端がベース体２５９１の正面（前面、図５５右側面）から突出され（図４７（ｃ）参照）、その突出の分、押し込み部材２５８０が前面側（図５５右側）へ前進した（押し込まれた）位置に配置されるので、切り替え装置２６００は、その噛み込み球体６７０ａ，６７０ｂが噛み込み空間６５１に配置され（即ち、押し込み部材２５８０の押し込み片２５８３により噛み込み球体６７０ａ，６７０ｂが噛み込み空間６５１内に押し込まれ）、これにより、軸受部５３５に対して相対的に回動不能な係合固定状態（図４０（ｂ）及び図４０（ｄ）参照）に設定される。
【０３９０】
切り替え装置２６００が係合固定状態に設定された状態では、上述した通り、噛み込み球体６７０ａ，６７０ｂが、軸受部５３５の内周面と噛み込み面６５０との対向間であって周方向に漸減する隙間に噛み込まれることで、軸受部５３５に対する切り替え装置２６００（本体部６１０）の回動が規制（阻止）される。
【０３９１】
よって、ハンドルリング２５４０が操作位置θ１に回動操作された状態において（図２８（ｂ）参照）、ハンドル取付台２５２０に対しハンドルベース５３０を下方へ押し下げ操作して、スイッチ部材２５９０の伝達棒２５９２を第１位置から第２位置へ遷移させることで、切り替え装置２６００を係合固定状態に設定して、切り替え装置２６００を操作位置θ１に対応する回動位置（即ち、ハンドルベース５３０がハンドル取付台２５２０に対して押し下げ操作された結果、伝達棒２５９２が第２位置に配置された時点における回動位置）に固定することができる（図２８（ｃ）参照）。
【０３９２】
このように、切り替え装置２６００が係合固定状態に設定され、その回動位置が固定された状態では、ハンドルリング２５４０を減少方向へ回動させても、切り替え装置２６００は、ハンドルリング２５４０の回動に連動（同期）せず、操作位置θ１に対応する回動位置に保持される（図２９（ａ）及び図２１（ｂ）参照）。即ち、ハンドルリング２５４０は、切り替え装置２６００とは独立して、減少方向および操作方向へ回動操作可能とされる（図２９（ａ）参照）。
【０３９３】
この場合、例えば、切り替え装置２６００が操作位置θ１に対応する回動位置に保持（固定）された状態において（図２９（ｂ）参照）、初期位置θ０に復帰されているハンドルリング２５４０を増加方向へ回動操作する場合には、その回動操作は、操作位置θ１が操作終点とされる。即ち、ハンドルリング２５４０は、その増加方向への回動操作が操作位置θ１に達すると、ハンドル側突起部５４６が規制突起部６３０に当接され、それ以上の増加方向への回動操作が規制される（図２８（ｃ）参照）。
【０３９４】
なお、図５５に示すように、スイッチ部材２５９０の伝達棒２５９２が第２位置にある状態では、その伝達棒２５９２が正面側（図５５右側）に押し込まれ、その分、直動変換部材２８００の押圧面部２８０４も前面側へ前進されるので、直動変換部材２８００は、軸２８０２を中心として図５５右回り（時計回り）に回動された状態とされる。これにより、図５７（ａ）に示すように、操作兼用表示片２５７０も、その基端（即ち、直動変換部材２８００の軸２８０２における連結四角部２８０２ａ）を中心として図５７（ａ）右回り（時計回り）に回動された状態とされ、その結果、図５７（ｂ）に示すように、操作兼用表示片２５７０は、その延設先端が、第１目盛り部Ｓ１及び第２目盛り部Ｓ２のうちの第２目盛り部Ｓ２に一致される（第２目盛り部Ｓ２を指し示す）。
【０３９５】
よって、遊技者は、操作兼用表示片２５７０と両目盛り部Ｓ１，Ｓ２との関係に基づいて、スイッチ部材２５９０が第２位置に配置されている（即ち、ハンドルリング２５４０の操作終点の位置が変更されている）ことを容易に識別することができる。
【０３９６】
ここで、図５５に示す状態（スイッチ部材２５９０の伝達棒２５９２が第２位置に配置された状態）から、図５３に示す状態（スイッチ部材２５９０の伝達棒２５９２が第１位置に配置された状態）への変更（復帰）は、ハンドルベース５３０をハンドル取付台２５２０に対して軸支部分（軸５６３及び軸受５２３）を中心として下方へ押し下げ操作して、図５４に示すように、スイッチ部材２５９０の伝達棒２５９２を第３位置に配置した後、ハンドルベース５３０の下方への押し下げ操作を解除する（即ち、ハンドルベース５３０を上方へ変位させて、水平状態に復帰させる）ことで行うことができる。即ち、かかる操作により、図５３に示すように、スイッチ部材２５９０の伝達棒２５９２が、伝達棒付勢ばね２５９３の付勢力により引き戻され（図４７（ａ）及び図４７（ｂ）参照）、第２位置から第１位置に配置（復帰）される（図４６参照）。
【０３９７】
この場合、例えば、切り替え装置２６００が操作位置θ１に対応する回動位置に保持（固定）された状態において（図２９（ｂ）参照）、上述した操作（伝達棒２５９２を、第２位置から第３位置を通過させて第１位置に復帰させる操作）が行われると、切り替え装置２６００は、係合固定状態から回転可能状態に切り替えられ、軸受部５３５に対して回動可能とされるので、切り替え装置付勢ばね２５３９の付勢力を受けて、初期位置（規制突起６３０がハンドル側突起部５４６に当接される回動位置）へ復帰される（図２８（ａ）参照）。
【０３９８】
切り替え装置２６００は、その連結孔６２０と押し込み部材２５８０の連結軸２５８２との結合を介して、押し込み部材２５８０の押し込み片２５８３と常に連動（同期）して回動されるため、第１実施形態の場合と同様に、ハンドルリング２５４０が回動操作されている状態であっても、ハンドル取付台２５２０に対するハンドルベース５３０の下方への押し下げ操作により、係合固定状態から回転可能状態への切り替え（即ち、切り替え装置２６００の初期位置への復帰であって、操作終点の変更の解除）が可能とされる。これにより、ハンドルリング２５４０が回動操作されている状態でも、操作終点の変更（設定）を解除するために、かかるハンドルリング２５４０を初期位置へ一旦復帰させる必要がない。よって、例えば、操作終点の位置を別の位置へ再設定する必要が生じた場合には、ハンドルリング２５４０の回動操作を維持しつつ（即ち、遊技を継続しつつ）、その再設定動作を迅速に行うことができる。
【０３９９】
また、切り替え装置２６００を、係合固定状態から回転可能状態へ切り替える操作（操作終点の変更を解除する、即ち、切り替え装置２６００を初期位置へ復帰させる復帰動作）と、回転可能状態から係合固定状態へ切り替える操作（操作終点を変更（設定）する変更動作）との両者が、ハンドル取付台２５２０に対するハンドルベース５３０の下方への押し下げ操作により達成される。即ち、同一の部材を同一の方向へ操作することで達成できる。これにより、第１実施形態の場合と同様に、変更動作および復帰動作の操作を行いやすくできる。特に、変更動作による状態と復帰動作による状態とは交互に切り替えられるものであるので、これら２つの状態が同一の操作を繰り返すことで切り替え可能となることが操作性の向上に有効となる。また、同一の部材を同一の方向へ操作する構造であることから、ハンドル取付台２５２０に対するハンドルベース５３０の操作可能な方向を一方向のみに限定することができるので、その分、構造を簡素化して、製品コストの削減を図ることができる。
【０４００】
上述したように、操作兼用表示片２５７０は、切り替え装置２６００を回動可能状態または係合固定状態に切り替えるために遊技者に操作される操作部を兼用する。即ち、ハンドルベース５３０をハンドル取付台２５２０に対して下方へ押し下げ操作することに代えて、操作兼用表示片２５７０を、軸２８０２（連結四角部２８０２ａ）を中心として回動させることによっても、切り替え装置２６００の状態（回動可能状態または係合固定状態）の切り替えが実行可能とされる。
【０４０１】
例えば、図５３及び図５６に示すように、スイッチ部材２５９０（伝達棒２５９２）が第１位置にある状態では、操作兼用表示片２５７０は、その延設先端が第１目盛り部Ｓ１を指し示す位置に配置されている。この図５３及び図５６に示す状態から、操作兼用表示片２５７０が軸２８０２（連結四角部２８０２ａ）を中心として第２目盛り部Ｓ２へ向けて回動操作されると、直動変換部材２８００が軸２８０２を中心として図５３右回り（時計回り）に回動され、直動変換部材２８００の押圧面部２８０４が正面側（図５３右側）へ向けて前進される。その結果、押圧面部２８０４によりスイッチ部材２５９０の伝達棒２５９２が押し込み部材２５８０へ向けて押し込まれ、かかるスイッチ部材２５９０の伝達棒２５９２が第３位置に配置される（図４７（ａ）及び図４７（ｂ）参照）。なお、この状態では、操作兼用表示片２５７０は、その延設先端が第２目盛り部Ｓ２を越える位置まで回動操作されている。
【０４０２】
このスイッチ部材２５９０（伝達棒２５９２）が第３状態に配置された状態から、遊技者が操作兼用表示片２５７０を回動操作する操作力を緩めると、図５５及び図５７に示すように、スイッチ部材２５９０の伝達棒２５９２が、伝達棒付勢ばね２５９３の付勢力により引き戻され（図４７（ｂ）及び図４７（ｃ）参照）、第２位置に配置される（図４６参照）。このスイッチ部材２５９０（伝達棒２５９２）の第２位置への配置に伴い、操作兼用表示片２５７０は、その延設先端が第２目盛り部Ｓ２を指し示す。
【０４０３】
一方、図５５及び図５７に示すように、スイッチ部材２５９０（伝達棒２５９２）が第２位置にある状態では、操作兼用表示片２５７０は、その延設先端が第２目盛り部Ｓ２を指し示す位置に配置されている。この図５５及び図５７に示す状態から、操作兼用表示片２５７０が軸２８０２（連結四角部２８０２ａ）を中心として第１目盛り部Ｓ１と反対側（即ち、図５５及び図５７右方向）へ向けて回動操作されると、直動変換部材２８００が軸２８０２を中心として図５５右回り（時計回り）に回動され、直動変換部材２８００の押圧面部２８０４が正面側（図５３右側）へ向けて前進される。その結果、押圧面部２８０４によりスイッチ部材２５９０の伝達棒２５９２が押し込み部材２５８０へ向けて押し込まれ、かかるスイッチ部材２５９０の伝達棒２５９２が第３位置に配置される（図４７（ｂ）及び図４７（ｃ）参照）。
【０４０４】
即ち、この状態では、上述したスイッチ部材２５９０（伝達棒２５２９）を第１位置から第２位置へ配置する場合と同様に、操作兼用表示片２５７０は、その延設先端が第２目盛り部Ｓ２を越える位置（即ち、第２目盛り部Ｓ２よりもハンドルリング２５４０側の位置）に回動操作されている。
【０４０５】
このスイッチ部材２５９０（伝達棒２５９２）が第３状態に配置された状態から、遊技者が操作兼用表示片２５７０を回動操作する操作力を緩めると、図５３及び図５６に示すように、スイッチ部材２５９０の伝達棒２５９２が、伝達棒付勢ばね２５９３の付勢力により引き戻され（図４７（ａ）及び図４７（ｂ）参照）、第１位置に配置される（図４６参照）。このスイッチ部材２５９０（伝達棒２５９２）の第１位置への配置に伴い、操作兼用表示片２５７０は、その延設先端が第１目盛り部Ｓ１を指し示す。
【０４０６】
このように、操作終点の位置が変更（設定）されているか解除されているかを表示して遊技者に識別させるための識別部材（操作兼用表示片２５７０）を、操作終点の位置の変更（設定）及びその解除を行うために遊技者により操作される操作部材としても兼用するので、その分、部品点数を削減して、製品コストの低減を図ることができる。
【０４０７】
この場合、操作終点の位置を変更（設定）するための変更動作（即ち、図５３及び図５６に示す第１位置に配置されたスイッチ部材２５９０（伝達棒２５９２）を図５５及び図５７に示す第２位置に配置する動作）は、操作兼用表示片２５７０を、操作終点の位置の変更（設定）が解除されている（即ち、伝達棒２５９２が第１位置に配置されている）ことを意味する第１目盛り部Ｓ１を指し示す位置から、操作終点の位置が変更（設定）されている（即ち、伝達棒２５９２が第２位置に配置されている）ことを意味する第２目盛り部Ｓ２を指し示す位置へ配置させる操作により達成されるので、かかる操作が変更動作であることを遊技者に対して直感的に認識させつつ操作させることができる。その結果、不用意な誤操作を抑制できる。
【０４０８】
同様に、操作終点の位置の変更（設定）を解除するための解除動作（即ち、図５５及び図５７に示す第２位置に配置されたスイッチ部材２５９０（伝達棒２５９２）を図５３及び図５６に示す第１位置に配置する動作）は、操作兼用表示片２５７０を、操作終点の位置が変更（設定）されている（即ち、伝達棒２５９２が第２位置に配置されている）ことを意味する第２目盛り部Ｓ２を指し示す位置から、操作終点の位置の変更（設定）が解除されている（即ち、伝達棒２５９２が第１位置に配置されている）ことを意味する第１目盛り部Ｓ１を指し示す位置へ配置させる操作により達成されるので、かかる操作が解除動作であることを遊技者に対して直感的に認識させつつ操作させることができる。その結果、不用意な誤操作を抑制できる。
【０４０９】
この場合、操作終点の位置の変更（設定）を解除するための解除動作は、操作兼用表示片２５７０を、第２目盛り部Ｓ２を指し示す位置から、第１目盛り部Ｓ１を指し示す位置へ直接向かわせるのではなく、上述したように、一旦、第１目盛り部Ｓ１と反対側（即ち、図５５及び図５７右方向）へ向けて操作した後、第１目盛り部Ｓ１を指し示す位置へ向かわせる必要がある。即ち、かかる反対方向への１の動作（操作）を別途行う必要があるので、遊技者が変更（設定）した操作終点の位置（即ち、遊技球の発射強度を所望の発射強度で発射可能なハンドルリング５４０の回動操作位置）が、遊技者の不用意な操作によって、解除されてしまうことを未然に防止できる。
【０４１０】
なお、切り替え装置２６００を利用して、ハンドルリング２５４０の操作終点を変更（設定）すると共に、その操作終点の位置を基準としてハンドルリング２５４０の回動位置を調整する（元の回動位置へ復帰させる）調整方法については、切替え装置６００，２６００の状態を切り替えるための操作が異なる（即ち、第１実施形態ではボタン部材５７０の押し込み操作であり、第２実施形態ではハンドルベース５３０の押し下げ操作である）点を除き、第１実施形態において図３０及び図３１を参照して説明した内容と同一であるので、その説明は省略する。
【０４１１】
以上のように、第２実施形態におけるハンドル装置２０５１によれば、切り替え装置２６００の回動可能状態または係合固定状態の切り替え（即ち、操作終点の位置の変更（設定）とその解除）を行うための操作を、ハンドル取付台２５１０に対してハンドルベース５３０を変位させることで実行できるので、この操作終点の位置の変更（設定）と解除を行うための操作を、ハンドルリング２５４０の回動操作の操作量を維持しつつ（即ち、回動操作の操作量がずれて、遊技球の発射強度が不用意に変化することを抑制しつつ）、容易に行うことができる。
【０４１２】
具体的には、遊技者は、ハンドルリング２５４０の回動操作により、遊技球の発射強度を所望の発射強度に調整した後は、その状態を維持したままで、ハンドルベース５３０をハンドル取付台２５２０に対して変位させる操作を行うことができ、操作終点の変更（設定）及びその解除を行うために、ハンドルリング２５４０を持ち替える動作や、ハンドルリング２５４０を操作する手とは逆の手で別の操作手段（操作子）を操作する動作を行う必要がない。これにより、操作終点の位置の変更（設定）及びその解除を迅速に行うことができると共に、操作終点の位置を所望の回動操作位置（即ち、遊技球の発射強度が所望の発射強度に調整されているハンドルリング２５４０の回動操作位置）に正確に変更（設定）することができる。
【０４１３】
特に、本実施形態では、ハンドル取付台２５２０に対してハンドルベース５３０を下方へ押し下げ操作する構造なので、かかる押し下げ操作を、ハンドルリング２５４０を把持する手指や腕の自重を利用して行うことができ、操作性の向上を図ることができる。この場合、ハンドルリング２５４０は、パチンコ機１０の比較的低い位置に配設され、遊技者にとって、操作位置が比較的低いため、本実施形態のように、下方へ押し下げ操作する構造は、遊技者が力を作用させ易い。よって、この点からも操作性の向上を図ることができる。
【０４１４】
また、ハンドルベース５３０には、ベース付勢部材ＳＰにより、水平位置へ復帰する（上方へ変位する）ための付勢力が付与されているので、ハンドルベース５３０の下方への押し下げ操作を行った後は、その下方への操作力を緩める又は手を離すことで、ベース付勢部材ＳＰの付勢力を利用して、水平位置へ復帰させることができる。その結果、遊技者の操作負担の軽減を図ることができる。
【０４１５】
次いで、図５８から図８０を参照して、第３実施形態について説明する。第１実施形態では、ハンドルリング５４０を回動操作することで、遊技球の発射強度を調整する場合を説明したが、第３実施形態における遊技球の発射強度の調整は、操作子３８００をスライド操作することで行われる。なお、上記各実施形態と同一の部分については同一の符号を付して、その説明を省略する。
【０４１６】
図５８（ａ）は、第３実施形態におけるハンドル装置３０５１の上面図であり、図５８（ｂ）は、図５８（ａ）の矢印ＬＶＩＩＩｂ方向視におけるハンドル装置３０５１の側面図である。図５９は、図５８（ａ）のＬＩＸ−ＬＩＸ線におけるハンドル装置３０５１の断面図である。
【０４１７】
なお、図５８（ａ）及び図５８（ｂ）では、下皿ユニット１５の前面（即ち、ハンドル装置３０５１の取付面）が二点鎖線により模式的に図示されると共に、操作子３８００が可動範囲における略中央までスライド操作された状態が便宜的に図示される。また、図５９では、ハンドル取付台３５００のみを断面視し、他の各構成の断面視を省略する。
【０４１８】
図５８及び図５９に示すように、ハンドル装置３０５１は、ハンドル取付台３５００と、そのハンドル取付台３５００に回転可能に軸支される回転軸部３７００と、その回転軸部３７００に連結される操作子３８００と、を主に備えて構成され、パチンコ機１０（図１参照）の前面へ操作子３８００の本体部３８１０が水平に突出された姿勢で配設される。
【０４１９】
ハンドル取付台３５００は、下側ベース３５１０と、中間ベース３５２０と、上側ベース３５３０とを備え、中間ベース３５２０が下側ベース３５１０及び上側ベース３５３０の間に介設された状態で重ね合わされることで、上下両端（図５８（ｂ）上側および下側）が閉封されると共に側面（図５８（ｂ）右側面）に開口が形成された円筒状に形成される。
【０４２０】
なお、ハンドル取付台３５００（下側ベース３５１０）の下面には、収納部３５４０が配設される。収納部３５４０には、回転軸部３７００の回転量（回転位置）を電気抵抗の変化により検出する可変抵抗器（図示せず）が収納される。遊技球は、この可変抵抗器の抵抗値に対応した強さ（発射強度）で発射される。また、下側ベース３５１０及び中間ベース３５２０の間には、閉封部材３５５０が配設され、この閉封部材３５５０によりハンドル取付台３５００の側面の開口が閉封される。
【０４２１】
回転軸部３７００は、その軸心方向を鉛直方向（図５９上下方向）に沿わせた縦姿勢で、ハンドル取付台３５００の内部に回転可能に配設される。回転軸部３７００の下側端面からは、連結片３７８０が突設され、その連結片３７８０は、収納部３５４０に収納される可変抵抗器に連結される。よって、回転軸部３７００が回転されると、その回転軸部３７００の回転量（回転位置）に対応して可変抵抗器の抵抗値が変化される。
【０４２２】
操作子３８００は、ハンドル取付台３５００に対して、回転軸部３７００を介して、スライド変位可能に取り付けられる。即ち、操作子３８００は、回転軸部３７００がその軸心を回転中心として回転されることで、図５８（ａ）に示すように、回転軸部３７００の軸心に垂直な仮想平面内を、初期位置θ０から最大位置θｍａｘまでの区間で、矢印Ｉ，Ｄ方向へ向けてスライド変位可能とされる。即ち、矢印Ｉ方向が遊技球の発射強度を増加させる増加方向に、矢印Ｄ方向が遊技球の発射強度を減少させる減少方向に、それぞれ対応する。
【０４２３】
操作子３８００が遊技者により矢印Ｉ方向または矢印Ｄ方向へスライド変位（スライド操作）されると、回転軸部３７００が軸まわりに回転され、その回転量（回転位置）に応じて、収納部３５４０内の可変抵抗器の抵抗値が変化される。これにより、遊技球の発射強度が増大または減少される。また、遊技者によるスライド操作が解除されると、操作子３８００は、スライド方向付勢ばね３５８１の付勢力により、矢印Ｄ方向へスライド変位され、初期位置θ０へ復帰される。
【０４２４】
なお、上述したように、回転軸部３７００が鉛直方向（重力方向）に沿って配設されるので、操作子３８００（本体部３８１０）のスライド変位は、重力方向に垂直な水平面（重力方向に垂直な平面）に沿って行われる。
【０４２５】
操作子３８００は、回転軸部３７００に軸支される部分（連結軸３９９０）を中心として、ハンドル取付台３５００に対して上下方向（図５９上下方向）に変位可能とされる。即ち、操作子３８００は、連結軸３９９０を回転中心として、被保持部３８３０を下方（図５８（ｂ）の矢印Ｇ方向）へ押し下げ操作可能に形成とされる（図６４参照）。なお、本実施形態では、操作子３８００（被保持部３８３０）の押し下げ操作が、重力方向下方へ向けて行われる。よって、操作子３８００（被保持部３８３０）の押し下げ操作は、遊技者の手の重みを操作子３８００の被保持部３８３０に作用させる、或いは、被保持部３８３０を把持する手首を下方へ返す動作のみで、容易に行うことができる。
【０４２６】
回転軸部３７００の上方には、切り替え装置３６００が配設される。切り替え装置３６００は、上記各実施形態における切り替え装置６００，２６００と同様に、操作子３８００の操作終点の位置を変更（設定）するための部材であり、軸受部３５３５に挿通され、その軸受部３５３５に対して相対回動が可能な回動可能状態と相対回動が不可能な係合固定状態との２つの状態に切り替え可能とされる。
【０４２７】
切り替え装置３６００は、操作子３８００（被保持部３８３０）が押し下げ操作されることで、回動可能状態または係合固定状態に切り替えられ、これにより、操作終点の位置の変更（設定）又はその解除が行われる。操作子３８００を押し下げ操作して、操作終点の位置の変更（設定）又はその解除を行うための構造については、後述する。
【０４２８】
なお、操作子３８００は、被保持部３８３０が下方（矢印Ｇ方向）へ押し下げられると、跳ね上げ方向付勢ばね３８８０が弾性的に伸長変形され、遊技者による押し下げ方向への操作力が緩められると、跳ね上げ方向付勢ばね３８８０の弾性回復力により、操作子３８００（被保持部３８３０）が上方（矢印Ｇの反対方向）へ変位され、図５８（ｂ）に示す初期位置（本体部３８１０が水平姿勢となる位置）へ復帰される。
【０４２９】
操作子３８００には、発射停止スイッチ３８９１及び右打ちスイッチ３８９２が配設される。遊技者は、操作子３８００のスライド位置（操作量）とは無関係に、発射停止スイッチ３８９１を押下することで、その押下の間、遊技球の発射を停止することができると共に、右打ちスイッチ３８９２を押下することで、その押下の間、遊技球を最大の発射強度で発射することができる。
【０４３０】
次いで、図６０から図６３を参照して、ハンドル取付台３５００について説明する。図６０（ａ）は、下側ベース３５１０の側面図であり、図６０（ｂ）は、図６０（ａ）の矢印ＬＸｂ方向視における下側ベース３５１０の上面図であり、図６０（ｃ）は、図６０（ｂ）のＬＸｃ−ＬＸｃ線における下側ベース３５１０の断面図である。
【０４３１】
図６０に示すように、下側ベース３５１０は、円筒状に形成される胴部３５１１と、その胴部３５１１の下側開口を閉封する底面壁３５１２と、胴部３５１１の外周面から外方へ張り出す締結フランジ３５１３及び締結座部３５１４と、底面壁３５１２の上面から上方へ向けて立設される軸受部３５１５と、その軸受部３５１５の側方において上方へ向けて立設される支持軸部３５１６と、胴部３５１１の内周面との間に所定間隔を隔てつつ底面壁３５１２の上面から上方へ向けて立設される案内壁部３５１７と、を備えて形成される。
【０４３２】
胴部３５１１には、その一部が切り欠かれることで、正面（前面）側に開口３５１１ａが形成される。開口３５１１ａは、操作子３８００のスライド方向（矢印Ｉ，Ｄ方向）及び押し下げ方向（矢印Ｇ方向）への変位空間を確保するための切り欠き部分であり（図５８及び図５９参照）、図６０（ｂ）に示す上面視において、中心角略１７０度の範囲にわたって形成される。
【０４３３】
なお、下側ベース３５１０は、開口３５１１ａが、胴部３５１１の上側（図６０（ｃ）上側）開口に連なる（連続する）開口として形成されるので、全体としての開口面積を確保できる。その結果、回転軸部３７００や操作子３８００、或いは、回転軸部連結ギヤ３５７１やスライド方向付勢ばね３５８１などを下側ベース３５１０内に装着して組み立てる際の作業性の向上を図ることができる。
【０４３４】
締結フランジ３５１３は、胴部３５１１の上側（図６０（ａ）上側）端部においてその胴部３５１１の外周面から外方へ張り出す板状体であり、位相を１８０度異ならせて一対が配設されると共に、一対の締結フランジ３５１３には、それぞれ挿通孔３５１３ａが穿設される。中間ベース３５２０及び上側ベース３５３０にも同様の締結フランジ３５２３，３５３３が配設されており、これら各締結フランジ３５１３，３５２３，３５３３どうしが重ね合わされ、それらの挿通孔３５１３ａ，３５２３ａ，３５３３ａに挿通された締結ボルトＢにより締結固定されることで、各ベース３５１０，３５２０，３５３０が連結固定され、ハンドル取付台３５００が形成される（図５８参照）。
【０４３５】
締結座部３５１４は、胴部３５１１の下側（図６０（ａ）下側）端部においてその胴部３５１１の外周面から外方へ張り出す部位であり、胴部３５１１の背面側（開口３５１１ａに対して位相を１８０度異ならせた側）に配設される。締結座部３５１４の外側面（背面、図６０（ａ）及び図６０（ｂ）の左側の面）は、胴部３５１１の軸心に平行な平坦面（以下「座面３５１４ａ」と称す）として形成され、かかる座面３５１４ａが、ハンドル装置３０５１を下皿ユニット１５（図５８参照）の前面に締結固定する際の取付面（座面）となる。
【０４３６】
底面壁３５１２の中央部には、正面視円形の挿通孔３５１２ａが穿設される。この挿通孔３５１２ａを介して、回転軸部３７００の連結片３７８０が収納部３５４０内の可変抵抗器に連結される（図５９参照）。軸受部３５１５は、底面壁３５１２の挿通孔３５１２ａと同心の円筒形状に形成され、その軸受部３５１５の内周面により回転軸部３７００の下端側が回転可能に軸支される（図６参照）。
【０４３７】
支持軸部３５１６は、平歯車として形成される回転軸部連結ギヤ３５７１を回転可能に軸支するための部位であり（図５９参照）、断面円形の軸状に形成される。具体的には、支持軸部３５１６は、先端側に位置する小径部と、その小径部よりも大径に形成される大径部とを備え、小径部に回転軸部連結ギヤ３５７１が回転可能に軸支される。回転軸部連結ギヤ３５７１は、支持軸部３５１６の小径部および大径部の間の段差面と、支持軸部３５１６の小径部の先端に嵌め込まれるＥリングなどの止め輪（図示せず）との間に配置されることで、軸方向への移動が規制（抜き取り不能に保持）される。
【０４３８】
なお、支持軸部３５１６には、回転軸部連結ギヤ３５７１の下面側に、ねじりばねとして形成されるスライド方向付勢ばね３５８１が弾性的にねじり変形された状態で保持される（図５９参照）。回転軸部連結ギヤ３５７１には、スライド方向付勢ばね３５８１から付勢力（弾性回復力）が付与されており、その付勢力は、回転軸部３７００の連結ギヤ部３７７０を介して、回転軸部３７００（即ち、操作子３８００）を初期位置θ０へ復帰させる方向へ作用される。
【０４３９】
よって、操作子３８００を増加方向（図５８矢印Ｉ方向）へスライド操作する際には、スライド方向付勢ばね３５８１の付勢力により、スライド操作に対して抵抗感が付与される一方、スライド操作が解除されると、スライド方向付勢ばね３５８１の付勢力により、操作子３８００が減少方向（図５８矢印Ｄ方向）へスライド変位され、初期位置θ０に復帰される。
【０４４０】
案内壁部３５１７は、中間ベース３５２０の案内壁部３５２７（図６１参照）と共に、閉封部材３５５０（図６３参照）を周方向に案内するための部材であり、上面視円形の円筒状に形成され胴部３５１１と同心となる位置において底面壁３５１２の上面から立設される。よって、案内壁部３５１７の外周面と胴部３５１１の内周面との間には、一定寸法の隙間（上面視円環状の空間）が形成され、この隙間に閉封部材３５５０の下端が挿通される（図５９参照）。閉封部材３５５０は、操作子３８００がスライド操作されると、案内壁部３５１７及び胴部３５１１の間の隙間に下端が案内されて、周方向に移動される。
【０４４１】
図６１（ａ）は、中間ベース３５２０の側面図であり、図６１（ｂ）は、図６１（ａ）の矢印ＬＸＩｂ方向視における中間ベース３５２０の上面図であり、図６１（ｃ）は、図６１（ｂ）のＬＸＩｃ−ＬＸＩｃ線における中間ベース３５２０の断面図である。
【０４４２】
図６１に示すように、中間ベース３５２０は、円板状に形成される円板部３５２１と、その円板部３５２１の下面における外縁に沿って配設される外壁部３５２２と、円板部３５２１の外周面から外方へ張り出す締結フランジ３５２３と、円板部３５２１の中央に穿設される挿通孔３５２４と、外壁部３５２２の内周面との間に所定間隔を隔てつつ円板部３５２１の下面から下方へ向けて立設される案内壁部３５２７と、を備えて構成される。
【０４４３】
円板部３５２１の外径は、下側ベース３５１０の胴部３５１１及び上側ベース３５３０の胴部３５３１の外径と同一とされ、ハンドル取付台３５００の組立状態では、中間ベース３５２０の円板部３５２１が、下側ベース３５１０の胴部３５１１及び上側ベース３５３０の胴部３５３１の軸方向端面の間に挟持される（図５８及び図５９参照）。
【０４４４】
外壁部３５２２は、下側ベース３５１０の内部空間を外部から遮蔽するための部位であり（図５８（ｂ）及び図５９参照）、円板部３５２１と同心の円筒状体を中心角略１７０度で分断した形状に形成され、下側ベース３５１０の胴部３５１１における開口３５１１ａに内嵌される（開口３５１１ａ内に嵌り込む）。この開口３５１１ａに対する外壁部３５２２の内嵌構造により、ハンドル取付台３５００全体としての剛性を高めることができる。
【０４４５】
また、外壁部３５２２に相当する部位を、下側ベース３５１０に形成するのではなく、中間ベース３５２０に形成することで、ハンドル取付台３５００全体としての剛性を確保しつつ、上述したように、下側ベース３５１０全体としての開口面積を確保することができるので、その分、回転軸部３７００や操作子３８００、或いは、回転軸部連結ギヤ３５７１やスライド方向付勢ばね３５８１を下側ベース３５１０内に装着して組み立てる際の作業性の向上を図ることができる。
【０４４６】
締結フランジ３５２３は、円板部３５２１の外周面から外方へ張り出すと共に円板部３５２１と同一の板厚寸法に設定される板状体であり、位相を１８０度異ならせて一対が配設され、これら一対の締結フランジ３５２３には、挿通孔３５２３ａがそれぞれ穿設される。上述したように、締結フランジ３５２３は、下側ベース３５１０及び上側ベース３５３０の締結フランジ３５１３，３５３３に重ね合わされて締結ボルトＢにより締結固定される（図５８参照）。
【０４４７】
挿通孔３５２４は、その内周面により回転軸部３７００を回転可能に軸支する（図５９参照）。なお、円板部３５２１の下面には、挿通孔３５２４と同心となる位置に円筒形状の軸受部３５２１ａが配設され、軸受部３５２１ａの内周面によっても回転軸部３７００が回転可能に軸支される。即ち、軸受部３５２１ａによって、挿通孔３５２４が軸方向（図６１（ｃ）上下方向）に延長され、その分、軸受面積を確保できるので、回転軸部３７００の軸受強度および軸受精度の向上と耐久性の向上とを図ることができる。
【０４４８】
案内壁部３５２７は、下側ベース３５１０の案内壁部３５１７（図６０参照）と共に、閉封部材３５５０（図６３参照）を周方向に案内するための部材であり、上面視円形の円筒状に形成され外壁部３５２２と同心となる位置において円板部３５２１の下面から立設される。よって、案内壁部３５２７の外周面と外壁部３５２２の内周面との間には、一定寸法の隙間（下面視円環状の空間）が形成され、この隙間に閉封部材３５５０の上端が挿通される（図５９参照）。閉封部材３５５０は、操作子３８００がスライド操作されると、案内壁部３５２７及び外壁部３５２２の間の隙間に上端が案内されて、周方向に移動される。
【０４４９】
図６２（ａ）は、上側ベース３５３０の側面図であり、図６２（ｂ）は、図６２（ａ）の矢印ＬＸＩＩｂ方向視における上側ベース３５３０の下面図であり、図６２（ｃ）は、図６２（ｂ）のＬＸＩＩｃ−ＬＸＩＩｃ線における上側ベース３５３０の断面図である。
【０４５０】
図６２に示すように、上側ベース３５３０は、円筒状に形成される胴部３５３１と、その胴部３５３１の上側開口を閉封する上面壁３５３２と、胴部３５３１の外周面から外方へ張り出す締結フランジ３５３３及び締結座部３５３４と、上面壁３５３２の下面から下方へ向けて立設される軸受部３５３５と、その軸受部３５３５の側方において下方へ向けて立設される支持軸部３５３６とを備えて形成される。
【０４５１】
締結フランジ３５３３は、胴部３５３１の下側（図６２（ａ）下側）端部においてその胴部３５３１の外周面から外方へ張り出す板状体であり、位相を１８０度異ならせて一対が配設され、これら一対の締結フランジ３５３３には、それぞれ挿通孔３５３３ａが穿設される。上述したように、締結フランジ３５３３は、下側ベース３５１０及び上側ベース３５３０の締結フランジ３５１３，３５３３に重ね合わされ、締結ボルトＢにより締結固定される（図５８参照）。
【０４５２】
締結座部３５３４は、胴部３５３１の上側（図６２（ａ）上側）端部においてその胴部３５３１の外周面から外方へ張り出す部位であり、胴部３５３１の背面側に配設される。締結座部３５３４の外側面（図６２（ａ）及び図６２（ｂ）の左側の面）は、胴部３５３１の軸心に平行な平坦面（以下「座面３５３４ａ」と称す）として形成され、かかる座面３５３４ａが、ハンドル装置３０５１を下皿ユニット１５（図５参照）の前面に締結固定する際の取付面（座面）となる。
【０４５３】
軸受部３５３５は、外壁部３５３１と同心の円筒形状に形成され、その内周側に切り替え装置３６００が回動可能に挿入される（図５９参照）。支持軸部３５３６は、平歯車として形成される切り替え装置連結ギヤ３５７２回転可能に軸支するための部位であり（図５９参照）、断面円形の軸状に形成される。
【０４５４】
具体的には、支持軸部３５３６は、先端側に位置する小径部と、その小径部よりも大径に形成される大径部とを備え、小径部に切り替え装置連結ギヤ３５７２が回転可能に軸支される。切り替え装置連結ギヤ３５７２は、支持軸部３５３６の小径部および大径部の間の段差面と、支持軸部３５３６の小径部の先端に嵌め込まれるＥリングなどの止め輪（図示せず）との間に配置されることで、軸方向への移動が規制（抜き取り不能に保持）される。
【０４５５】
なお、支持軸部３５３６には、切り替え装置連結ギヤ３５７２の上面側に、ねじりばねとして形成される切り替え装置付勢ばね３５８２が弾性的にねじり変形された状態で保持される（図５９参照）。切り替え装置連結ギヤ３５７２には、切り替え装置付勢ばね３５８２から付勢力（弾性回復力）が付与されており、その付勢力は、切り替え装置３６００を初期位置（係合突起部３６３０が回転軸部３７００の段差面３７１１ｃに係合される位置）へ復帰させる（図７７（ａ）参照）。
【０４５６】
図６３（ａ）は、閉封部材３５５０の正面図であり、図６３（ｂ）は、図６３（ａ）の矢印ＬＸＩＩＩｂ方向視における閉封部材３５５０の下面図であり、図６３（ｃ）は、図６３（ａ）のＬＸＩＩＩｃ−ＬＸＩＩＩｃ線における閉封部材３５５０の断面図である。
【０４５７】
図６３に示すように、閉封部材３５５０は、下側ベース３５１０の正面（前面）側に形成される開口３５１１ａを遮蔽して、ハンドル取付台３５００の内部が外部から視認されることを防止するための部材であり（図５８（ｂ）参照）、円筒形状に形成される。
【０４５８】
閉封部材３５５０は、その外径寸法が下側ベース３５１０の胴部３５１１及び中間ベース３５２０の外壁部３５２２の内径寸法よりも若干小さくされると共に、内径寸法が下側ベース３５１０の案内壁部３５１７及び中間ベース３５２０の案内壁部３５２７の外径寸法よりも若干大きくされる。よって、閉封部材３５５０は、その下端および上端（図６３（ａ）下側および上側）が、案内壁部３５１７，３５２７の外周側に形成される上述した隙間に挿通可能とされ、これにより、上述した隙間に沿って（即ち、周方向に）移動可能とされる。
【０４５９】
閉封部材３５５０には、その周方向の一部に切り欠き部３５５１が切り欠き形成される。切り欠き部３５５１は、操作子３８００の本体部３８１０を挿通させると共に押し下げ方向への変位空間を確保するための切り欠き部分であり（図５８及び図５９参照）、閉封部材３５５０の下端（図６３（ａ）下側）から延設される正面視矩形の切り欠きとして形成される。
【０４６０】
切り欠き部３５５１の幅寸法（図６３（ａ）左右方向寸法）は、操作子３８００の本体部３８１０の幅寸法（図５８（ａ）上下方向寸法）よりも若干大きな寸法に設定される。よって、操作子３８００の押し下げ操作（図５８（ｂ）矢印Ｇ方向）を可能としつつ、操作子３８００が増加方向または減少方向（図５８（ａ）矢印Ｉ方向または矢印Ｄ方向）へスライド操作される際には、そのスライド操作に連動して、閉封部材３５５０が周方向に移動される。
【０４６１】
次いで、図６４から図６８を参照して、回転軸部３７００及び操作子３８００について説明する。図６４（ａ）及び図６４（ｂ）は、回転軸部３７００及び操作子３８００の部分断面側面図であり、図６４（ａ）は、操作子３８００が押し下げ方向における初期位置にある状態に、図６４（ｂ）は、操作子３８００が下方へ押し下げ操作された状態に、それぞれ対応する。
【０４６２】
図６４（ａ）及び図６４（ｂ）に示すように、操作子３８００と回転軸部３７００とは、連結軸３９９０を介して、連結される。これにより、操作子３８００を２方向へ変位させる（操作する）ことができる。即ち、第１に、操作子３８００を、連結軸３９９０を回転中心として、回転させることで、その被保持部３８３０を下方（矢印Ｇ方向、図５８（ｂ）参照）へ変位させる（押し下げ操作を行う）ことが可能とされる。第２に、操作子３８００を、回転軸部３７００と一体的に、かかる回転軸部３７００の軸心を中心として回転させることで、その被保持部３８３０をスライド方向（矢印Ｉ及び矢印Ｄ方向、図５８（ａ）参照）へ変位させる（スライド操作を行う）ことが可能とされる。
【０４６３】
図６５（ａ）は、回転軸部３７００の側面図であり、図６５（ｂ）は、図６５（ａ）の矢印ＬＸＶｂ方向視における回転軸部３７００の背面図であり、図６５（ｃ）は、押上部材３４１０の部分断面背面図である。図６６（ａ）は、図６５（ａ）の矢印ＬＸＶＩａ方向視における回転軸部３７００の上面図であり、図６６（ｂ）は、図６６（ａ）のＬＸＶＩｂ−ＬＸＶＩｂ線における回転軸部３７００の断面図である。なお、図６５（ｂ）及び図６５（ｃ）では、理解を容易とするために、押上部材３４１０が取り外された状態が図示される。
【０４６４】
図６５及び図６６に示すように、回転軸部３７００は、棒状の軸本体部３７１０と、その軸本体部３７１０に穿設される挿通孔３７２０と、軸本体部３７１０の背面側に開口形成される開口３７３０と、軸本体部３７１０の外周面に配設されるフック部３７４０、操作子規制部３７５０、案内軸３７６０及び連結ギヤ部３７７０と、軸本体部３７１０の下端面から突設される連結片３７８０と、を備えて構成される。
【０４６５】
軸本体部３７１０は、円筒形状に形成される円筒部分３７１１と、その円筒部分３７１１の下端（図６６（ｂ）下側）に同軸に接続され断面円形の中実の棒状体として形成される中実部分３７１２とを備え、これらが樹脂材料から一体に形成される。
【０４６６】
円筒部分３７１１の上端面（図６６（ｂ）上側面）には、基準面３７１１ａと、その基準面３７１１ａよりも軸本体部３７１０の軸方向（図６６（ｂ）上下方向）における高さ位置が上方へ向けて嵩上げされた嵩上げ面３７１１ｂとが形成され、これにより、円筒部材３７１１の上端側には、基準面３７１１ａと嵩上げ面３７１１ｂとを接続する一対の段差面３７１１ｃが形成される。
【０４６７】
後述するように、回転軸部３７００は、段差面３７１１ｃを切り替え装置３６００の規制突起部３６３０に係合可能に形成される。切り替え装置３６００が回転可能状態に設定されている状態では、段差面３７１１ｃが規制突起部３６３０に係合されることで、回転軸部３７００の回転（操作子３８００の増加方向へのスライド操作）に連動して切り替え装置３６００が回転される一方、切り替え装置３６００が係合固定状態に設定されると、段差面３７１１ｃが規制突起部３６３０に係合されることで、回転軸部３７００の回転（操作子３８００の増加方向へのスライド操作）が規制される（図７７（ｃ）参照）。その結果、操作終点が形成される。
【０４６８】
なお、基準面３７１１ａ及び嵩上げ面３７１１ｂは、軸本体部３７１０の軸方向に垂直な平坦面とされ、一対の段差面３７１１ｃは、互いに平行であって、かつ、軸本体部３７１０の軸方向に平行な平坦面とされる。また、一対の段差面３７１１ｃは、位相を１８０度異ならせて配置される。但し、本実施形態では、一対の段差面３７１１ｃのうちの一方の段差面３７１１ｃが切り替え装置３６００の規制突起３６３０に係合される。
【０４６９】
円筒部分３７１１の内周面には、案内溝３７１５が凹設される。案内溝３７１５は、伝達棒３４２０（図７３参照）を第１位置または第２位置の２位置で保持するための溝である。なお、案内溝３７１５の詳細構成については、後述する。
【０４７０】
挿通孔３７２０は、連結軸３９９０が挿通される断面円形の孔であり、軸本体部３７１０の円筒部分３７１１に一対が一直線上に穿設される。なお、連結軸３９９０は、真鋳材料から断面円形の軸形状に形成される。開口３７３０は、押上部材３４１０の配設空間を確保するための開口であり、図６５（ｂ）に示すように、軸本体部３７１０の円筒部分３７１１に背面視矩形の開口として形成される。開口３７３０の対向する一対の内側面には、押上部材３４１０を回転可能に軸支するための突起３７３１がそれぞれ突設される。
【０４７１】
ここで、押上部材３４１０は、図６５（ｃ）に示すように、背面視矩形に形成されると共に、図６６（ｂ）に示すように、下端側が屈曲された断面Ｌ字状の板状体であり、対向する一対の外側面の上端側に、凹部３４１１がそれぞれ凹設される。かかる凹部３４１１に開口３７３０の突起３７３１が内嵌されることで、これら突起３７３１及び凹部３４１１を回転中心として、押上部材３４１０が開口３７３０内で回転可能に軸支される（図６４参照）。なお、押上部材３４１０は、下端側の屈曲部分を軸本体部３７１０の円筒部分３７１１の軸心側へ向けた姿勢で配設される。
【０４７２】
フック部３７４０は、コイルスプリングとして形成される跳ね上げ方向付勢ばね３８８０の一端を係合保持するための部位であり（図６４参照）、上方へ向けて屈曲される断面Ｌ字形状の部位が所定間隔を隔てて一対配設される。操作子規制部３７５０は、連結軸３９９０を回転中心とする操作子３８００の変位を規制するための棒状の部位であり、軸本体部３７１０の背面側であって開口３７３０の下方に配設される。
【０４７３】
即ち、跳ね上げ方向付勢ばね３８８０は、弾性的に伸張された状態で、回転軸部３７００のフック部３７４０と操作子３８００のフック部３８４０との間に架設されており、遊技者により操作子３８００が下方（矢印Ｇ方向、図５８（ｂ）参照）へ押し下げられた後（図６４（ｂ）参照）、その押し下げ操作が解除されると、操作子３８００が、跳ね上げ方向付勢ばね３８８０の付勢力（弾性回復力）により、上方（矢印Ｇと反対方向、図５８（ｂ）参照）へ跳ね上げられる。この場合、操作子規制部３７５０が操作子３８００の本体部３８１０の下面を受け止めることで、操作子３８００の跳ね上げ方向への変位が規制される。これにより、操作子３８００が、押し下げ操作における初期位置に保持される（図６４（ａ）参照）。
【０４７４】
なお、このように、操作子規制部３７５０は、跳ね上げ方向付勢ばね３８８０の付勢力により跳ね上げられた操作子３８００（本体部３８１０の下面）を受け止める部位であるため、大きな荷重が作用されるところ、本実施形態では、かかる操作子規制部３７５０が、薄肉の円筒部分３７１１ではなく、中実の中実部分３７１２に配設される。これにより、その剛性を確保して、跳ね上げられた操作子３８００（本体部３８１０の下面）を強固に受け止めることができる。その結果、耐久性の向上を図ることができる。
【０４７５】
案内軸３７６０は、操作子３８００が押し下げ方向またはその逆方向へ変位される際に、その変位方向を案内して、被保持部３８３０の変位を円滑に行わせるための部位であり、操作子規制部３７５０に対し中実部分３７１２を挟んで反対側となる中実部分３７１２の正面側に配設される。操作子３８００が押し下げ操作される際には、案内軸３７６０が操作子３８００の案内溝３８７０内を移動することで（図６４（ｂ）参照）、操作子３８００の変位を案内溝３８７０に沿って案内することができる。その結果、操作子３８００のがたつきを抑制して、かかる操作子３８００を押し下げ操作する際の動作を安定化することができる。また、これに伴い、連結軸３９９０の負担を軽減して、連結軸３９９０の損傷を抑制できる。
【０４７６】
連結ギヤ部３７７０は、平歯車として形成される部位であり、回転軸部連結ギヤ３５７１に歯合されている（図５９参照）。上述したように、スライド方向付勢ばね３５８１からの付勢力が、回転軸部連結ギヤ３５７１から連結ギヤ部３７７０へ伝達されることで、回転軸部３７００が回転され、操作子３８００が初期位置θ０（図５８（ａ）参照）に復帰される。
【０４７７】
連結片３７８０は、軸本体部３７１０の下端面に固設される軸状体であり、上述したように、下側ベース３５１０の挿通孔３５１２ａを介して、可変抵抗器（図示せず）に連結される。これにより、操作子３８００のスライド操作の操作量が、回転軸部３７００の回転量に変換されて、可変抵抗器へ伝達される。
【０４７８】
図６７（ａ）は、操作子３８００の側面図であり、図６７（ｂ）は、図６７（ａ）の矢印ＬＸＶＩＩｂ方向視における操作子３８００の上面図である。図６８（ａ）は、図６７（ｂ）のＬＸＶＩＩＩａ−ＬＸＶＩＩＩａ線における操作子３８００の部分拡大断面図であり、図６８（ｂ）は、図６７（ｂ）のＬＸＶＩＩＩｂ−ＬＸＶＩＩＩｂ線における操作子３８００の部分拡大断面図である。
【０４７９】
図６７及び図６８に示すように、操作子３８００は、基部３８１１及び脚部３８１２からなる本体部３８１０と、その本体部３８１０の脚部３８１２に穿設される挿通孔３８２０と、本体部３８１０の基部３８１１から立設される被保持部３８３０と、本体部３８１０の基部３８１１の外側面に配設されるフック部３８４０及び支持壁３８５０と、本体部３８１０の脚部３８１２間に架設されるカム部材３８６０と、本体部３８１０の脚部３８１２の内側面に配設される案内溝３８７０と、を備えて構成される。
【０４８０】
本体部３８１０は、長尺箱状の基部３８１１と、その基部３８１１の基部側（図６７（ａ）及び図６７（ｂ）左側）から長手方向に沿って延設される一対の脚部３８１２とを備える。基部３８１１の先端側（図６７（ａ）及び図６７（ｂ）右側）には、被保持部３８３０が略垂直に立設される。一対の脚部３８１２は、互いに所定間隔を隔ててつつ略平行に対向配置され、それら一対の脚部３８１２の対向間に回転軸部３７００が配設される（図６４参照）。
【０４８１】
また、一対の脚部３８１２には、その対向方向（図６７（ｂ）上下方向）に沿って挿通孔３８２０がそれぞれ穿設される。一対の脚部３８１２の対向間に回転軸部３７００を配設し、一対の脚部３８１２のうちの一方の挿通孔３８２０から挿入した連結軸３９９０を、回転軸部３７００の挿通孔３７２０を通過させると共に、一対の脚部３８１２のうちの他方の挿通孔３８２０に挿通させることで、操作子３８００が回転軸部３７００に対して連結軸３９９０を介して連結され、被保持部３８３０の下方（矢印Ｇ方向、図５８（ｂ）参照）への押し下げ操作が可能とされる（図６４参照）。
【０４８２】
一対の脚部３８１２の延設先端側（図６７（ａ）左側）は、図６７（ａ）に示す側面視において、円弧状に湾曲して形成され、その円弧状に湾曲する部分の外周面には、弾性膜部材３８９３がそれぞれ貼着される。弾性膜部材３８９３は、ゴム素材などの弾性材料から膜状に形成される部材である。操作子３８００の被保持部３８３０が押し下げ操作され、脚部３８１２が上方へ押し上げられると、弾性膜部材３８９３を中間ベース３５２０の円板部３５２１の下面に密着される（図７６参照）。
【０４８３】
これにより、弾性膜部材３８９３の密着力（摩擦力）を利用して、操作子３８００のスライド操作方向への変位を規制できる。よって、後述するように、操作終点の位置を変更（設定）する際には、操作子３８００のスライド操作の操作量が不用意に変化することを抑制できる。即ち、スライド操作の操作位置が位置ずれして、遊技球の発射強度が不用意に変化することを抑制できる。これにより、操作終点の位置を、所望の位置（即ち、遊技球の発射強度が所望の発射強度に調整された際の操作子３８００のスライド操作位置）に正確に変更（設定）することができる。
【０４８４】
被保持部３８３０は、操作子３８００をスライド操作または押し下げ操作する際に、遊技者の手指や手の平で把持される部位であり、角部が円弧状に面取りされた断面略矩形の棒状体として形成される。このように、被保持部３８３０が棒状体として形成されることで、かかる被保持部３８３０を保持（把持）しやすくすることができ、その結果、操作子３８００をスライド操作および押し下げ操作する際の操作性の向上を図ることができる。
【０４８５】
また、被保持部３８３０は、本体部３８１０から鉛直方向に沿って立設されるので、かかる被保持部３８３０を遊技者に自然な姿勢で保持（把持）させることができる。特に、被保持部３８３０は本体部３８１０から上方へ向けて立設されるので、被保持部３８３０を把持する際には、手の平の外縁部分を本体部３８１０の上面（図６７（ａ）上側の面）に載置しておくことができる。これにより、遊技者の疲労の低減を図ることができると共に、操作子３８００を下方へ押し下げ操作する際には、例えば、被保持部３８３０を把持していなくても、本体部３８１０の上面に手の重みを作用させることができ、その結果、押し下げ操作を容易に行うことができる。
【０４８６】
上述した発射停止スイッチ３８９１及び右打ちスイッチ３８９２は、被保持部３８３０の立設先端および被保持部３８３０の背面側（連結軸３９９０（図６４参照）に対面する側）にそれぞれ配設される。これにより、遊技者は、被保持部８２０を自然に把持した状態で、発射停止スイッチ３８９１を親指または人差し指により、右打ちスイッチ３８９２を人差し指または中指により、それぞれ容易に操作することができる。
【０４８７】
フック部３８４０は、回転軸部３７００のフック部３７４０（図６５参照）に一端が係合保持された跳ね上げ方向付勢ばね３８８０の他端を係合保持するための部位であり（図６４参照）、下方へ向けて屈曲される断面Ｌ字形状に形成される。
【０４８８】
支持壁３８５０は、跳ね上げ方向付勢ばね３８８０を下方から支えるための壁部であり、図６７（ａ）に示す側面視において、上方へ向けて凸の円弧状に湾曲して形成される。このように、支持壁３８５０が円弧状に湾曲されることで、跳ね上げ方向付勢ばね３８８０の取り回し距離（両フック３７４０，３８４０間の跳ね上げ方向付勢ばね３８８０に沿って計測される距離）をより長くすることができる（図６４（ａ）参照）。よって、限られたスペースの中で、全長がより長い跳ね上げ方向付勢ばね３８８０を使用することができ、その結果、付勢力を大きくできると共に、跳ね上げ方向付勢ばね３８８０の耐久性の向上を図ることができる。
【０４８９】
カム部材３８６０は、回転軸部３７００に変位可能に配設される押上部材３４１０を上方へ向けて押し上げるための部材であり（図６４参照）、一対の脚部３８１２の対向間に架設される棒状の架設部３８６１と、その架設部３８６１の長手方向（図６７（ｂ）上下方向）中央から基部３８１１側（即ち、回転軸部３７００が配設される側、図６７（ｂ）右側）へ向けて延設される押上カム３８６２と備え、これらが一体に形成される。なお、カム部材３８６０は、本体部３８１０とは別体に形成され、架設部３８６１の両端が本体部３８１０の脚部３８１２に締結ボルト（図示せず）により締結固定される。
【０４９０】
押上カム３８６２は、断面視三角形状に形成され、図６８に示すように、三角形状の頂部を上方へ向けた姿勢で配設される。本体部３８１０（一対の脚部３８１２の対向間）に回転軸部３７００が連結軸３９９０を介して連結された状態では、押上カム３８６２は、その三角形状の頂部が押上部材３４１０の回転軸（突起３７３１及び凹部３４１１、図６５（ｂ）及び図６５（ｃ）参照）の鉛直方向下方となる位置に配設されると共に、三角形状の一側（図６８（ａ）右側）の斜面が押上部材３４１０の下端を支持する位置に配設される（図６４（ａ）参照）。
【０４９１】
カム部材３８６０は、操作子３８００が下方（矢印Ｇ方向、図５８（ｂ）参照）へ押し下げ操作される際に、押上カム３８６２の三角形状における一側（図６８（ａ）右側）の斜面および頂部（図６８（ａ）上側）を利用して、回転軸部３７００に配設された押上部材３４１０を上方へ押し上げる（図６４（ａ）及び図６４（ｂ）参照）。
【０４９２】
このように、押上カム３８６２を断面視三角形状に形成し、その斜面および頂部を利用して押上部材３４１０を上方へ押し上げる構造とすることで、操作子３８００が押し下げ操作されていない通常の状態では（図６４（ａ）参照）、押上部材３４１０をより下方に配置可能として、全体としての高さ寸法（軸方向寸法、図６４（ａ）上下方向の寸法）の小型化を図りつつ、操作子３８００を押し下げ操作する際には（図６４（ｂ）参照）、押上部材３４１０の上方への押し上げ量を確保できるので、操作子３８００の押し下げ操作に必要なストローク量を小さくして、その操作性の向上を図ることができると共に、伝達棒３４２０（図７３参照）の昇降ストロークを大きくして、切り替え装置３６００の状態の切り替えを確実に行うことができる（図７４から図７６参照）。
【０４９３】
案内溝３８７０は、回転軸部３７００の案内軸３７６０（図６５参照）を案内するための凹溝であり、一対の脚部３８１２の対向面にそれぞれ断面矩形の溝として凹設され、挿通孔３８２０を中心とする円弧状に湾曲して延設される。よって、操作子３８００が下方（矢印Ｇ方向、図５８（ｂ）参照）へ押し下げ操作される際には（図６４（ａ）及び図６４（ｂ）参照）、回転軸部３７００の案内軸３７６０が、案内溝３８７０に沿って案内されることで、操作子３８００のがたつきを抑制して、かかる操作子３８００の押し下げ操作を円滑に行わせることができる。また、これに伴い、連結軸３９９０の負担を軽減して、連結軸３９９０の損傷を抑制できる。
【０４９４】
なお、本体部３８１０及び被保持部３８３０は、幅方向（図６７（ｂ）上下方向）中央を分割面（合わせ面）とする２分割構造とされる。即ち、本体部３８１０及び被保持部３８３０は、本体部３８１０及び被保持部３８３０の片側をなす第１の部品とその第１の部品に対して分割面を対称面として面対称に形成され本体部３８１０及び被保持部３８３０の片側をなす第２の部品とからなり、これら第１の部品と第２の部品とを互いの分割面どうしで接合することで、その内部に発射停止スイッチ３８９１等の電気的接続線を配線するための空間を有する中空形状に形成される。
【０４９５】
次いで、図６９から図７３を参照して、切り替え部材３６００、押し込み部材３４３０及び伝達棒３４２０について説明する。図６９は、ハンドル装置３０５１の部分拡大断面図である。
【０４９６】
図６９に示すように、ハンドル取付台３５００には、上から順に切り替え装置３６００、押し込み部材３４３０及び伝達棒３４２０が同軸上に直列に配設される。切り替え装置３６００は、上側ベース３５３０の軸受部３５３５内に挿通され、押し込み部材３４３０及び伝達棒３４２０は、回転軸部３７００（軸本体３７１０）の円筒部分３７１１内に挿通される。
【０４９７】
まず、切り替え装置３６００及び押込み部材３４２０について、図７０から図７２を参照して説明する。
【０４９８】
図７０（ａ）は、切り替え装置３６００の上面図であり、図７０（ｂ）は、図７０（ａ）の矢印ＬＸＸｂ方向視における切り替え装置３６００の側面図であり、図７０（ｃ）は、図７０（ｂ）の矢印ＬＸＸｃ方向視における切り替え装置３６００の下面図である。図７１（ａ）は、図７０（ａ）のＬＸＸＩａ−ＬＸＸＩａ線における切り替え装置３６００の断面図であり、図７１（ｂ）は、図７０（ｂ）の矢印ＬＸＸＩｂ方向視における切り替え装置３６００の側面図である。
【０４９９】
また、図７２（ａ）は、押し込み部材３４３０の正面図であり、図７２（ｂ）は、図７２（ａ）の矢印ＬＸＸＩＩｂ方向視における押し込み部材３４３０の側面図であり、図７２（ｃ）は、図７２（ａ）のＬＸＸＩＩｃ−ＬＸＸＩＩｃ線における押し込み部材３４３０の断面図である。
【０５００】
なお、図７０及び図７１では、噛み込み球体６７０ａ，６７０ｂ、押し込み側付勢ばね６８０及び噛み込み側付勢ばね６９０の図示が省略される。
【０５０１】
ここで、切り替え装置３６００は、規制突起部３６３０の形状が第１及び第２実施形態における規制突起部６３０の形状と異なる点と、第１及び第２実施形態におけるばね受け部６４０に代えて連結ギヤ部３６４０が設けられている点とを除き、第１実施形態及び第２実施形態における切り替え装置６００，２６００と技術的には実質同一に形成される。また、押し込み部材３４３０は、第２実施形態における押し込み部材２５８０と技術的には実質同一に形成される。よって、実質同一の部分には同一の符号を付して、その説明は省略する。
【０５０２】
図７０及び図７１に示すように、切り替え装置３６００は、本体部６１０と、その本体部６１０に貫通形成される連結孔６２０と、本体部６１０の外周面から径方向外方へ向けて突出される規制突起部３６３０及び連結ギヤ部３６４０と、本体部６１０の外周面を凹設して形成される噛み込み面６５０及び逃げ面６６０とを備える。
【０５０３】
本体部６１０の外径寸法は、上側ベース３５３０の軸受部３５３５（図６９参照）の内径寸法よりも若干小さな寸法に設定される。よって、本体部６１０は、上側ベース３５３０の軸受部３５３５へ挿通されることで、その軸受部３５３５内に回動可能に保持される（図７４参照）。
【０５０４】
規制突起部３６３０は、回転軸部３７００（軸本体部３７１０）の円筒部分３７１１における段差面３７１１ｃ（図７７及び図７８参照）に当接される部位であり、断面円形の棒状体として形成され、本体部６１０の外周面よりも径方向外方に配設されると共に本体部６１０の下面（図７１（ｂ）下側の面）よりも下方へ突出される。
【０５０５】
連結ギヤ部３６４０は、本体部６１０の外周面から径方向外方へ張り出して形成される板状体であり、その板状体の外周面には、切り替え装置連結ギヤ３５７２（図６９参照）に歯合可能な平歯車が刻設される。なお、連結ギヤ部３６４０の下面（図７０（ｃ）紙面手前側の面）は、本体部６１０の下面（図７０（ｃ）紙面手前側の面）に面一な（即ち、本体部６１０の軸方向における位置が一致し且つ軸に対して垂直な）平坦面として形成される。
【０５０６】
図７２に示すように、押し込み部材３４３０は、ベース体２５８１と、そのベース体２５８１の上面に配設される連結軸２５８２及び押し込み片２５８３とを備える。ベース体２５８１の外径寸法は、回転軸部３７００（軸本体部３７１０）の円筒部分３７１１における内径寸法よりも若干小さな寸法に設定されており、切り替え装置３６００が軸受部３５３５内を回動される場合には、回転軸部３７００の円筒部分３７１１内を回動可能とされると共に、下面側から伝達棒３４２０によりに上方へ押し込まれた場合には、回転軸部３７００の円筒部分３７１１内を切り替え装置３６００へ向けて摺動可能とされる（図７４から図７６参照）。
【０５０７】
切り替え装置３６００は、その噛み込み球体６７０ａ，６７０ｂが、押し込み部材３４３０の押し込み片２５８３によって噛み込み空間６５１内へ押し込まれることで、係合固定状態とされ、上側ベース３５３０の軸受部３５３５に対して相対回動不能とされる一方、押し込み部材３４３０の押込み片２５８３が後退して、噛み込み球体６７０ａ，６７０ｂが逃げ空間６６１に配置されることで、回動可能状態に切り替えられ、上側ベース３５３０の軸受部３５３５に対して相対回動可能とされる。この切り替え装置３６００の切り替え構造については、第１及び第２実施形態における場合と同様であるので（図１５及び図４０参照）、その説明は省略する。
【０５０８】
次いで、図７３を参照して、伝達棒３４２０について説明する。図７３（ａ）は、伝達棒３４２０の側面図であり、図７３（ｂ）は、図７３（ａ）の矢印ＬＸＸＩＩＩｂ方向視における伝達棒３４２０の上面図である。
【０５０９】
図７３に示すように、伝達棒３４２０は、回転軸部３７００の軸本体部３７１０における円筒部分３７１１の内周側に配設される部材であり（図６９参照）、断面円形の円柱状に形成される。かかる円柱状体の外周面には、その複数箇所（本実施形態では３箇所）から案内突起３４２１が突設される。各案内突起４２１は、回転軸部３７００における円筒部分３７１１の内周面に形成された案内溝３７１５（図６６（ｂ）参照）に沿って移動するための部位であり、それぞれ同形状に形成されると共に、周方向等間隔（本実施形態では１２０度間隔）に配置される。
伝達棒３４２０の下端（図７３（ａ）下側の部分）は、円柱状の部分と同軸の円錐形状に形成される。これにより、回転軸部３７００の円筒部分３７１１の内周側において、伝達棒３４２０を押上部材３４１０へより近接させることができるので（図６９参照）、円筒部分３７１１の内周側における限られたスペースを有効に活用することができ、全体としての小型化を図ることができる。
【０５１０】
伝達棒３４２０は、その案内突起３４２１が、円筒部分３７１１の内周面に形成された案内溝３７１５に沿って案内されることで、第１位置または第２位置に保持される。具体的には、押上部材３４１０によって上方へ押し上げられる毎に、第１位置から第２位置または第２位置から第１位置に転換される（図７４から図７６参照）。なお、この案内突起３４２１が案内溝３７１５に案内され、伝達棒３４２０が第１位置または第２位置に保持される構造は、第２実施形態における構造と同一であるので（図４１から図４７参照）、その説明は省略する。即ち、伝達棒３４２０及び案内溝３７１５は、第２実施形態における伝達棒２５９２及び案内溝２５９１ｂと技術的には実質同一に形成される。
【０５１１】
次いで、図７４から図７６を参照して、操作子３８００の押し下げ操作により、切り替え装置３６００を回動可能状態または係合固定状態に切り替えるための切り替え構造について説明する。なお、この切り替え構造の説明においては、図７７及び図７８を適宜参照する。
【０５１２】
図７４及び図７５は、ハンドル装置３０５１の部分断面側面図であり、図７４では伝達棒３４２０が第１位置にある状態が、図７５では伝達棒３４２０が第２位置にある状態が、それぞれ図示される。図７６は、ハンドル装置３０５１の部分断面側面図であり、操作子３８００が下方へ押し下げ操作され、伝達棒３４２０が中間位置に配置された状態が図示される。
【０５１３】
また、図７７及び図７８は、回転軸部３７００及び切り替え装置３６００の部分拡大斜視図である。なお、図７７（ａ）は、回転軸部３７００（操作子３８００）が初期位置θ０にあり、かつ、切り替え装置３６００が回動可能状態にある状態を、図７７（ｂ）は、回転軸部３７００（操作子３８００）が操作位置θ１まで回動（スライド操作）され、かつ、切り替え装置３６００が回動可能状態にある状態を、図７７（ｃ）は、回転軸部３７００（操作子３８００）が操作位置θ１まで回動（スライド操作）され、かつ、切り替え装置３６００が係合固定状態に変更されている状態を、図７８（ａ）は、回転軸部３７００（操作子３８００）が操作位置θ０〜θ１の範囲内にあり、かつ、切り替え装置３６００が係合固定状態に変更されている状態を、図７８（ｂ）は、回転軸部３７００（操作子３８００）が初期位置θ０にあり、かつ、切り替え装置３６００が係合固定状態に変更されている状態を、それぞれ図示している。
【０５１４】
図７４から図７６に示すように、切り替え装置３６００は、上述した通り、上側ベース３５３０の軸受部３５３５内に挿通され、その切り替え装置３６００の連結孔６２０には、押し込み部材３４３０の連結軸２５８２が軸方向へ相対移動可能かつ周方向へ相対回動不能に挿通される。
【０５１５】
本実施形態では、伝達棒３４２０が第１位置または第２位置のいずれの位置に配置された場合であっても、切り替え装置３６００の連通孔６２０に対し、押し込み部材３４３０の連結軸２５８２が挿通された状態（即ち、連通孔６２０及び連結軸２５８２が相対回動不能に結合された状態）が維持される。よって、切替え装置３６００が軸受部３５３５に対して回動されても、切り替え装置３６００の逃げ空間６６１に対する押し込み部材３４３０の押し込み片２５８３の回動位置（位相）を常に一致させておくことができる。
【０５１６】
これにより、切り替え装置３６００がどのような回動位置（位相）に配置される場合であっても、操作子３８００の押し下げ操作に伴う伝達棒３４２０の上方への移動（即ち、伝達棒３４２０により押し込み部材３４３０の上方への押し上げ）により、押し込み部材３４３０の押し込み片２５８３を切り替え装置３６００の噛み込み空間６５１内へ確実に移動させることができる。
【０５１７】
即ち、操作子３８００がどのようなスライド位置にスライド操作されている状態においても、かかる操作子３８００を押し下げ操作することで、切り替え装置３６００を係合固定状態とすることができる。よって、操作子３８００のスライド操作により、遊技球の発射強度が所望の発射強度となった場合には、そのスライド操作の操作位置（操作量）を維持したままで、操作終点の変更（設定）を行うことできる。その結果、操作終点の変更（設定）を迅速に行うことができると共に正確な位置に行うことができる。
【０５１８】
図７４に示すように、伝達棒３４２０が第１位置にある状態では、押し込み部材３４３０の押し込み片２５８３が切り替え装置３６００の逃げ空間６６１に配置される。よって、切り替え装置３６００は、噛み込み球体６７０ａ，６７０ｂが押し込み側付勢ばね６８０の付勢力により逃げ空間６６１に配置されており、これにより、軸受部３５３５に対して相対的に回動可能な回動可能状態（図１５（ａ）及び図１５（ｃ）又は図４０（ａ）及び図４０（ｃ）参照）に設定される。
【０５１９】
このように切り替え装置３６００が回動可能状態に設定された状態（伝達棒３４２０が第１位置にある状態）では、切り替え装置３６００が軸受部３５３５に対して回動可能とされているので、図７７（ａ）及び図７７（ｂ）に示すように、操作子３８００（回転軸部３７００）が初期位置θ０から操作位置θ１まで増加方向へ回動操作されると、回転軸部３７００の段差面３７１１ｃが切り替え装置３６００の規制突起部３６３０を増加方向（図７７（ｂ）の矢印方向）へ押しつつ回動されることで、切り替え装置３６００が回転軸部３７００に連動して増加方向へ回動させる。なお、操作位置θ１は、操作子３８００のスライド操作範囲の最大位置θｍａｘには達していない操作位置であるものとする。以下においても同様である。
【０５２０】
一方、操作子３８００（回転軸部３７００）が減少方向へ回動操作されると、切り替え装置３６００は、切り替え装置付勢ばね３５８２（図６９参照）の付勢力により、回動軸部３７００に追従して、減少方向へ回動される。例えば、図７８（ａ）及び図７８（ｂ）に示すように、操作子３８００（回転軸部３７００）が操作位置θ１から初期位置θ０まで減少方向（図７８（ｂ）の矢印と反対方向）へスライド操作（回動）されると、切り替え装置３６００も、切り替え装置付勢ばね３５８２の付勢力により、減少方向へ回動され、規制突起部３６３０が回転軸部３７００の段差面３７１１ｃに当接される回動位置に配置される。
【０５２１】
即ち、図７４に示すように、切り替え装置３６００が回動可能状態に設定された状態（伝達棒３４２０が第１位置にある状態）では、操作子３８００が増加方向または減少方向のいずれの方向へスライド操作される場合であっても、切り替え装置３６００が連動（同期）して回動され、それら操作子３８００（回転軸部３７００）と切り替え装置３６００の回動位置（位相）が一致される（図７７（ａ）及び図７７（ｂ）参照）。
【０５２２】
図７５に示すように、伝達棒３４２０が第２位置にある状態では、切り替え装置３６００は、その噛み込み球体６７０ａ，６７０ｂが噛み込み空間６５１に配置され（即ち、伝達棒３４２０の押し込み片２５８３により噛み込み球体６７０ａ，６７０ｂが噛み込み空間６５１内に押し込まれ）、係合固定状態（図１５（ｂ）及び図１５（ｄ）又は図４０（ｂ）及び図４０（ｄ）参照）に設定される。
【０５２３】
切り替え装置３６００が係合固定状態に設定された状態では、噛み込み球体６７０ａ，６７０ｂが、噛み込み側付勢ばね６９０の付勢力により、軸受部３５３５の内周面と噛み込み面６５０との対向間であって周方向に漸減する隙間に噛み込まれた状態とされるので、切替え装置３６００（本体部６１０）がいずれの回動方向（例えば、図１５（ｄ）に示す矢印Ａ方向および矢印Ｂ方向）へ回動しようとしても、噛み込み面６５０の周方向端部が、軸受部３５３５の内周面との対向間に噛み込み球体６７０ａ，６７０ｂを更に噛み込ませるように作用することで（図１５（ｂ）及び図１５（ｄ）又は図４０（ｂ）及び図４０（ｄ）参照）、軸受部３５３５に対する切り替え装置３６００（本体部６１０）の回動が規制（阻止）される。
【０５２４】
よって、図７７（ｂ）に示すように、操作子３８００（回転軸部３７００）が操作位置θ１に回動操作された状態において、操作子３８００の押し下げ操作により、伝達棒３４２０の位置を第１位置から第２位置に変更することで、切り替え装置３６００を係合固定状態に設定して、図７７（ｃ）に示すように、切り替え装置３６００を操作位置θ１に対応する回動位置（即ち、第１位置にある伝達棒３４２０が第２位置に変更された時点における回動位置）に固定することができる。
【０５２５】
このように、切り替え装置３６００が係合固定状態に設定され、その回動位置が固定された状態では、図７８（ａ）及び図７８（ｂ）に示すように、操作子３８００（回転軸部３７００）を減少方向へスライド操作（回動）させても、切り替え装置３６００は、回転軸部３７００の回動に連動（同期）せず、操作位置θ１に対応する回動位置に保持される。即ち、操作位置θ１に操作終点の位置が変更（設定）される。
【０５２６】
よって、この場合、例えば、図７８（ｂ）に示すように、切り替え装置３６００が操作位置θ１に対応する回動位置に保持（固定）された状態において、初期位置θ０に復帰されている操作子３８００（回転軸部３７００）を増加方向へスライド操作する（回動させる）場合には、その回転軸部３７００の回動は、操作位置θ１が操作終点とされる。即ち、操作子３８００は、図７７（ｃ）に示すように、その増加方向へのスライド操作が操作位置θ１に達すると、回転軸部３７００の段差面３７１１ｃが規制突起部３６３０に当接され、それ以上の増加方向へのスライド操作（回転軸部３７００の図７７（ｃ）における矢印方向への回動）が規制される。
【０５２７】
ここで、第１位置にある伝達棒３４２０の第２位置への変更（設定）は、次のように行われる。即ち、図７４に示すように、伝達棒３４２０が第１位置にある状態から、操作子３８００が下方（図５８（ｂ）の矢印Ｇ方向）へ押し下げ操作されると、図７６に示すように、押上部材３４１０により伝達棒３４２０が上方へ押し上げられる。伝達棒３４２０は、その案内突起３４２１が案内溝３７１５の形状に沿って案内され、その案内溝３７１５の所定の壁部（案内規制壁部Ｗｃ、図４６参照）に突き当たる。これにより、操作子３８００の下方への押し下げ操作が不能となるので、遊技者が操作力を緩め、操作子３８００の下方への押し下げ操作が解除されると、伝達棒３４２０が、押し込み側付勢ばね６８０の付勢力（弾性回復力）により、下方へ押し戻される。その結果、案内突起３４２１が案内溝３７１５の形状に沿って案内され、案内溝３７１５の所定位置（位置Ｐ２、図４６参照）に到達する。即ち、図７５に示すように、伝達部材３４２０が第２位置に配置される。
【０５２８】
同様に、第２位置にある伝達棒３４２０の第１位置への変更（設定）は、次のように行われる。即ち、図７５に示すように、伝達棒３４２０が第２位置にある状態から、操作子３８００が下方（図５８（ｂ）の矢印Ｇ方向）へ押し下げ操作されると、図７６に示すように、押上部材３４１０により伝達棒３４２０が上方へ押し上げられる。伝達棒３４２０は、その案内突起３４２１が案内溝３７１５の形状に沿って案内され、その案内溝３７１５の所定の壁部（案内規制壁部Ｗｇ、図４６参照）に突き当たる。これにより、操作子３８００の下方への押し下げ操作が不能となるので、遊技者が操作力を緩め、操作子３８００の下方への押し下げ操作が解除されると、伝達棒３４２０が、押し込み側付勢ばね６８０の付勢力（弾性回復力）により、下方へ押し戻される。その結果、案内突起３４２１が案内溝３７１５の形状に沿って案内され、案内溝３７１５の所定位置（位置Ｐ１、図４６参照）に到達する。即ち、図７４に示すように、伝達部材３４２０が第１位置に配置される。
【０５２９】
この場合、例えば、図７８（ｂ）に示すように、切り替え装置３６００が操作位置θ１に対応する回動位置に保持（固定）された状態において、上述した伝達棒３４２０を第２位置から第１位置に配置する操作が行われると、切り替え装置３６００は、係合固定状態から回転可能状態に切り替えられ、軸受部３５３５に対して回動可能とされるので、切り替え装置付勢ばね３５８２の付勢力を受けて、図７７（ａ）に示すように、初期位置（規制突起３６３０が回転軸部３７００の段差面３７１１ｃに当接される回動位置）へ復帰される。
【０５３０】
或いは、例えば、図７８（ａ）に示すように、切り替え装置３６００が操作位置θ１に対応する回動位置に保持（固定）された状態であって、操作子３８００（回転軸部３７００）が操作位置θ１までスライド操作（回動）されている状態において、上述した伝達棒３４２０を第２位置から第１位置に配置する操作が行われると、切り替え装置３６００が、係合固定状態から回転可能状態に切り替えられ、軸受部３５３５に対して回動可能とされることで、切り替え装置付勢ばね３５８２の付勢力を受けて、図７７（ｂ）に示すように、操作位置θ１（規制突起３６３０が、操作子３８００のスライド操作に伴い回動中の回転軸部３７００の段差面３７１１ｃに当接される回動位置）へ復帰される。
【０５３１】
よって、この状態から、操作子３８００（回転軸部３７００）が増加方向または減少方向へスライド操作（回動）されると、その回動に対して切り替え装置３６００も連動（同期）して回動される。
【０５３２】
このように、ハンドル装置３０５１によれば、操作子３８００のスライド操作中（遊技球を発射する遊技中）であっても、操作終点を解除することができ、例えば、操作終点を解除するために、操作子３８００を初期位置へ一旦復帰させる必要がない。よって、一旦設定した操作終点の位置を別の位置へ再設定（例えば、微調整）する必要が生じた場合には、操作子３８００のスライド操作を維持しつつ（即ち、遊技を継続しつつ）、その再設定動作を迅速に行うことができる。或いは、例えば、右打ちの必要が生じた場合には、操作子３８００のスライド操作を維持しつつ、その操作子３８００の増加方向へのスライド操作を規制していた操作終点を解除できるので、操作子３８００の増加方向へのスライド操作が可能な状態を迅速に形成できる。即ち、遊技球の発射強度を最大とする操作方向への操作子３８００のスライド操作動作に迅速に切り替えることができる。
【０５３３】
また、切り替え装置３６００を、係合固定状態から回転可能状態へ切り替える操作（操作終点を解除する、即ち、切り替え装置３６００を初期位置へ復帰させる復帰動作）と、回転可能状態から係合固定状態へ切り替える操作（操作終点を変更（設定）する変更動作）との両者が、操作子３８００の押し下げ操作により達成される。即ち、同一の部材を同一の方向へ操作することで達成できる。これにより、変更動作および復帰動作の操作を行いやすくできる。特に、変更動作による状態と復帰動作による状態とは交互に切り替えられるものであるので、これら２つの状態が同一の操作を繰り返すことで切り替え可能となることが操作性の向上に有効となる。また、同一の部材を同一の方向へ操作する構造であることから、変更動作および復帰動作のために必要となる操作子３８００の操作方向を一方向のみに限定することができるので、その分、構造を簡素化して、製品コストの削減を図ることができる。
【０５３４】
次いで、図７９及び図８０を参照して、切り替え装置３６００を利用して、操作終点の位置を変更（設定）すると共に、その操作終点の位置を基準として操作子３８００のスライド操作の位置を調整する（元のスライド操作の位置へ復帰させる）調整方法について説明する。
【０５３５】
図７９及び図８０は、ハンドル装置３０５１のスライド操作の状態を模式的に図示する模式図であり、各図において、左側の図はハンドル装置３０５１の正面模式図であり、右側の図は操作子３８００のスライド操作の位置と操作終点との関係を模式的に示す模式図である。なお、図７９及び図８０において、「［第１位置］又は［第２位置］」の表示は、伝達棒３４２０の位置を意味する。また、「初期位置θ０」は操作子３８００のスライド操作の方向における初期位置であり、「最大位置θｍａｘ」は操作終点が変更（設定）されていない状態における操作子３８００のスライド操作可能な最大位置である。「操作終点」は切り替え装置３６００が係合固定状態に設定されることで形成される操作子３８００のスライド操作の終点である。
【０５３６】
図７９（ａ）及び図７９（ｂ）に示すように、伝達棒３４２０が第１位置にある状態では、切り替え装置３６００が回動可能状態にあるため（図７４、図１５（ａ）及び図１５（ｃ）参照）、操作子３８００は、初期位置θ０から最大位置θｍａｘまでの範囲でスライド操作可能とされる。
【０５３７】
この図７９（ａ）及び図７９（ｂ）に示す状態において、遊技状態に応じて、操作子３８００のスライド操作の位置を調整した結果、図７９（ｂ）に示すように、操作子３８００を操作位置θ１とすることで、遊技球の発射強度を所望の発射強度に調整できると判断した場合には、図７９（ｂ）に示す状態を維持しつつ、遊技者は、図７９（ｃ）に示すように、操作子３８００の下方への押し下げ操作により、伝達棒３４２０を第２位置に設定する。これにより、切り替え装置３６００が係合固定状態に設定されることで（図７５、図１５（ｂ）及び図１５（ｄ）参照）、操作子３８００の操作位置θ１に対応する位置に操作終点が変更（設定）される。
【０５３８】
このように、ハンドル装置３０５１によれば、操作終点を設定できるので、図８０（ａ）に示すように、例えば、休憩を取るために、操作子３８００のスライド操作の位置を初期位置θ０へ復帰させ、遊技を中断したとしても、元の回動位置（すなわち、遊技球の発射強度が所望の発射強度に調整された回動位置であって、遊技機を中断する前の操作位置θ１）を「操作終点」として記憶させておくことができる。
【０５３９】
よって、操作子３８００のスライド操作の位置を元のスライド操作の位置（即ち、遊技を中断する前の操作位置θ１）に調整する場合（図７９（ｂ）及び図７９（ｃ）の状態を再現する場合）には、遊技者は、図８０（ｂ）に示すように、操作子３８００を操作終点までスライド操作すれば（即ち、操作子３８００のスライド操作が操作終点により規制されて、それ以上のスライド操作ができなくなるまでスライド操作を行えば）、かかる操作子３８００のスライド操作の位置を元のスライド操作の位置（操作位置θ１）に迅速かつ容易に調整することができる。
【０５４０】
例えば、操作子３８００の移動軌跡に沿ってハンドル取付台３５００に目盛り線を設けておき、その目盛り線を目標位置として操作子３８００をスライド操作する方法も考えられるが、かかる方法の場合と比較して、操作子３８００のスライド操作の位置が目標位置（目盛り線）に一致したか否かを、目視により判別しつつ微調整する必要がなく、所望のスライド操作の位置に正確に調整することができる。また、本実施形態によれば、スライド操作ができなくなる位置までスライド操作を行えば良く、目標位置を通り過ぎてしまうことがないため、操作子３８００の操作速度を高めることができ、その分、所望のスライド操作の位置に迅速に調整する（元のスライド操作の位置に迅速に復帰させる）ことができる。
【０５４１】
なお、操作終点の位置を最大位置θｍａｘへ復帰させる場合には、上述したように、図８０（ａ）又は図８０（ｂ）に示す状態において、操作子３８００を下方に押し下げ可能な位置まで押し下げる押し下げ操作を行った後に、かかる押し下げ操作を解除することで、伝達棒３４２０が第１位置に復帰され、図７９（ａ）に示すように、操作終点の位置を最大位置θｍａｘに復帰させることができる。
【０５４２】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０５４３】
上記各実施形態のうちの一の実施形態における一部または全部の構成を、他の実施形態における一部または全部の構成と組み合わせて、或いは、置き換えて、パチンコ機１０を構成しても良い。
【０５４４】
上記各実施形態では、切り替え装置６００〜３６００の連結孔６２０及びその連結孔６２０に挿通される連結軸５７５，２５８２が断面台形形状とされることで、その回転方向の位置決めが可能とされる場合を説明したが、必ずしもこれに限られるものではなく、連結孔６２０及び連結軸５７５，２５８２の断面形状は他の形状であっても良い。他の形状として、例えば、不等形状の多角形や、キー及びキー溝が形成された形状などが例示される。
【０５４５】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０５４６】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０５４７】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０５４８】
以下に、本発明の遊技機に加えて上述した実施形態に含まれる各種発明の概念を示す。
【０５４９】
遊技者によって操作される操作子を備え、その操作子の操作量に応じて遊技球の発射強度が調整される遊技機において、前記操作子が初期位置から操作終点までの区間で操作可能とされると共に、前記操作終点の位置が変更可能とされることを特徴とする遊技機Ａ１。
【０５５０】
遊技機Ａ１によれば、操作子の操作量を所望の操作量に正確かつ迅速に調整できる。
【０５５１】
ここで、操作子の操作量を所望の操作量に調整する方法としては、例えば、操作子の移動軌跡に沿って目盛り線を設ける方法や、操作子の移動軌跡に沿った任意の位置に基準片を固定可能とする方法が考えられる。これらの方法によれば、目盛り線や基準片を目標位置として、操作子を操作する（即ち、目盛り線や基準片に操作子の操作位置を一致させる）ことで、かかる操作子の操作量を所望の操作量に調整しやすくすることができる。
【０５５２】
しかし、上述した方法では、操作子の調整の精度が、遊技者の技量に依存する。即ち、操作子の操作位置が目標位置（目盛り線や基準片）に一致しているか否かを目視により判別しつつ、目標位置に対する操作子の操作位置を微調整する必要があるため、正確な調整が困難である。また、例えば、操作子の操作速度を速くすると、目標位置を通り過ぎてしまうおそれがあることから、目標位置の近傍では操作子の操作速度を遅くする必要があり、迅速な調整が困難である。
【０５５３】
これに対し、遊技機Ａ１によれば、操作子が初期位置から操作終点までの区間で操作可能とされるところ、その操作終点の位置が変更可能とされるので、所望の操作量（目標位置）に対応する位置に操作終点の位置を変更（設定）しておくことで、遊技者は、操作終点まで操作子を操作すれば（即ち、操作終点により操作が規制されて、それ以上の操作ができなくなる位置まで操作子を操作すれば）、かかる操作子の操作量を所望の操作量に容易に調整することができる。
【０５５４】
これにより、例えば、操作子の操作位置が目標位置に一致したか否かを、目視により判別しつつ微調整する必要がなく、所望の操作量に正確に調整することができる。また、目標位置を通り過ぎてしまうこともないため、操作子の操作速度を高めることができ、所望の操作量に迅速に調整することができる。
【０５５５】
より具体的には、操作子の操作量を調整した結果、遊技球の発射強度が所望の発射強度となった際に、その状態に対応する位置（所望の発射強度が得られている操作子の操作量に対応する位置）に操作終点の位置を変更（設定）する。これにより、例えば、休憩のために遊技を中断し、操作子が初期位置へ復帰された後であっても、遊技者は、上述したように、操作終点まで操作子を操作するだけで、操作子の操作量を元の操作量（即ち、遊技を中断する前の操作量）に復帰させる（調整する）ことができ、かかる復帰動作を正確かつ迅速に行うことができる。
【０５５６】
遊技機Ａ１において、前記操作子が操作されている状態において、その操作子の操作量に対応する位置に前記操作終点の位置を変更する操作終点変更手段を備えることを特徴とする遊技機Ａ２。
【０５５７】
遊技機Ａ２によれば、遊技機Ａ１の奏する効果に加え、操作子が操作されている状態において、その操作子の操作量に対応する位置に操作終点の位置を変更（設定）する操作終点変更手段を備えるので、遊技球の発射強度が所望の発射強度となった場合には、操作子の操作量を維持したままで、操作終点の位置の変更（設定）を行うことできる。これにより、操作終点の位置の変更（設定）を迅速に行うことができると共に正確な位置に行うことができる。
【０５５８】
遊技機Ａ２において、前記操作子は、前記遊技球の発射強度を調整するための操作方向とは異なる第２の方向へ変位可能に形成され、前記操作終点変更手段は、前記操作子が前記第２の方向へ操作されることで、前記操作子の操作量に対応する位置に前記操作終点の位置を変更することを特徴とする遊技機Ａ３。
【０５５９】
遊技機Ａ３によれば、遊技機Ａ２の奏する効果に加え、遊技球の発射強度を調整するための操作方向とは異なる第２の方向へ操作子が変位されることで、操作終点変更手段による操作終点の位置の変更（設定）が行われるので、かかる変更動作を容易に行うことができる。即ち、遊技者は、操作子を操作して、遊技球の発射強度を所望の発射強度に調整した後は、その状態から次いで操作子を第２の方向へ操作すれば良く、操作終点変更手段による変更を行うために、例えば、操作子を持ち替える動作や、操作子を操作する手とは逆の手で別の操作手段を操作する動作などを行う必要がない。その結果、操作終点変更手段による操作終点の位置の変更を行うための動作（変更動作）を容易に行うことができる。
【０５６０】
遊技機Ａ３において、遊技機本体に配設される取付部材と、その取付部材に対して変位可能に配設されるベース部材とを備え、前記操作子は、前記ベース部材に回動操作可能に配設され、その操作子の回動操作の操作量に応じて遊技球の発射強度が調整されると共に、前記ベース部材が取付部材に対して変位されることにより、前記第２の方向へ変位可能とされることを特徴とする遊技機Ａ４。
【０５６１】
遊技機Ａ４によれば、遊技機Ａ３の奏する効果に加え、取付部材に対して変位可能とされるベース部材に操作子が回動操作可能に配設され、操作子の第２の方向への変位（即ち、操作子の操作量に対応する位置に操作終点の位置を変更（設定）するための操作）は、ベース部材が取付部材に対して変位されることにより行われるので、操作終点の位置を変更（設定）するための操作（第２の方向への変位）を、操作子の回動操作の操作量を維持しつつ（即ち、回動操作の操作量がずれて、遊技球の発射強度が不用意に変化することを抑制しつつ）、容易に行うことができる。
【０５６２】
即ち、遊技者は、操作子の回動操作により、遊技球の発射強度を所望の発射強度に調整した後は、その状態から次いで操作子を第２の方向へ変位させる操作を行えば良く、操作終点の変更（設定）を行うために、操作子を持ち替える動作や、操作子を操作する手とは逆の手で別の操作手段を操作する動作を行う必要がない。その結果、操作終点の位置の変更（設定）を迅速に行うことができると共に正確な位置に行うことができる。
【０５６３】
遊技機Ａ４において、前記ベース部材は、前記取付部材に軸支され、その軸支された部分を中心として第１位置およびその第１位置よりも上方となる第２位置の間で変位可能とされると共に、付勢手段から付与される付勢力により第２位置に復帰される方向へ付勢されており、前記操作子の前記第２の方向への変位が、前記ベース部材が前記取付部材に対して前記付勢手段の付勢力に抗して前記第２位置から第１位置へ向かう方向とされることを特徴とする遊技機Ａ５。
【０５６４】
遊技機Ａ５によれば、遊技機Ａ４の奏する効果に加え、第２位置から第１位置へ向けての変位は、ベース部材が取付部材に軸支された部分を中心として行われるので、操作子の第２の方向（遊技球の発射強度を調整するための操作方向とは異なる操作方向）への操作を、例えば、手首を曲げる動作によって、容易に行うことができる。その結果、操作終点の位置を変更（設定）するための操作（第２の方向への変位）を、操作子の回動操作の操作量を維持しつつ（即ち、回動操作の操作量がずれて、遊技球の発射強度が不用意に変化することを抑制しつつ）、より容易に行うことができる。その結果、操作終点の位置の変更（設定）を迅速に行うことができると共に正確な位置に行うことができる。
【０５６５】
特に、ベース部材には、その変位位置を第２位置へ復帰させる付勢力が付勢手段から付与されているので、操作子を第２の方向へ変位させた（即ち、ベース部材を取付部材に軸支された部分を中心として第１位置へ向かう方向へ変位させた（押し下げた））後は、下方への押し下げ力を抜くことで、付勢手段の付勢力を利用して、第２位置へ復帰させることができる。その結果、遊技者の操作負担の軽減を図ることができる。
【０５６６】
一方、操作子を第２の方向へ変位させる（ベース部材を付勢手段の付勢力に抗して変位させる（押し下げる））操作は、操作子を把持する手指や腕の自重を利用して行うことができるので、その操作性の向上を図ることができる。また、操作子は、遊技機本体の比較的低い位置に配設され、遊技者にとって、操作位置が比較的低いため、下方へ向けて変位させる操作の方が力を作用させ易い。よって、この点からも操作性の向上を図ることができる。
【０５６７】
遊技機Ａ３において、遊技機本体に配設される取付部材を備え、前記操作子は、前記取付部材に対し、スライド操作可能に配設され、その操作子のスライド操作の操作量に応じて遊技球の発射強度が調整されることを特徴とする遊技機Ａ６。
【０５６８】
遊技機Ａ６によれば、遊技機Ａ３の奏する効果に加え、操作子は、取付部材にスライド操作可能に配設されるので、操作子の操作性、即ち、遊技球の発射強度を調整する際の操作性の向上を図ることができる。なお、操作子は、遊技者が手指で把持可能な形状に限られず、他の形状であっても良い。他の形状としては、例えば、遊技者が手の平や手の甲を載置可能な皿状の形状が例示される。
【０５６９】
この場合、上述したように、操作子が、遊技球の発射強度を調整するためのスライド操作の操作方向とは異なる第２の方向へ変位されることで、操作終点の位置の変更（設定）が行われるので、かかる設定動作を容易に行うことができる。即ち、遊技者は、操作子をスライド操作の操作方向へ操作して、遊技球の発射強度を所望の発射強度に調整した後は、その状態から次いで操作子を第２の方向へ変位させる操作を行えば良く、操作終点の位置の変更（設定）を行うために、操作子を持ち替える動作や、操作子を操作する手とは逆の手で別の操作手段を操作する動作を行う必要がない。よって、操作終点の位置を変更（設定）するための操作（第２の方向への変位）を、操作子のスライド操作の操作量を維持しつつ（即ち、スライド操作の操作量がずれて、発射強度が不用意に変化することを抑制しつつ）、容易に行うことができる。その結果、操作終点の位置の変更（設定）を迅速に行うことができると共に正確な位置に行うことができる。
【０５７０】
遊技機Ａ６において、前記操作子は、前記取付部材に軸支され、その軸支された部分を中心として第１位置およびその第１位置よりも上方となる第２位置の間で変位可能とされると共に、付勢手段から付与される付勢力により第２位置に復帰される方向へ付勢されており、前記操作子の前記第２の方向への変位が、前記操作子が前記取付部材に対して前記付勢手段の付勢力に抗して前記第２位置から第１位置へ向かう方向とされることを特徴とする遊技機Ａ７。
【０５７１】
遊技機Ａ７によれば、遊技機Ａ６の奏する効果に加え、第２位置から第１位置へ向けての変位は、操作子が取付部材に軸支された部分を中心として行われるので、操作子の第２の方向（遊技球の発射強度を調整するための操作方向とは異なる操作方向）への操作を、例えば、手首を曲げる動作によって、容易に行うことができる。その結果、操作終点の位置を変更（設定）するための操作（第２の方向への変位）を、操作子のスライド操作の操作量を維持しつつ（即ち、スライド操作の操作量がずれて、遊技球の発射強度が不用意に変化することを抑制しつつ）、より容易に行うことができる。その結果、操作終点の位置の変更（設定）を迅速に行うことができると共に正確な位置に行うことができる。
【０５７２】
特に、操作子には、その変位位置を第２位置へ復帰させる付勢力が付勢手段から付与されているので、操作子を第２の方向へ変位させた（即ち、操作子を取付部材に軸支された部分を中心として第１位置へ向かう方向へ変位させた（押し下げた））後は、下方への押し下げ力を抜くことで、付勢手段の付勢力を利用して、第２位置へ復帰させることができる。その結果、遊技者の操作負担の軽減を図ることができる。
【０５７３】
一方、操作子を第２の方向へ変位させる（操作子を付勢手段の付勢力に抗して変位させる（押し下げる））操作は、操作子を把持する手指や腕の自重を利用して行うことができるので、その操作性の向上を図ることができる。また、操作子は、遊技機本体の比較的低い位置に配設され、遊技者にとって、操作位置が比較的低いため、下方へ向けて変位させる操作の方が力を作用させ易い。よって、この点からも操作性の向上を図ることができる。
【０５７４】
遊技機Ａ２からＡ７のいずれかにおいて、遊技者により押し込み操作されるボタン部材を備え、前記操作終点変更手段は、前記ボタン部材が押し込み操作されることで、前記操作子の操作量に対応する位置に前記操作終点の位置を変更することを特徴とする遊技機Ａ８。
【０５７５】
遊技機Ａ８によれば、遊技機Ａ２からＡ７のいずれかの奏する効果に加え、ボタン部材が押し込み操作されることで、操作子の操作量に対応する位置に操作終点の位置を変更する変更動作が操作終点変更手段により行われるので、かかる変更動作を操作子の操作とは別に行うことができる。即ち、かかる変更動作を、操作子の操作量を維持しつつ（即ち、操作子の操作量がずれて、遊技球の発射強度が不用意に変化することを抑制しつつ）、行うことができる。なお、ボタン部材は、操作子、操作子が配設されるベース部材、或いは、ベース部材が配設される取付部材のいずれに配設されていても良い。操作子に配設される場合には、操作子の操作とボタン部材の操作とを片手だけでより容易に行うことができる。ベース部材または取付部材に配設される場合には、ボタン部材の操作に起因する操作子の操作量への影響を抑制できる。
【０５７６】
遊技機Ａ８において、半球状の前カバーを備え、前記操作子が回動操作可能に形成され、前記操作子の前面側に前記前カバーが配設されると共に、前記前カバーの頂部にボタン部材が配設されることを特徴とする遊技機Ａ９。
【０５７７】
遊技機Ａ９によれば、遊技機Ａ８の奏する効果に加え、操作子の前面側に半球状の前カバーが配設され、その前カバーの頂部にボタン部材が配設されるので、操作子を手指で把持した状態を維持しつつ、手首を返す動作を利用して、ボタン部材を手のひらで容易に押し込み操作することができる。よって、遊技球の発射強度が所望の発射強度となる操作量に操作子の回動操作の操作量が調整された際には、その操作子の回動操作の操作量を維持しつつ（即ち、回動操作の操作量がずれて、遊技球の発射強度が不用意に変化することを抑制しつつ）、ボタン部材を押し込み操作できる。その結果、操作終点の位置の変更（設定）を迅速に行うことができると共に正確な位置に行うことができる。
【０５７８】
遊技機Ａ９において、前記前カバーは、前記ボタン部材を露出させるために頂部に形成される開口を備えると共に、前記ボタン部材が遊技者により押し込み操作され、前記操作子の操作量に対応する位置に前記操作終点の位置が変更された状態では、前記前カバーの開口の縁部から前記ボタン部材の少なくとも一部が突出されていることを特徴とする遊技機Ａ１０。
【０５７９】
遊技機Ａ１０によれば、遊技機Ａ９の奏する効果に加え、操作子の操作量に対応する位置に操作終点の位置を変更するためにボタン部材を押し込み操作する場合には、かかるボタン部材を、前カバーの開口の縁部を越える位置（前カバー内にボタン部材全体が入り込む位置）まで押し込む必要がない。即ち、ボタン部材を押し込む際に、前カバーの開口の縁部が妨げとなることを抑制して、操作性の向上を図ることができる。
【０５８０】
遊技機Ａ９又はＡ１０において、前記前カバーは、前記ボタン部材を露出させるために頂部に形成される開口を備え、前記ボタン部材は、前記操作子の操作量に対応する位置に前記操作終点の位置を変更する第２の押し込み位置から第３の押し込み位置へ更に押し込み可能に形成され、前記ボタン部材が第３の押し込み位置まで押し込まれることで、少なくとも前記操作終点の位置が最大位置へ復帰可能とされると共に、前記第３の押し込み位置では、前記前カバーの開口の縁部よりも前記ボタン部材が前記前カバー内に没入されることを特徴とする遊技機Ａ１１。    遊技機Ａ１１によれば、遊技機８又は９の奏する効果に加え、ボタン部材を第２の押し込み位置から第３の押し込み位置まで押し込み、操作終点の位置を最大位置へ復帰可能な状態とするためには、かかるボタン部材を、前カバーの開口の縁部を越えて没入される位置（前カバー内にボタン部材全体が入り込む位置）まで押し込む必要がある。よって、ボタン部材を第３の押し込み位置まで押し込む際に、前カバーの開口の縁部を妨げとすることができるので、第２の押し込み位置にあるボタン部材が第３の押し込み位置まで不用意に押し込み操作されることを抑制できる。その結果、不用意なボタン部材の押し込み操作により、操作子の操作量に対応する位置に変更（設定）されていた終点位置が不用意に初期位置へ復帰してしまう（或いは、復帰可能な状態となる）ことを抑制できる。
【０５８１】
遊技機Ａ２からＡ１１において、前記操作終点変更手段によって前記操作子の操作量に対応する位置に変更された前記操作終点の位置を最大位置へ復帰させる操作終点復帰手段を備えることを特徴とする遊技機Ａ１２。
【０５８２】
遊技機Ａ１２によれば、遊技機Ａ２からＡ１１のいずれかの奏する効果に加え、操作終点変更手段により操作子の操作量に対応する位置に変更された操作終点の位置を最大位置へ復帰させる操作終点復帰手段を備えるので、かかる操作終点復帰手段を利用して、操作終点の位置を最大位置へ復帰させることができる。即ち、予め定められている最大の発射強度で遊技球を発射可能な操作位置まで操作子を操作可能とできる。
【０５８３】
遊技機Ａ１２において、前記操作終点復帰手段は、前記操作子が操作されている状態において、前記操作終点の位置の最大位置への復帰が可能とされることを特徴とする遊技機Ａ１３。
【０５８４】
遊技機Ａ１３によれば、遊技機Ａ１２の奏する効果に加え、操作終点復帰手段は、操作子が操作されている状態において、操作終点の位置の最大位置への復帰が可能とされるので、操作終点の位置を最大位置へ復帰させるために、所定の操作量に操作されている操作子を初期位置へ一旦復帰させる必要がない。よって、例えば、操作終点の位置を別の位置へ再設定する必要が生じた場合には、その再設定動作を迅速に行うことができる。或いは、例えば、右打ちの必要が生じた場合には、操作終点の位置を解除して（即ち、最大位置へ復帰させ）、遊技球の発射強度を最大とする操作方向への操作子の操作を迅速に行うことができる。
【０５８５】
遊技機Ａ１３において、前記操作子は、前記遊技球の発射強度を調整するための操作方向とは異なる第３の方向へ変位可能に形成され、前記操作終点復帰手段は、前記操作子が前記第３の方向へ操作されることで、前記操作終点の位置を最大位置へ復帰させることを特徴とする遊技機Ａ１４。
【０５８６】
遊技機Ａ１４によれば、遊技機Ａ１３の奏する効果に加え、遊技球の発射強度を調整するための操作方向とは異なる第２の方向へ操作子が変位されることで、操作終点復帰手段による操作終点の位置の最大位置への復帰が行われるので、遊技を継続しつつ（即ち、遊技球を所望の発射強度で発射させつつ）、かかる復帰動作を容易に行うことができる。即ち、遊技者は、操作子を操作して、遊技球の発射強度を所望の発射強度に調整した状態において、その状態から操作子を第３の方向へ操作すれば良く、操作終点復帰手段による最大位置への復帰を行うために、例えば、操作子を持ち替える動作や、操作子を操作する手とは逆の手で別の操作手段を操作する動作などを行う必要がない。その結果、操作終点復帰手段による操作終点の位置の最大位置への復帰を行うための動作（復帰動作）を、遊技を継続しつつ、容易に行うことができる。
【０５８７】
遊技機Ａ１４において、前記操作子は、前記遊技球の発射強度を調整するための操作方向とは異なる第２の方向へ変位可能に形成され、前記操作終点変更手段は、前記操作子が前記第２の方向へ操作されることで、前記操作子の操作量に対応する位置に前記操作終点の位置を変更するものであり、前記第２の方向と第３の方向とが同一の方向であることを特徴とする遊技機Ａ１５。
【０５８８】
遊技機Ａ１５によれば、遊技機Ａ１４の奏する効果に加え、第２の方向と第３の方向とが同一の方向とされ、操作子の操作量に対応する位置に操作終点の位置を変更する変更動作と、その変更動作により変更された操作終点の位置を最大位置へ復帰させる復帰動作とを同一の操作により行うことができるので、これら変更動作および復帰動作の操作を行いやすくできる。即ち、変更動作による状態と復帰動作による状態とは交互に切り替えられるものであるので、これら２つの状態が同一の操作を繰り返すことで切り替え可能となることが操作性の向上に有効となる。また、第２の方向と第３の方向とが同一の方向とされることで、操作子の操作可能な方向を少なくすることができるので、その分、構造を簡素化して、製品コストの削減を図ることができる。
【０５８９】
遊技機Ａ１２又はＡ１３において、遊技者により押し込み操作されるボタン部材を備え、前記操作終点復帰手段は、前記ボタン部材が押し込み操作されることで、前記操作終点の位置を最大位置へ復帰させることを特徴とする遊技機Ａ１６。
【０５９０】
遊技機Ａ１６によれば、遊技機Ａ１２又はＡ１３の奏する効果に加え、ボタン部材が押し込み操作されることで、操作終点の位置を最大位置へ復帰させる復帰動作が操作終点復帰手段により行われるので、かかる復帰動作を操作子の操作とは別に行うことができる。即ち、かかる復帰動作を、操作子の操作量を維持しつつ（即ち、操作子の操作量がずれて、遊技球の発射強度が不用意に変化することを抑制しつつ）、行うことができる。
【０５９１】
遊技機Ａ１６において、前記操作終点変更手段による前記操作終点の位置の変更と、前記操作終点復帰手段による前記操作終点の位置の最大位置への復帰とが、前記ボタン部材の押し込み操作により、交互に実行可能とされることを特徴とする遊技機Ａ１７。
【０５９２】
遊技機Ａ１７によれば、遊技機Ａ１６の奏する効果に加え、操作終点変更手段による操作終点の位置の変更と、操作終点復帰手段による操作終点の位置の最大位置への復帰とが、ボタン部材の押し込み操作により、交互に実行可能とされるので、これら変更動作および復帰動作の操作を行いやすくできる。即ち、変更動作による状態と復帰動作による状態とは交互に切り替えられるものであるので、これら２つの状態が１のボタン部材を繰り返し操作することで切り替え可能となることが操作性の向上に有効となる。また、このように、１のボタン部材が兼用できることで、部品点数の削減および構造の簡素化を図ることができ、その分、製品コストの削減を図ることができる。
【０５９３】
遊技機Ａ１からＡ１７のいずれかにおいて、前記操作終点の位置が最大位置から変更されているかを遊技者が識別可能に形成されることを特徴とする遊技機Ａ１８。
【０５９４】
遊技機Ａ１８によれば、遊技機Ａ１からＡ１７のいずれかの奏する効果に加え、操作終点の位置が最大位置から変更されているかを遊技者が識別可能に形成されるので、遊技球の発射強度の調整範囲が規制されていることを知らずに遊技を行うという事態を抑制でき、遊技者が不利益を被る状態を発生し難くできる。
【０５９５】
即ち、操作子が初期位置から操作終点までの区間で操作可能とされる場合に、操作終点の位置が変更可能とされる構成においては、操作終点の位置が変更されていることに遊技者が気づかずに遊技を行っていると、遊技球の発射強度の調整範囲が規制されている状態で、即ち、予め定められている最大の発射強度での遊技球の発射ができない状態で遊技を行うこととなり、遊技者が不利益を被る可能性がある。
【０５９６】
これに対し、遊技機Ａ１８によれば、操作終点の位置が最大位置から変更されているかを遊技者が識別可能に形成されるので、操作終点の位置が最大位置から変更されている（即ち、遊技球の発射強度の調整範囲が規制されている）ことに気づかずに遊技者が遊技を行うことを抑制して、遊技者が不利益を被る状態を発生し難くできる。
【０５９７】
遊技機Ａ１８において、遊技者により押し込み操作されるボタン部材を備えると共に、前記ボタン部材が押し込み操作されることで、前記操作終点の位置が最大位置から変更可能とされ、前記操作終点の位置が最大位置から変更された状態では、前記操作終点の位置が最大位置にある状態と比較して、前記ボタン部材の押し込み位置が異なることを特徴とする遊技機Ａ１９。
【０５９８】
遊技機Ａ１９によれば、遊技機Ａ１８の奏する効果に加え、ボタン部材の押し込み操作により、操作終点の位置が最大位置から変更可能とされ、操作終点の位置が最大位置から変更された状態では、操作終点の位置が最大位置にある状態と比較して、ボタン部材の押し込み位置が異なるので、かかるボタン部材の押し込み位置の差に基づいて、操作終点の位置が最大位置から変更されているかを遊技者に識別させることができる。これにより、操作終点の位置が最大位置から変更されていることに気づかずに遊技者が遊技を行うことを抑制して、遊技者が不利益を被る状態を発生し難くできる。
【０５９９】
この場合、遊技機Ａ１９によれば、操作終点の位置を最大位置から変更するために操作される操作部材（ボタン部材）を、操作終点の位置が最大位置から変更されているかを識別するための識別部材としても兼用するので、その分、部品点数を削減して、製品コストの低減を図ることができる。
【０６００】
遊技機Ａ１９において、前記ボタン部材の外周面側に配設される壁部と、その壁部に開口形成され前記ボタン部材の外周面の少なくとも一部が視認可能とされる開口とを備え、前記操作終点の位置が最大位置から変更された状態では、前記操作終点の位置が最大位置にある状態と比較して、前記開口を介して視認される対象の形態が異なることを特徴とする遊技機Ａ２０。
【０６０１】
遊技機Ａ２０によれば、遊技機Ａ１９の奏する効果に加え、操作終点の位置が最大位置から変更された状態では、操作終点の位置が最大位置にある状態と比較して、開口を介して視認される対象の形態が異なるので、かかる視認される対象の形態の差に基づいて、操作終点の位置が最大位置から変更されているかを遊技者に容易かつ確実に識別させることができる。
【０６０２】
即ち、操作終点の位置が最大位置から変更されているかの識別を、ボタン部材の押し込み位置の差に基づいて行う構成では、判断基準が押し込み量の程度の差となるため、２つの状態を明確に区別することが困難である。
【０６０３】
これに対し、遊技機Ａ２０によれば、開口を介して視認される対象の形態が異なるので、判断基準を２値化することができ、２つの状態を明確に区別することをしやすくできる。これにより、操作終点の位置が最大位置から変更されているかを遊技者に容易かつ確実に識別させることができ、その結果、操作終点の位置が最大位置から変更されていることに気づかずに遊技者が遊技を行うことを抑制して、遊技者が不利益を被る状態を発生し難くできる。
【０６０４】
なお、開口を介して視認される対象の形態が異なるとは、例えば、操作終点の位置が最大位置にある状態と最大位置から変更された状態との２つ状態において、第１に、一方の状態では、開口を介してボタン部材の外周面のみが視認され、他方の状態では、開口を介してボタン部材の外周面以外の部材のみが視認される構成（即ち、開口を介してボタン部材の外周面が視認されるか否かに２値化され、それら２値に基づいて区別する構成）が例示される。
【０６０５】
第２に、一方の状態および他方の状態では、共にボタン部材の外周面が視認されるが、その視認されるボタン部材の外周面の色が一方の状態と他方の状態とで異なる構成（即ち、開口を介して視認されるボタン部材の色（例えば、白色と黒色）により２値化され、それら２値に基づいて区別する構成）が例示される。
【０６０６】
第３に、一方の状態および他方の状態では、共にボタン部材の外周面が視認されるが、その視認されるボタン部材の外周面の面積（開口内に占める割合）が一方の状態と他方の状態とで異なる構成（即ち、開口を介して視認されるボタン部材の面積（ボタン部材の外周面が開口内に占める面積）により２値化され、それら２値に基づいて区別する構成）が例示される。
【０６０７】
第４に、一方の状態および他方の状態では、共にボタン部材の外周面が視認されるが、その視認されるボタン部材の外周面が開口内で描く形状が一方の状態と他方の状態とで異なる構成（即ち、ボタン部材の外周面が開口内に描く形状により２値化され、それら２値に基づいて区別する構成）が例示される。
【０６０８】
第５に、一方の状態および他方の状態では、共にボタン部材の外周面が視認され、視認されるボタン部材の外周面の面積もボタン部材の外周面が描く形状も同一であるが、ボタン部材の外周面の視認される開口内における位置が一方の状態と他方の状態とで異なる構成（即ち、開口内におけるボタン部材の外周面の位置により２値化され、それら２値に基づいて区別する構成）が例示される。
【０６０９】
遊技機Ａ１８において、前記操作終点の位置が最大位置にある状態では第１の位置に配置されると共に、前記操作終点の位置が最大位置から変更された状態では第２の位置に配置される連動部材を備えることを特徴とする遊技機Ａ２１。
【０６１０】
遊技機Ａ２１によれば、遊技機Ａ１８の奏する効果に加え、連動部材は、操作終点の位置が最大位置にある状態では第１の位置に配置されると共に、操作終点の位置が最大位置から変更された状態では第２の位置に配置されるので、かかる連動部材の配置の差に基づいて、操作終点の位置が最大位置から変更されているかを遊技者に容易かつ確実に識別させることができる。その結果、操作終点の位置が最大位置から変更されていることに気づかずに遊技者が遊技を行うことを抑制して、遊技者が不利益を被る状態を発生し難くできる。
【０６１１】
遊技機Ａ２１において、前記連動部材は、遊技者により操作可能に形成され、前記第２の位置に配置された連動部材が操作され前記第１の位置に配置されることで、前記操作終点の位置が最大位置へ復帰されることを特徴とする遊技機Ａ２２。
【０６１２】
遊技機Ａ２１又はＡ２２において、前記連動部材は、遊技者により操作可能に形成され、前記第１の位置に配置された連動部材が操作され前記第２の位置に配置されることで、前記操作子の操作量に対応する位置に前記操作終点の位置が変更されることを特徴とする遊技機Ａ２３。
【０６１３】
遊技機Ａ２２によれば、遊技機Ａ２１の奏する効果に加え、連動部材が操作可能に形成され、第２の位置に配置された連動部材を操作して第１の位置に配置することで、操作終点の位置を最大位置へ復帰させることができる。即ち、予め定められている最大の発射強度で遊技球を発射可能な操作位置まで操作子を操作可能とできる。また、遊技機Ａ２３によれば、遊技機Ａ２１又はＡ２２の奏する効果に加え、連動部材が操作可能に形成され、第１の位置に配置された連動部材を操作して第２の位置に配置することで、操作子の操作量に対応する位置に操作終点の位置を変更することができる。
【０６１４】
この場合、遊技機Ａ２２又は遊技機Ａ２３によれば、操作終点の位置が最大位置から変更されているかを識別するための識別部材（連動部材）を、操作終点の位置を最大位置へ復帰させる或いは操作終点の位置を変更するために操作される操作部材としても兼用するので、その分、部品点数を削減して、製品コストの低減を図ることができる。
【０６１５】
また、このように、遊技機Ａ２２によれば、操作終点の位置を最大値に復帰させる復帰動作は、操作終点の位置が最大位置から変更された状態を示す第２の位置に配置された連動部材を、操作終点の位置が最大位置にある状態を示す第１の位置へ配置させる操作を行うことで達成されるので、遊技者に対し復帰動作であることを直感的に認識させつつ操作させることができ、その結果、不用意な誤操作を抑制できる。
【０６１６】
同様に、遊技機Ａ２３によれば、操作子の操作量に対応する位置に操作終点の位置を変更する変更動作は、操作終点の位置が最大位置にある状態を示す第１の位置へ配置された連動部材を、操作終点の位置が最大位置から変更された状態を示す第２の位置に配置させる操作を行うことで達成されるので、遊技者に対し変更動作であることを直感的に認識させつつ操作させることができ、その結果、不用意な誤操作を抑制できる。
【０６１７】
遊技機Ａ６又はＡ７において、前記操作子が前記第２の方向へ変位されることで、前記操作終点変更手段による操作終点の位置の変更が行われると共に、前記操作子のスライド操作を規制可能に形成されることを特徴とする遊技機Ａ２４。
【０６１８】
遊技機Ａ２４によれば、遊技機Ａ６又はＡ７の奏する効果に加え、操作子が第２の方向へ変位されることで、操作終点変更手段による変更が行われると共に、操作子のスライド操作を規制可能に形成されるので、操作終点変更手段による操作終点の位置の変更（設定）を行う際に、操作子のスライド操作の位置が変化する（位置ずれする）ことの規制も併せて行うことができる。よって、操作子のスライド操作の位置が意図する所定の位置から変化する（位置ずれする）ことを抑制して、操作終点の位置を意図した位置に正確に変更（設定）することができる。
【０６１９】
遊技機Ａ６又はＡ７において、前記操作子は、遊技者が把持可能な棒状に形成されることを特徴とする遊技機Ａ２５。
【０６２０】
遊技機Ａ２５によれば、遊技機Ａ６又はＡ７の奏する効果に加え、操作子は、遊技者が把持可能な棒状に形成されるので、かかる操作子を保持し易くすることができ、その結果、操作子を所定の方向（例えば、スライド操作の方向、或いは、第２の方向など）へ操作する際の操作性の向上を図ることができる。
【０６２１】
遊技機Ａ２５において、前記操作子は、前記取付部材に一側がスライド変位可能に支持される本体部と、その本体部の他側から上方へ向けて立設され遊技者に把持される被保持部とを備えることを特徴とする遊技機Ａ２６。
【０６２２】
遊技機Ａ２６によれば、遊技機Ａ２５の奏する効果に加え、操作子は、遊技者に把持される被保持部が本体部の他側から上方へ向けて立設されるので、かかる被保持部を、遊技者に自然な姿勢で保持（把持）させることができると共に、スライド操作および第２の方向への操作をそれぞれ操作し易くすることができる。特に、被保持部は本体部の他側から立設されるので、被保持部を把持する際には、手の平の外縁部分を本体部に載置しておくことができ、疲労の低減を図ることができると共に、第２の方向への操作（押し下げる操作）を行う際には、本体部に手の重みを作用させることができ、操作の容易化を図ることができる。
【０６２３】
遊技機Ａ６又はＡ７において、前記操作子は、遊技者が手の一部を載置可能な形状に形成される載置面を備えることを特徴とする遊技機Ａ２７。
【０６２４】
遊技機Ａ２７によれば、遊技機Ａ６又はＡ７の奏する効果に加え、操作子は、遊技者が手の一部を載置可能な形状に形成される載置面を備えるので、例えば、操作部分を把持することができない遊技者であっても、操作子の載置面を利用して、操作子をスライド操作することができる。即ち、回転ハンドルを回転させることで遊技球の発射強度を調整する従来の遊技機では、操作部分を把持できない遊技者が遊技を行うことは困難であり、本発明のように、操作子をスライド操作可能に形成し、その操作子のスライド操作の操作量に応じて遊技球の発射強度を調整する構造を採用し、かつ、操作子に載置面を形成することで、操作部分を把持できない遊技者にとって、遊技が初めて可能となったものである。
【０６２５】
遊技機Ａ６又はＡ７において、前記操作子は、前記初期位置から操作終点へ向けて下降傾斜される方向へスライド操作されることを特徴とする遊技機Ａ２８。
【０６２６】
遊技機Ａ２８によれば、遊技機Ａ６又はＡ７の奏する効果に加え、操作子は、初期位置から操作終点へ向けて下降傾斜される方向へスライド操作されるので、かかるスライド操作の操作量を増加させる方向への操作（即ち、遊技球の発射強度を増加させる操作）を、手の重みを利用して、容易に行うことができる。また、操作終点まで操作子をスライド操作して、遊技球の発射強度を一定に維持する際には、手の重みを利用して、操作子を初期位置へ復帰させようとする付勢力に対抗できるので、遊技者の疲労を低減できる。なお、当該構成は、遊技機Ａ２７のように、遊技者が操作子の載置面を利用してスライド操作を行う場合（即ち、遊技者が被保持部を把持できない場合）に特に有効となる。
【０６２７】
遊技機Ａ６又はＡ７において、前記操作子は、前記初期位置から操作終点へ向けて上昇傾斜される方向へスライド操作されることを特徴とする遊技機Ａ２９。
【０６２８】
遊技機Ａ２９によれば、遊技機Ａ６又はＡ７の奏する効果に加え、操作子は、初期位置から操作終点へ向けて上昇傾斜される方向へスライド操作されるので、操作子に例えば買い物袋などをぶら下げて、遊技球の発射強度を一定に維持しようとする行為を排除できる。
【０６２９】
即ち、操作子をスライド操作可能に形成し、その操作子のスライド操作の操作量に応じて遊技球の発射強度を調整する構造では、スライド操作の方向が水平あるいは下降傾斜されていると、操作子に例えば買い物袋などをぶら下げることで、遊技者が操作子から手を離していても、買い物袋の重みを利用して、操作子を操作終点に維持することが可能となり、公平な遊技が妨げられる。
【０６３０】
これに対し、遊技機Ａ２９によれば、操作子のスライド操作の方向が上昇傾斜されているので、操作子に例えば買い物袋をぶら下げた場合には、遊技者が操作子を手で保持していない限り、買い物袋の重みによって、操作子を初期位置へ復帰させることができる。その結果、遊技者が手を離した状態で操作子が操作終点に維持されることを抑制し、公平な遊技を確保できる。
【０６３１】
遊技機Ａ１からＡ２９のいずれかにおいて、前記遊技機はスロットマシンであることを特徴とする遊技機Ｂ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０６３２】
遊技機Ａ１からＡ２９のいずれかにおいて、前記遊技機はパチンコ遊技機であることを特徴とする遊技機Ｂ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０６３３】
遊技機Ａ１からＡ２９のいずれかにおいて、前記遊技機はパチンコ遊技機とスロットマシンとを融合させたものであることを特徴とする遊技機Ｂ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０６３４】
１０                        パチンコ機（遊技機）
５１，２０５１，３０５１    ハンドル装置（操作装置）
５２０，２５２０            ハンドル取付台（取付部材）
５３０                      ハンドルベース（ベース部材）
５４０，２０５１            ハンドルリング（操作子）
５５０                      前カバー
５５０ａ                    開口
５５０ｂ，５５４ｂ          開口
５７０                      ボタン部材
５７７                      内嵌壁部（壁部）
６００，２６００，３６００  切り替え装置（操作終点変更手段の一部）
３８００                    操作子
３８８０                    跳ね上げ方向付勢ばね（付勢手段）
３８１０                    本体部
３８３０                    被保持部
ＳＰ                        ベース付勢ばね（付勢手段）
θ０                        初期位置
【図１】
2014188235.tif 000003
【図２】
2014188235.tif 000004
【図３】
2014188235.tif 000005
【図４】
2014188235.tif 000006
【図５】
2014188235.tif 000007
【図６】
2014188235.tif 000008
【図７】
2014188235.tif 000009
【図８】
2014188235.tif 000010
【図９】
2014188235.tif 000011
【図１０】
2014188235.tif 000012
【図１１】
2014188235.tif 000013
【図１２】
2014188235.tif 000014
【図１３】
2014188235.tif 000015
【図１４】
2014188235.tif 000016
【図１５】
2014188235.tif 000017
【図１６】
2014188235.tif 000018
【図１７】
2014188235.tif 000019
【図１８】
2014188235.tif 000020
【図１９】
2014188235.tif 000021
【図２０】
2014188235.tif 000022
【図２１】
2014188235.tif 000023
【図２２】
2014188235.tif 000024
【図２３】
2014188235.tif 000025
【図２４】
2014188235.tif 000026
【図２５】
2014188235.tif 000027
【図２６】
2014188235.tif 000028
【図２７】
2014188235.tif 000029
【図２８】
2014188235.tif 000030
【図２９】
2014188235.tif 000031
【図３０】
2014188235.tif 000032
【図３１】
2014188235.tif 000033
【図３２】
2014188235.tif 000034
【図３３】
2014188235.tif 000035
【図３４】
2014188235.tif 000036
【図３５】
2014188235.tif 000037
【図３６】
2014188235.tif 000038
【図３７】
2014188235.tif 000039
【図３８】
2014188235.tif 000040
【図３９】
2014188235.tif 000041
【図４０】
2014188235.tif 000042
【図４１】
2014188235.tif 000043
【図４２】
2014188235.tif 000044
【図４３】
2014188235.tif 000045
【図４４】
2014188235.tif 000046
【図４５】
2014188235.tif 000047
【図４６】
2014188235.tif 000048
【図４７】
2014188235.tif 000049
【図４８】
2014188235.tif 000050
【図４９】
2014188235.tif 000051
【図５０】
2014188235.tif 000052
【図５１】
2014188235.tif 000053
【図５２】
2014188235.tif 000054
【図５３】
2014188235.tif 000055
【図５４】
2014188235.tif 000056
【図５５】
2014188235.tif 000057
【図５６】
2014188235.tif 000058
【図５７】
2014188235.tif 000059
【図５８】
2014188235.tif 000060
【図５９】
2014188235.tif 000061
【図６０】
2014188235.tif 000062
【図６１】
2014188235.tif 000063
【図６２】
2014188235.tif 000064
【図６３】
2014188235.tif 000065
【図６４】
2014188235.tif 000066
【図６５】
2014188235.tif 000067
【図６６】
2014188235.tif 000068
【図６７】
2014188235.tif 000069
【図６８】
2014188235.tif 000070
【図６９】
2014188235.tif 000071
【図７０】
2014188235.tif 000072
【図７１】
2014188235.tif 000073
【図７２】
2014188235.tif 000074
【図７３】
2014188235.tif 000075
【図７４】
2014188235.tif 000076
【図７５】
2014188235.tif 000077
【図７６】
2014188235.tif 000078
【図７７】
2014188235.tif 000079
【図７８】
2014188235.tif 000080
【図７９】
2014188235.tif 000081
【図８０】
2014188235.tif 000082